(57)【要約】  チャネル状態情報（ＣＳＩ）レポートを選択するための端末装置（ＵＥ）が記載される。ＵＥは、プロセッサ、およびプロセッサと電子通信を行うメモリを含む。実行可能な命令は、メモリに記憶される。ＵＥは、少なくとも１つのサービングセルに対応する複数のＣＳＩレポートを生成する。同じ関連付けをもつ１つ以上のＣＳＩレポートの群がＣＳＩレポート・セットを形成する。ＵＥは、セット内送信スケジューリング衝突がある場合、ＣＳＩレポート・セットごとに単一のＣＳＩレポートを選択すべく第１の優先度付けルールを適用して、少なくとも１つの第１の優先度付け非選別ＣＳＩレポートを落とす。ＵＥは、セット間送信スケジューリング衝突がある場合、少なくとも１つのＣＳＩレポートを選択すべく第２の優先付けルールも適用する。
2015516696.tif 000002
【特許請求の範囲】
【請求項１】
チャネル状態情報（ＣＳＩ）レポートを選択するための端末装置（ＵＥ）であって、
プロセッサ；
前記プロセッサと電子通信を行うメモリ；
を備え、
前記メモリに記憶された命令は、
少なくとも１つのサービングセルに対応する複数のＣＳＩレポートを生成し、同じ関連付けをもつ１つ以上のＣＳＩレポートの群がＣＳＩレポート・セットを形成し；
少なくとも１つの前記ＣＳＩレポート・セットのＣＳＩレポート間のセット内送信スケジューリング衝突がある場合、ＣＳＩレポート・セットごとに単一のＣＳＩレポートを選択すべく第１の優先度付けルールを適用して、少なくとも１つの第１の優先度付け非選択レポートを落とし；
異なるＣＳＩレポート・セットのＣＳＩレポート間のセット間送信スケジューリング衝突がある場合、少なくとも１つのＣＳＩレポートを選択すべく第２の優先度付けルールを適用する
ために実行可能である、
ＵＥ。
【請求項２】
前記第２の優先度付けルールは、前記ＵＥが複数のＣＳＩレポートを選択するように構成されている場合、複数のＣＳＩレポートを選択するように適用される、請求項１に記載のＵＥ。
【請求項３】
前記命令は、少なくとも１つの選択されたＣＳＩレポートを送り、他のＣＳＩレポートを落とすためにさらに実行可能である、請求項１に記載のＵＥ。
【請求項４】
複数のサービングセルに対応する複数のＣＳＩレポート・セットが生成され、前記第２の優先度付けルールは、セット間送信スケジューリング衝突がある場合、少なくとも１つのＣＳＩレポートを選択するために適用される、請求項１に記載のＵＥ。
【請求項５】
前記第２の優先度付けルールは、前記ＵＥが複数のＣＳＩレポートを選択するように構成されている場合、複数のＣＳＩ報告レポートを選択するように適用される、請求項４に記載のＵＥ。
【請求項６】
前記第１の優先度付けルールは、物理上りリンク制御チャネル（ＰＵＣＣＨ）レポーティング・タイプに基づく、請求項１に記載のＵＥ。
【請求項７】
前記第２の優先度付けルールは、物理上りリンク制御チャネル（ＰＵＣＣＨ）レポーティング・タイプおよびＣＳＩレポート・セット・インデックスからなる１つの群のうちの少なくとも１つに基づく、請求項１に記載のＵＥ。
【請求項８】
複数のサービングセルに対応する複数のＣＳＩレポート・セットが生成され、前記命令は、異なるサービングセルの複数のＣＳＩレポート・セットの複数のＣＳＩレポートのセット間送信スケジューリング衝突がある場合、１つのＣＳＩレポートを選択すべく第３の優先度付けルールを適用するためにさらに実行可能である、請求項１に記載のＵＥ。
【請求項９】
前記命令は、前記ＵＥが複数のＣＳＩレポートを送信するように構成されている場合、選択されたＣＳＩレポートを除去して、次のＣＳＩレポートを選択すべく前記第２の優先度付けルールを適用するためにさらに実行可能である、請求項１に記載のＵＥ。
【請求項１０】
前記命令は、前記ＵＥが複数のＣＳＩレポートを送信するように構成されている場合、選択されたＣＳＩレポートを除去して、次のＣＳＩレポートを選択すべく前記第３の優先度付けルールを適用するためにさらに実行可能である、請求項８に記載のＵＥ。
【請求項１１】
端末装置（ＵＥ）によってチャネル状態情報（ＣＳＩ）レポートを選択するための方法であって、前記方法は、
少なくとも１つのサービングセルに対応する複数のＣＳＩレポートを生成するステップであって、同じ関連付けをもつ１つ以上のＣＳＩレポートの群がＣＳＩレポート・セットを形成する、前記生成するステップ；
少なくとも１つの前記ＣＳＩレポート・セットのＣＳＩレポート間のセット内送信スケジューリング衝突がある場合、ＣＳＩレポート・セットごとに単一のＣＳＩレポートを選択して、少なくとも１つの第１の優先度付け非選択ＣＳＩレポートを落とすべく第１の優先度付けルールを適用するステップ；および
異なるＣＳＩレポート・セットのＣＳＩレポート間のセット間送信スケジューリング衝突がある場合、少なくとも１つのＣＳＩレポートを選択すべく第２の優先度付けルールを適用するステップ
を備える、方法。
【請求項１２】
前記第２の優先度付けルールは、前記ＵＥが複数のＣＳＩレポートを選択するように構成されている場合、複数のＣＳＩレポートを選択するように適用される、請求項１１に記載の方法。
【請求項１３】
少なくとも１つの選択されたＣＳＩレポートを送るステップ、および他のＣＳＩレポートを落とすステップをさらに備える、請求項１１に記載の方法。
【請求項１４】
複数のサービングセルに対応する複数のＣＳＩレポート・セットが生成され、セット間送信スケジューリング衝突がある場合、少なくとも１つのＣＳＩレポートを選択すべく前記第２の優先度付けルールが適用される、請求項１１に記載の方法。
【請求項１５】
前記第２の優先度付けルールは、前記ＵＥが複数のＣＳＩレポートを選択するように構成されている場合、複数のＣＳＩレポートを選択するように適用される、請求項１４に記載の方法。
【請求項１６】
前記第１の優先度付けルールは、物理上りリンク制御チャネル（ＰＵＣＣＨ）レポーティング・タイプに基づく、請求項１１に記載の方法。
【請求項１７】
前記第２の優先度付けルールは、物理上りリンク制御チャネル（ＰＵＣＣＨ）レポーティング・タイプおよびＣＳＩレポート・セット・インデックスからなる１つの群のうちの少なくとも１つに基づく、請求項１１に記載の方法。
【請求項１８】
複数のサービングセルに対応する複数のＣＳＩレポート・セットが生成され、前記方法は、異なるサービングセルの複数のＣＳＩレポート・セットの複数のＣＳＩレポートのセット間送信スケジューリング衝突がある場合、１つのＣＳＩレポートを選択すべく第３の優先度付けルールを適用するステップをさらに備える、請求項１１に記載の方法。
【請求項１９】
前記ＵＥが複数のＣＳＩレポートを送信するように構成されている場合、選択されたＣＳＩレポートを除去するステップ、および次のＣＳＩレポートを選択すべく前記第２の優先度付けルールを適用するステップをさらに備える、請求項１１に記載の方法。
【請求項２０】
前記ＵＥが複数のＣＳＩレポートを送信するように構成されている場合、選択されたＣＳＩレポートを除去するステップ、および次のＣＳＩレポートを選択すべく前記第３の優先度付けルールを適用するステップをさらに備える、請求項１８に記載の方法。
【発明の詳細な説明】
【技術分野】
【０００１】
本開示は、一般に、通信システムに関する。さらに具体的には、本開示は、チャネル状態情報レポートを選択するためのデバイスに関する。
【背景技術】
【０００２】
ワイヤレス通信デバイスは、消費者ニーズを満たし、可搬性と便利さとを改善するために、より小さく、より強力になった。消費者は、ワイヤレス通信デバイスに依存するようになり、高信頼性のサービス、カバレッジエリアの拡大および機能性の向上を期待するようになった。ワイヤレス通信システムは、多数のワイヤレス通信デバイスに通信を提供し、それぞれのデバイスが基地局によるサービスを享受する。基地局は、ワイヤレス通信デバイスと通信を行うデバイスである。
【０００３】
ワイヤレス通信デバイスが進歩するにつれて、通信容量、速度、フレキシビリティおよび／または効率の向上が求められてきた。しかしながら、通信容量、速度、フレキシビリティおよび／または効率の向上がいくつかの問題を提起することがある。
【０００４】
例えば、ワイヤレス通信デバイスは、通信品質を改善するためにフィードバックを利用する。しかし、既知のフィードバック手順は限られている。この考察によって示されるように、フィードバック手順を改善するシステムおよび方法が有益であろう。
【発明の概要】
【課題を解決するための手段】
【０００５】
本発明の態様は、チャネル状態情報（ＣＳＩ：ｃｈａｎｎｅｌ  ｓｔａｔｅ  ｉｎｆｏｒｍａｔｉｏｎ）レポートを選択するための端末装置（ＵＥ：Ｕｓｅｒ  Ｅｑｕｉｐｍｅｎｔ）を提供し、ＵＥは、
プロセッサ；
プロセッサと電子通信を行うメモリ、を備え；
メモリに記憶された命令は、
少なくとも１つのサービングセルに対応する複数ＣＳＩレポートを生成し、同じ関連付けをもつ１つ以上のＣＳＩレポートの群がＣＳＩレポート・セットを形成し；
少なくとも１つのＣＳＩレポート・セットのＣＳＩレポート間のセット内送信スケジューリング衝突がある場合、ＣＳＩレポート・セットごとに単一のレポートを選択すべく第１の優先度付けルールを適用して、少なくとも１つの第１の優先度付け非選別ＣＳＩレポートを落とし；
異なるＣＳＩレポート・セットのＣＳＩレポート間のセット間送信スケジューリング衝突がある場合、少なくとも１つのＣＳＩレポートを選択すべく第２の優先度付けルールを適用するために動作可能である。
【０００６】
本発明の別の態様は、端末装置（ＵＥ）によってチャネル状態情報（ＣＳＩ）レポートを選択するための方法を提供し、方法は、
少なくとも１つのサービングセルに対応する複数ＣＳＩレポートを生成するステップであって、同じ関連付けをもつ１つ以上のＣＳＩレポートの群がＣＳＩレポート・セットを形成する、生成するステップ；
少なくとも１つのＣＳＩレポート・セットのＣＳＩレポート間のセット内送信スケジューリング衝突がある場合、ＣＳＩレポート・セットごとに単一のレポートを選択すべく第１の優先度付けルールを適用して、少なくとも１つの第１の優先度付け非選別ＣＳＩレポートを落とすステップ；および
異なるＣＳＩレポート・セットのＣＳＩレポート間のセット間送信スケジューリング衝突がある場合、少なくとも１つのＣＳＩレポートを選択すべく第２の優先度付けルールを適用するステップを備える。
【図面の簡単な説明】
【０００７】
【図１】協調マルチポイント（ＣｏＭＰ）を利用するワイヤレス通信システムを示すブロックダイアグラムである。
【図２】端末装置（ＵＥ）のサービングセルにおけるＣＳＩ−ＲＳリソース、測定およびレポーティングの一構成を示すブロックダイアグラムである。
【図３】上りリンク制御情報（ＵＣＩ：ｕｐｌｉｎｋ  ｃｏｎｔｒｏｌ  ｉｎｆｏｒｍａｔｉｏｎ）多重を用いたワイヤレス通信システムを示すブロックダイアグラムである。
【図４】端末装置（ＵＥ）のサービングセルにおけるＣＳＩ−ＲＳリソース、測定およびレポーティングの別の構成を示すブロックダイアグラムである。
【図５】端末装置（ＵＥ）のサービングセルにおけるＣＳＩ−ＲＳリソース、測定およびレポーティングのさらに別の構成を示すブロックダイアグラムである。
【図６】サブフレームの間の端末装置（ＵＥ）からｅＮｏｄｅ  Ｂへの送信を示すブロックダイアグラムである。
【図７】端末装置（ＵＥ）によって用いられるレイヤを示すブロックダイアグラムである。
【図８】最優先チャネル状態情報（ＣＳＩ）レポートを決定するための方法のフローダイアグラムである。
【図９】上りリンク制御情報（ＵＣＩ）の送信スケジュール同士の衝突解決のための方法のフローダイアグラムである。
【図１０】上りリンク制御情報（ＵＣＩ）の送信スケジュール同士の衝突解決のための別の方法のフローダイアグラムである。
【図１１】上りリンク制御情報（ＵＣＩ）の送信スケジュール同士の衝突解決のためのさらに別の方法のフローダイアグラムである。
【図１２】端末装置（ＵＥ）において利用される様々なコンポーネントを示す。
【図１３】ｅＮｏｄｅ  Ｂにおいて利用される様々なコンポーネントを示す。
【図１４】チャネル状態情報（ＣＳＩ）レポートを選択するためのシステムおよび方法が実装された１つ以上のｅｖｏｌｖｅｄ  Ｎｏｄｅ  Ｂ（ｅＮＢ）および１つ以上の端末装置（ＵＥ）の一構成を示すブロックダイアグラムである。
【図１５】ＣＳＩレポートを選択するための方法の一構成を示すフローダイアグラムである。
【図１６】ＣＳＩレポート・セット生成の一例を示すダイアグラムである。
【図１７】ＣＳＩレポートを選択するための方法のさらに具体的な構成を示すフローダイアグラムである。
【図１８】選択肢Ａに従って１つ以上のＣＳＩレポートを選択する一例を示すダイアグラムである。
【図１９】ＣＳＩレポートを選択するための方法の別のさらに具体的な構成を示すフローダイアグラムである。
【図２０】１つ以上のＣＳＩレポートを選択する別の例を示すダイアグラムである。
【図２１】１つ以上のＣＳＩレポートを選択する別の例を示すダイアグラムである。
【図２２】ＵＥにおいて利用される様々なコンポーネントを示す。
【図２３】ｅＮＢにおいて利用される様々なコンポーネントを示す。
【図２４】チャネル状態情報レポートを選択するためのシステムおよび方法が実装されたＵＥの一構成を示すブロックダイアグラムである。
【図２５】ｅＮＢの一構成を示すブロックダイアグラムである。
【発明を実施するための形態】
【０００８】
≪第１の実施形態≫
本発明の一実施形態は、上りリンク制御情報（ｕｃｉ）の送信スケジュール同士の衝突解決のための方法を開示する。
【０００９】
本発明は、一般に、ワイヤレス通信およびワイヤレス通信関連技術に関する。さらに具体的には、本発明は、上りリンク制御情報（ＵＣＩ）の送信スケジュール同士の衝突解決システムおよび方法に関する。
【００１０】
ワイヤレス通信デバイスは、消費者ニーズを満たし、可搬性と便利さとを改善するために、より小さく、より強力になった。消費者は、ワイヤレス通信デバイスに依存するようになり、高信頼性のサービス、カバレッジエリアの拡大および機能性の向上を期待するようになった。ワイヤレス通信システムは、多数のセルに通信を提供し、それぞれのセルが基地局によるサービスを享受する。基地局は、移動局と通信を行う固定局である。
【００１１】
ワイヤレス通信の効率および品質を改善するために、ワイヤレス通信システムに様々な信号処理技術が用いられる。ワイヤレス通信デバイスを用いて上りリンク制御情報（ＵＣＩ）をレポートするための改善された方法により利益が得られるであろう。
【００１２】
「３ＧＰＰ」とも呼ばれる第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムに関する世界的に適用可能な技術仕様および技術レポートを規定することを目指した連携合意である。３ＧＰＰは、次世代モバイル・ネットワーク、システムおよびデバイスに関する仕様を規定する。
【００１３】
３ＧＰＰロング・ターム・エボリューション（ＬＴＥ：Ｌｏｎｇ  Ｔｅｒｍ  Ｅｖｏｌｕｔｉｏｎ）は、将来の要求に対処すべく、ユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にサポートおよび仕様を提供するために修正された。
【００１４】
本明細書に開示されるシステムおよび方法の少なくともいくつかの態様は、３ＧＰＰ  ＬＴＥおよびＬＴＥアドバンスト規格（例えば、リリース８、リリース９、リリース１０およびリリース１１）について記載される。しかし、本開示の範囲は、この点で限定されるべきではない。本明細書に開示されるシステムおよび方法の少なくともいくつかの態様は、他のタイプのワイヤレス通信システムに利用されてもよい。
【００１５】
ＬＴＥリリース１１では、協調マルチポイント（ＣｏＭＰ）送受信の使用が主な拡張である。協調マルチポイント（ＣｏＭＰ）送信において、端末装置（ＵＥ）は、（本明細書でポイントと呼ばれる）複数の地理的に離れたアンテナから下りリンク信号を受信できる。ポイントとは、地理的にコロケートされたアンテナのセットである。ポイントは、サイトとも呼ばれる。ポイントは、同じ基地局もしくは異なる基地局上に位置しても、または同じ基地局もしくは異なる基地局に接続されてもよい。そのうえ、端末装置（ＵＥ）による上りリンク送信を複数のポイントが受信できる。端末装置（ＵＥ）へ下りリンク上で送信するポイントは、送信ポイントと呼ばれる。端末装置（ＵＥ）からの送信を上りリンク上で受信するポイントは、受信ポイントと呼ばれる。
【００１６】
ポイントは、送信も受信も可能である。一般に、「ポイント」は、送信ポイントも受信ポイントも指す。所与の端末装置（ＵＥ）との送受信にポイントの同じセットを用いる必要はない。（端末装置（ＵＥ）への）下りリンク送信に参加するポイントのサブセットは、（端末装置（ＵＥ）からの）上りリンク受信に参加するポイントのサブセットと同じであっても、異なってもよい。同じサイトのセクタが異なるポイントに対応してもよい。下りリンク送信または上りリンク受信に関与するポイントのセットが１つのサブフレームから別のサブフレームへ変化してもよい。
【００１７】
アンテナポートは、アンテナポート上のシンボルを伝えるチャネルが同じアンテナポート上の別のシンボルを伝えるチャネルから推測できるように定義される。アンテナポートごとに１つのリソースグリッド（時間−周波数）があってもよい。複数のアンテナポートは、複数入力および複数出力（ＭＩＭＯ：ｍｕｌｔｉｐｌｅ−ｉｎｐｕｔ  ａｎｄ  ｍｕｌｔｉｐｌｅ−ｏｕｔｐｕｔ）システムのための複数レイヤを実現できる。ポイントは、端末装置（ＵＥ）に透過的であってもよい。端末装置（ＵＥ）にとって、アンテナポートは識別可能である。アンテナポートは、１つのポイントにおけるアンテナまたはアンテナのセット、あるいは複数の異なるポイントにおけるアンテナのセットによって実現される。しかしながら、ポイントは、ｅＮｏｄｅ  Ｂから見れば識別可能である。それゆえに、ポイントから端末装置（ＵＥ）への送信のときに、ｅＮｏｄｅ  Ｂから見れば、送信に参加するアンテナポートにどのポイント（単数または複数）が用いられるかをｅＮｏｄｅ  Ｂは認識している。
【００１８】
各ポイントから端末装置（ＵＥ）への下りリンク送信を協調させることにより、下りリンク性能を著しく高めることができる。同様に、複数の受信ポイントにおいて上りリンク受信を協調させることにより、上りリンク性能の著しい向上を達成できる。協調マルチポイント（ＣｏＭＰ）送信において、各協調セルのチャネル状態情報（ＣＳＩ）は、リリース１０と同じフォーマットまたは新しいフォーマットで、別々または一緒にレポートされる。
【００１９】
協調マルチポイント（ＣｏＭＰ）送信および／または受信の使用によって、上りリンクおよび下りリンク・データ伝送速度が向上し、一方ではＬＴＥワイヤレス広帯域ネットワークおよび３Ｇネットワーク上で着実なサービス品質およびスループットが保証される。協調マルチポイント（ＣｏＭＰ）送信および／または受信は、上りリンクでも下りリンクでも用いられる。
【００２０】
用語「同時の」は、本明細書では、２つ以上の事象が重複したタイムフレームで生じる状況を示すために用いられる。言い換えれば、２つの「同時の」事象は、時刻がある程度重複するが、必ずしも持続時間が同じではない。そのうえ、同時の事象は、同時刻に始まるかまたは終わってもよく、あるいはそうでなくてもよい。
【００２１】
図１は、協調マルチポイント（ＣｏＭＰ）を利用したワイヤレス通信システム１００を示すブロックダイアグラムである。ワイヤレス通信システム１００は、システム・アーキテクチャ・エボリューション（ｓｙｓｔｅｍ  ａｒｃｈｉｔｅｃｔｕｒｅ  ｅｖｏｌｕｔｉｏｎ）１０１の一部としてサービングｅＮｏｄｅ  Ｂ１０２ａおよび協力ｅＮｏｄｅ  Ｂ１０２ｂを含む。システム・アーキテクチャ・エボリューション１０１とは、ＧＰＲＳコア・ネットワークを置き換えるために設計されたフラットなＩＰベースのネットワーク・アーキテクチャである。一構成において、システム・アーキテクチャ・エボリューション１０１は、コア・ネットワークと呼ばれる。
【００２２】
ｅＮｏｄｅ  Ｂ１０２は、チャネル状態情報参照信号（ＣＳＩ−ＲＳ：ｃｈａｎｎｅｌ  ｓｔａｔｅ  ｉｎｆｏｒｍａｔｉｏｎ  ｒｅｆｅｒｅｎｃｅ  ｓｉｇｎａｌ）送信モジュール１１４を有する。ＣＳＩ−ＲＳ送信モジュール１１４は、チャネル状態情報参照信号（ＣＳＩ−ＲＳ）１１６、チャネル状態情報参照信号（ＣＳＩ−ＲＳ）設定１１８およびチャネル状態情報（ＣＳＩ）レポート設定１２０を含む。ｅＮｏｄｅ  Ｂ１０２は、ＣＳＩ−ＲＳ１１６を、例えば、測定されるように、端末装置（ＵＥ）１０４へ送る。留意すべきは、本明細書では、ＣＳＩ−ＲＳが単一のＣＳＩ−ＲＳおよび／または複数のＣＳＩ−ＲＳを指してもよいことである。
【００２３】
ＣＳＩ−ＲＳ送信モジュール１１４は、ＣＳＩ−ＲＳ設定１１８を生成する。ｅＮｏｄｅ  Ｂ１０２は、次にＣＳＩ−ＲＳ設定１１８を端末装置（ＵＥ）１０４へ送る。かくして、端末装置（ＵＥ）１０４は、送信されてくるＣＳＩ−ＲＳ１１６を検出して処理するために、受信したＣＳＩ−ＲＳ設定１１８を用いる。例えば、端末装置（ＵＥ）１０４は、受信したＣＳＩ−ＲＳ設定１１８をＣＳＩ−ＲＳ設定モジュール１５２に記憶する。
【００２４】
ｅＮｏｄｅ  Ｂ１０２は、端末装置（ＵＥ）１０４がｅＮｏｄｅ  Ｂ１０２へ送り返すためのＣＳＩレポートを生成できるように、チャネル状態情報（ＣＳＩ）レポート設定１２０を端末装置（ＵＥ）１０４へ送る。例えば、各チャネル状態情報（ＣＳＩ）レポート設定１２０は、レポートするためにどのＣＳＩ−ＲＳ（単数または複数）１１６を用いるべきかについての情報も含む。例えば、端末装置（ＵＥ）１０４は、受信したＣＳＩレポート設定１２０をＣＳＩレポート設定モジュール１５８に記憶する。
【００２５】
ｅＮｏｄｅ  Ｂ１０２は、複数のアンテナを含む物理構造である。いくつかのアンテナは、ｅＮｏｄｅ  Ｂ１０２とコロケートされてもよく、他のアンテナポートは、ｅＮｏｄｅ  Ｂ１０２から地理的に離れていてもよい。コロケートされたアンテナも地理的に離れたアンテナもポイント１１０と呼ばれる。いくつかのポイント１１０ａ〜ｂは、サービングｅＮｏｄｅ  Ｂ１０２ａと関連付けられ、一方で他のポイント１１０ｃは、協力ｅＮｏｄｅ  Ｂ１０２ｂと関連付けられる。ｅＮｏｄｅ  Ｂ１０２は、端末装置（ＵＥ）１０４への下りリンク１０８送信および端末装置（ＵＥ）１０４からの上りリンク１０６受信を協調させるために、ポイント１１０を用いる。ポイント１１０ｃが協力ｅＮｏｄｅ  Ｂ１０２ｂに接続されている場合、協力ｅＮｏｄｅ  Ｂ１０２ｂをサービングｅＮｏｄｅ  Ｂ１０２ａに接続するバックホール・インタフェース１４４がある。
【００２６】
ポイント１１０は、基地局と関連付けられたアンテナおよびまたはアンテナポートである。基地局は、アクセスポイント、送信ポイント、Ｎｏｄｅ  Ｂ、ｅＮｏｄｅ  Ｂ、送信ノード、ノードまたはいくつかの他の用語で呼ばれることがある。ポイント１１０は、基地局とコロケートされてもよく、または基地局から地理的に離れていてもよい。同様に、端末装置（ＵＥ）１０４は、移動局、加入者局、アクセス端末、遠隔局、ユーザ端末、端末、ハンドセット、加入者ユニット、ワイヤレス通信デバイスまたは他の用語で呼ばれることがある。
【００２７】
端末装置（ＵＥ）１０４とｅＮｏｄｅ  Ｂ１０２との間の通信は、上りリンク１０６および下りリンク１０８を含む無線リンクを通じた送信を用いて達成される。上りリンク１０６は、端末装置（ＵＥ）１０４からシステム・アーキテクチャ・エボリューション１０１におけるデバイス（例えば、ｅＮｏｄｅ  Ｂ１０２）へ送られる通信を指す。下りリンク１０８は、システム・アーキテクチャ・エボリューション１０１（例えば、ｅＮｏｄｅ  Ｂ１０２）から端末装置（ＵＥ）１０４へ送られる通信を指す。ｅＮｏｄｅ  Ｂ１０２は、下りリンク１０８信号を端末装置（ＵＥ）１０４へ送り、上りリンク１０６信号を端末装置（ＵＥ）１０４から受信するために、異なるポイント１１０の組み合わせを用いてもよい。
【００２８】
一般に、通信リンクは、単一入力および単一出力（ＳＩＳＯ：ｓｉｎｇｌｅ−ｉｎｐｕｔ  ａｎｄ  ｓｉｎｇｌｅ−ｏｕｔｐｕｔ）、複数入力および単一出力（ＭＩＳＯ：ｍｕｌｔｉｐｌｅ−ｉｎｐｕｔ  ａｎｄ  ｓｉｎｇｌｅ−ｏｕｔｐｕｔ）、単一入力および複数出力（ＳＩＭＯ：ｓｉｎｇｌｅ−ｉｎｐｕｔ  ａｎｄ  ｍｕｌｔｉｐｌｅ−ｏｕｔｐｕｔ）、または複数入力および複数出力（ＭＩＭＯ）システムを用いて確立される。ＭＩＭＯシステムは、複数の送受信アンテナを装備した送信機および受信機の両方を含む。従って、基地局は、複数のアンテナ（またはポイント１１０）を有し、端末装置（ＵＥ）１０４は、複数のアンテナ（示されない）を有する。かくして、基地局および端末装置（ＵＥ）１０４は、それぞれがＭＩＭＯシステムにおける送信機または受信機のいずれかとして動作する。ＭＩＭＯシステムの１つの利益は、複数の送受信アンテナが複数の送受信アンテナポートを実現し、これらのアンテナポートが作り出す追加の次元数を活用すれば、性能が向上することである。
【００２９】
第３世代パートナーシップ・プロジェクト（３ＧＰＰ）ロング・ターム・エボリューション（ＬＴＥ）アドバンストでは、ＭＩＭＯおよびキャリアアグリゲーションを収容するために、制御チャネル上で追加の制御フィードバックが送られる。キャリアアグリゲーションは、隣接して、または離れて位置する複数のコンポーネントキャリア（ＣＣ：ｃｏｍｐｏｎｅｎｔ  ｃａｒｒｉｅｒ）（またはセル）上でデータを送信することを指す。
【００３０】
複数のポイント１１０から単一の端末装置（ＵＥ）１０４への下りリンク１０８送信は、協調マルチポイント（ＣｏＭＰ）送信動作と呼ばれる。１つの端末装置（ＵＥ）１０４から複数の受信ポイント１１０への上りリンク１０６送信は、協調マルチポイント（ＣｏＭＰ）受信動作と呼ばれる。
【００３１】
ＣｏＭＰにおける１つの送信方法は、３ＧＰＰリリース１０仕様に明記されるようなジョイント送信（ＪＴ：ｊｏｉｎｔ  ｔｒａｎｓｍｉｓｓｉｏｎ）である。ＪＴの一構成では、参加するすべての送信ポイント（ＴＰ：ｔｒａｎｓｍｉｓｓｉｏｎ  ｐｏｉｎｔ）１１０が同じ非符号化データを送信する。別の構成では、すべてのＴＰ１１０が同じ符号化データを送信し、端末装置（ＵＥ）１０４が信号を受信して、それを端末装置（ＵＥ）１０４で結合する。例えば、受信信号は、端末装置（ＵＥ）１０４が任意の処理を行う前に、端末装置（１０４）上で結合されるか、または重ね合わされる。
【００３２】
協調マルチポイント（ＣｏＭＰ）信号を端末装置（ＵＥ）１０４へ送信するすべてのポイント１１０は、ＣｏＭＰ送信ポイント（ＴＰ）１１０または送信ポイント（ＴＰ）１１０と呼ばれる。協調マルチポイント（ＣｏＭＰ）信号を端末装置（ＵＥ）１０４から受信するすべてのポイント１１０は、ＣｏＭＰ受信ポイント１１０または受信ポイント１１０と呼ばれる。ポイント１１０は、参照信号を下りリンク１０８を通じて端末装置（ＵＥ）１０４へ送信する。それぞれのポイント１１０は、参照信号を端末装置（ＵＥ）１０４へ送信するためにチャネル状態情報参照信号（ＣＳＩ−ＲＳ）送信モジュール１１４を用いる。
【００３３】
様々なタイプの参照信号がポイント１１０によって用いられる。例えば、ポイント１１０は、セル固有参照信号（ＣＲＳ：ｃｅｌｌ−ｓｐｅｃｉｆｉｃ  ｒｅｆｅｒｅｎｃｅ  ｓｉｇｎａｌ）、マルチメディア・ブロードキャスト単一周波数ネットワーク（ＭＢＳＦＮ：ｍｕｌｔｉｍｅｄｉａ  ｂｒｏａｄｃａｓｔ  ｏｖｅｒ  ａ  ｓｉｎｇｌｅ  ｆｒｅｑｕｅｎｃｙ  ｎｅｔｗｏｒｋ）参照信号、ＵＥ固有参照信号（例えば、復調参照信号（ＤＭ−ＲＳ：ｄｅｍｏｄｕｌａｔｉｏｎ  ｒｅｆｅｒｅｎｃｅ  ｓｉｇｎａｌ））、位置決定参照信号（ＰＲＳ：ｐｏｓｉｔｉｏｎｉｎｇ  ｒｅｆｅｒｅｎｃｅ  ｓｉｇｎａｌ）、およびチャネル状態情報参照信号（ＣＳＩ−ＲＳ）を用いる。３ＧＰＰのリリース１０では、下りリンク１０８アンテナポートごとに送信される１つの参照信号がある。
【００３４】
周波数帯域幅は、等しい帯域幅をもつサブキャリアに区分される。サブキャリアのセットは、ＳＣ＝｛ｓｃ１，ｓｃ２，．．．，ｓｃｋ｝によって示される。時間は、シンボル周期として知られる等しい持続時間をもつ間隔に分割される。３ＧＰＰリリース８およびそれ以降のリリースでは、（１無線フレームと呼ばれる）時間−周波数リソース・グリッドの持続時間は１０ミリ秒（ｍｓ）である。１無線フレームは、１０サブフレームを含み、それぞれのサブフレームの持続時間は、上りリンク１０６および／または下りリンク１０８での送信の持続時間である１ｍｓである。すべてのサブフレームは、持続時間がそれぞれ０．５ｍｓの２つのスロットに分割される。時間間隔のセットは、Ｔ＝｛Ｔ１，Ｔ２，．．．，ＴＬ｝によって示される。次に、周波数−時間リソース・グリッドがデカルト積ＳＣ×Ｔ＝｛（ｓｃｋ，Ｔｌ），ｋ＝１，．．．，Ｋおよびｌ＝１，．．．，Ｌ｝として定義される。
【００３５】
上りリンク１０６または下りリンク１０８での情報の送信に割り当てうるリソースの最小量は、いずれのサブフレームでも、２リソースブロック（ＲＢ：ｒｅｓｏｕｒｃｅ  ｂｌｏｃｋ）であり、各スロットに１ＲＢである。各スロットは、７つのシンボルに分割される。周波数領域は、サブキャリアと呼ばれる１５キロヘルツ（ｋＨｚ）幅の帯域に分割される。言い換えれば、１ＲＢは、時間領域における０．５ｍｓ（７シンボルまたは１スロット）の持続時間と周波数領域における１２サブキャリア（１８０ｋＨｚ）の帯域幅とを有する。１つのリソース要素は、時間領域における１シンボルの持続時間および周波数領域における１サブキャリアの帯域幅を有する。加えて、いずれのサブフレームでも、物理上りリンク制御チャネル（ＰＵＣＣＨ：ｐｈｙｓｉｃａｌ  ｕｐｌｉｎｋ  ｃｏｎｔｒｏｌ  ｃｈａｎｎｅｌ）における上りリンク制御情報（ＵＣＩ）の送信のために、所与の端末装置（ＵＥ）１０４が最大２ＲＢ（各スロットに１ＲＢ）を用いることができる。
【００３６】
参照信号の端末装置（ＵＥ）１０４への送信に参加するポイント１１０は、協調マルチポイント（ＣｏＭＰ）測定セットに属する。協調マルチポイント（ＣｏＭＰ）測定セットは、ポイント１１０の端末装置（ＵＥ）１０４へのリンクについてチャネル状態／統計情報が測定および／またはレポートされる、ポイント１１０のセットとして定義される。下りリンク１０８での参照信号の送信は、協調マルチポイント（ＣｏＭＰ）送信環境において生じることも、そうでないこともある。
【００３７】
本明細書において、協力セットは、時間−周波数リソースでの端末装置（ＵＥ）１０４へのデータ送信および／または時間−周波数リソースでの端末装置（ＵＥ）１０４からのデータ受信に直接的および／または間接的に参加する、地理的および／または実質的に離れたポイント１１０のセットを指す。送信および／または受信ポイント１１０のセットは、協力セットのサブセットである。協力セットは、端末装置（ＵＥ）１０４に透過的であってもなくてもよい。
【００３８】
端末装置（ＵＥ）１０４は、１つ以上のチャネル状態情報（ＣＳＩ）モジュール１５０を含む。例えば、各コンポーネントキャリア（ＣＣ）がチャネル状態情報（ＣＳＩ）モジュール１５０を有する。
【００３９】
チャネル状態情報（ＣＳＩ）モジュール１５０は、１つ以上のチャネル状態情報（ＣＳＩ）設定モジュール１５２、１つ以上のチャネル状態情報（ＣＳＩ）測定モジュール１５４、１つ以上のチャネル状態情報（ＣＳＩ）レポート生成モジュール１５６、１つ以上のチャネル状態情報（ＣＳＩ）レポート設定モジュール１５８、およびチャネル状態情報（ＣＳＩ）レポート衝突解決モジュール１６０を含む。
【００４０】
チャネル状態情報（ＣＳＩ）設定モジュール１５２は、ｅＮｏｄｅ  Ｂ１０２からＣＳＩ−ＲＳ設定を受信する。ＣＳＩ−ＲＳ設定は、ＣＳＩ−ＲＳ列、周期、ＣＳＩ−ＲＳが送信されるアンテナポート、およびＣＳＩ−ＲＳシンボルによって占有されたリソース要素のパターンを含む。特定の設定をもつ設定されたＣＳＩ−ＲＳは、ＣＳＩ−ＲＳリソースと呼ばれる。設定されたＣＳＩ−ＲＳリソースの参照信号列は、ＣＳＩ−ＲＳ設定によって決定される時間および周波数リソースを占有するキャリアまたはコンポーネントキャリア上で送信される。
【００４１】
ＣＳＩ−ＲＳ設定は、端末装置（ＵＥ）１０４で受信されるＣＳＩ−ＲＳの設定について端末装置（ＵＥ）１０４に通知する。例えば、協調マルチポイント（ＣｏＭＰ）測定の場合のように、同じコンポーネントキャリア（ＣＣ）またはセルを用いる複数のｅＮｏｄｅ  Ｂ１０２があった場合、各チャネル状態情報（ＣＳＩ）設定モジュール１５２は、ＣＳＩ−ＲＳ設定を受信して、そのＣＳＩ−ＲＳ設定を、受信したＣＳＩ−ＲＳ信号に適用する。言い換えれば、複数のＣＳＩ−ＲＳが設定される。ＣＳＩ−ＲＳの設定は、無線リソース制御（ＲＲＣ：ｒａｄｉｏ  ｒｅｓｏｕｒｃｅ  ｃｏｎｔｒｏｌ）シグナリングによって行われる。一般に、サービングｅＮｏｄｅ  Ｂ１０２は、所与のキャリアコンポーネントで１つ以上のＣＳＩ−ＲＳを用いて端末装置（ＵＥ）１０４を構成する。ＣＳＩ−ＲＳと他のｅＮｏｄｅ  Ｂおよび／または他の送信ポイントとの関連付けは、端末装置（ＵＥ）１０４に透過的であってもよい。ＣＳＩ−ＲＳリソースを設定するために用いられる１つのパラメータは、セルＩＤとして知られる、セルに関連する識別番号である。すべての設定されたＣＳＩ−ＲＳが同じサービングセルに属しても、属さなくてもよい。言い換えれば、１つ以上のＣＳＩ−ＲＳリソースが端末装置の（端末装置（ＵＥの）サービングセル）のセルＩＤとは異なるセルＩＤ（単数または複数）を用いて設定されてもよい。一構成において、ＣＳＩ−ＲＳにはインデックスが付けられる。ＣＳＩ−ＲＳインデックスは、優先度付けに用いられる。
【００４２】
別の例として、チャネル状態情報（ＣＳＩ）モジュール１５０は、それぞれがＣＳＩ−ＲＳ設定（例えば、ＣＳＩ−ＲＳ１設定およびＣＳＩ−ＲＳ２設定）を含む２つのチャネル状態情報（ＣＳＩ）設定モジュール１５２を有してもよい。
【００４３】
チャネル状態情報（ＣＳＩ）測定モジュール１５４は、設定されたＣＳＩ−ＲＳごとにチャネル状態情報（ＣＳＩ）を測定する。例えば、ＣＳＩ−ＲＳ１がＣＳＩ−ＲＳ１設定に示されるような周期およびリソース要素パターンに従って送信される。言い換えれば、適切な時刻に、チャネル状態情報（ＣＳＩ）測定モジュール１５４は、ＣＳＩ−ＲＳ１が送信されるリソース要素上で受信シンボルに基づいてチャネル状態情報（ＣＳＩ）を測定する。このように、端末装置（ＵＥ）１０４は、ＣＳＩ−ＲＳごとにチャネル状態情報（ＣＳＩ）測定結果を取得する。加えて、端末装置（ＵＥ）１０４は、複数のＣＳＩ−ＲＳが設定されるときに複数のＣＳＩ測定結果を取得することが可能である。ＣＳＩレポート設定は、どのＣＳＩ−ＲＳ（単数または複数）が測定および／またはレポートされるべきかを識別する。リリース１０の無線リソース制御（ＲＲＣ）仕様では、ＣＳＩレポート設定は、ＣＱＩＲｅｐｏｒｔＣｏｎｆｉｇと呼ばれる。
【００４４】
チャネル状態情報（ＣＳＩ）レポート生成モジュール１５６は、チャネル状態情報（ＣＳＩ）レポートを生成する。チャネル状態情報（ＣＳＩ）レポートは、チャネル状態情報（ＣＳＩ）レポート設定モジュール１５８により設定される、チャネル状態情報（ＣＳＩ）レポート設定に従って生成される。チャネル状態情報（ＣＳＩ）レポートは、１つ以上の送信ポイント１１０を有するｅＮｏｄｅ  Ｂ１０２へ送り返される。従って、協調マルチポイント（ＣｏＭＰ）送信の場合には、複数のチャネル状態情報（ＣＳＩ）レポートを生成して、サービングｅＮｏｄｅ  Ｂ１０２（または中央スケジューラ）へ送り返す必要がある。サービングセルごとまたはコンポーネントキャリアごとに、１つ以上のチャネル状態情報（ＣＳＩ）レポート生成モジュール１５６があってもよい。チャネル状態情報（ＣＳＩ）レポート生成モジュール１５６は、ＣＳＩレポート設定モジュール１５８により設定される、ＣＳＩレポート設定によって導出される。ＣＳＩレポート設定に依存して、１つのチャネル状態情報（ＣＳＩ）レポート生成モジュール１５６が１つ以上のＣＳＩ−ＲＳ（単数または複数）に対応してもよい。ＣＳＩレポート設定モジュール１５８によって設定されるＣＳＩレポート設定は、チャネル状態情報（ＣＳＩ）レポート生成モジュール１５６にどのＣＳＩ−ＲＳ（単数または複数）が対応すべきかを識別する。例えば、同じキャリア（またはコンポーネントキャリア、もしくはキャリア周波数）に対して、あるいは同じサービングセルに対して、２つのＣＳＩレポート設定がある場合には、少なくとも２つのチャネル状態情報（ＣＳＩ）レポート生成モジュール１５６があることになろう。一方のチャネル状態情報（ＣＳＩ）レポート生成モジュール１５６は、ＣＳＩレポート設定１に対応するであろう。他方のチャネル状態情報（ＣＳＩ）レポート生成モジュール１５６は、ＣＳＩレポート設定２に対応するであろう。
【００４５】
ＣＳＩレポート生成モジュール１５６は、ＣＳＩ測定モジュール１５４によって行われるＣＳＩ測定からＣＳＩレポートを生成する。ＣＳＩレポートは、ＣＳＩレポート設定モジュール１５８によって設定されるＣＳＩレポート設定に基づく。留意すべきは、チャネル状態情報（ＣＳＩ）レポートが様々なチャネル状態情報（ＣＳＩ）測定に基づきうることである。例えば、チャネル状態情報（ＣＳＩ）レポート設定は、チャネル品質インジケータ（ＣＱＩ：ｃｈａｎｎｅｌ  ｑｕａｌｉｔｙ  ｉｎｄｉｃａｔｏｒ）に基づいてもよい。言い換えれば、ＣＳＩレポートがＣＱＩレポートであってもよい。
【００４６】
各チャネル状態情報（ＣＳＩ）レポート設定は、何がレポートされるべきか、および、いつそれがレポートされるべきかについての情報を含む。例えば、チャネル状態情報（ＣＳＩ）レポート設定は、チャネル品質指標（ＣＱＩ：ｃｈａｎｎｅｌ  ｑｕａｌｉｔｙ  ｉｎｄｉｃａｔｉｏｎ）およびプリコーディング・マトリックス指標（ＰＭＩ：ｐｒｅｃｏｄｉｎｇ  ｍａｔｒｉｘ  ｉｎｄｉｃａｔｉｏｎ）をレポートするための周期、ならびにランク指標（ＲＩ：ｒａｎｋ  ｉｎｄｉｃａｔｉｏｎ）をレポートするための周期を設定する。例として、チャネル状態情報（ＣＳＩ）レポート設定は、チャネル品質指標（ＣＱＩ）が５ミリ秒（ｍｓ）ごとにレポートされるべきであり、ランク指標（ＲＩ）が２０ミリ秒（ｍｓ）ごとにレポートされるべきであることを示す。各チャネル状態情報（ＣＳＩ）レポート設定は、どのＣＳＩ−ＲＳ（単数または複数）がレポートされるべきかについての情報も含む。
【００４７】
チャネル状態情報（ＣＳＩ）レポート生成モジュール１５６は、チャネル状態情報（ＣＳＩ）測定結果に基づいてレポートを生成する。各生成されたレポートは、（ＰＵＣＣＨレポーティング・タイプ、ＰＵＣＣＨ  ＣＳＩレポーティング・タイプ、ＣＳＩレポーティング・タイプなどとも呼ばれる）レポート・タイプによって識別される。レポート・タイプは、レポートされるべきチャネル状態情報（ＣＳＩ）情報の具体的な組み合わせを示す。例えば、ＴｙｐｅＡで示される１つのタイプは、広帯域ＣＱＩおよびＰＭＩを含み、ＴｙｐｅＢで示される別のタイプは、ＲＩを含む。チャネル状態情報（ＣＳＩ）レポート設定は、所与の時刻になにがレポートされるべきかを決定する。異なる測定（例えば、ＣＱＩ、ＰＭＩおよびＲＩ）は異なる周期を有しうるので、同じ時間スロットに２つ以上のタイプが選ばれてレポートされることがある。これは、複数のＣＳＩレポートの送信スケジュール同士の衝突を引き起こす。例えば、チャネル品質指標（ＣＱＩ）が５ミリ秒（ｍｓ）ごとにレポートされるべきであり、ランク指標（ＲＩ）が２０ミリ秒（ｍｓ）ごとにレポートされるべきであることをチャネル状態情報（ＣＳＩ）レポート設定が示す場合、両方の指標がレポートされる２０ミリ秒（ｍｓ）ごとに衝突があることになろう。
【００４８】
３ＧＰＰリリース１０仕様では、端末装置（ＵＥ）１０４は、所与のコンポーネントキャリアのチャネル状態情報を推定するための１つだけの非ゼロ電力（ｎｏｎ−ｚｅｒｏ  ｐｏｗｅｒ）のＣＳＩ−ＲＳを用いて構成され、設定されたＣＳＩ−ＲＳに対応する１つのチャネル状態情報（ＣＳＩ）レポート生成モジュール１５６を有するに過ぎない。３ＧＰＰリリース１１仕様および３ＧＰＰリリース仕様の将来リリースでは、いずれのコンポーネントキャリアにも、端末装置（ＵＥ）１０４によって受信される１つより多いＣＳＩ−ＲＳ設定およびＣＳＩ−ＲＳリソースがあってよい。従って、サービングセルごとに複数のチャネル状態情報（ＣＳＩ）レポート生成モジュール１５６を利用することが有益であろう。
【００４９】
加えて、３ＧＰＰリリース１１仕様および３ＧＰＰリリース仕様の将来リリースでは、協調マルチポイント（ＣｏＭＰ）動作が１つより多いＣＳＩ−ＲＳ設定を導入する。言い換えれば、ＣＳＩ−ＲＳごとに１つの複数の測定と、場合によっては、設定されたＣＳＩ−ＲＳにより評価される複数のチャネルのすべてまたはサブセットを組み合せることによって得られる、実効的なチャネルのチャネル状態情報（ＣＳＩ）を測定する、集約された測定とがありうる。状況に依存して、所与のサブフレームでレポートおよび／または送信されるようにスケジュールされた１つ以上のチャネル状態情報（ＣＳＩ）レポートがあってもよい。衝突するチャネル状態情報（ＣＳＩ）レポートは、単一のＣＳＩ−ＲＳに対応する同じ測定に属することもあり、複数の異なるＣＳＩ−ＲＳに、あるいは集約された測定（例えば、複数の異なるＣＳＩ−ＲＳによって評価されるチャネルの組み合わせについて行われるチャネル状態情報測定、または、複数のポイントから送信されるある１つのＣＳＩ−ＲＳのＣＳＩ測定）に属することもある。従って、衝突解決に関する様々なシステムおよび方法が本明細書に記載されることになろう。
【００５０】
チャネル状態情報（ＣＳＩ）レポート衝突解決モジュール１６０は、同じサービングセルにおけるチャネル状態情報（ＣＳＩ）レポート間の衝突を解決する。このコンテキスト（ＣｏＭＰ  ＣＳＩ測定）では、サービングセルがコンポーネントキャリアを指すことに留意すべきである。特に、ＣｏＭＰの一実装では、ＣＳＩ−ＲＳ１が、コンポーネントキャリア１上で端末装置（ＵＥ）のサービングセルから送信され、ＣＳＩ−ＲＳ２が、同じコンポーネントキャリア１上で異なるセルＩＤを有する端末装置（ＵＥ）の近接セルから送信される。留意すべきは、ＣＳＩ−ＲＳとセルとの間の関連付けを端末装置（ＵＥ）１０４が認識しない限り、測定およびレポーティングはかかる関連付けに捉われず、かつ透過的であろうということである。チャネル状態情報（ＣＳＩ）レポート衝突解決モジュール１６０の出力は、フィードバックされることになる単一のチャネル状態情報（ＣＳＩ）レポートである。チャネル状態情報（ＣＳＩ）レポート衝突解決モジュール１６０は、レポーティング・タイプ、レポーティング設定および／またはサービングセル・インデックスのような、様々な優先度付けに基づいて衝突を解決する。チャネル状態情報（ＣＳＩ）レポート衝突解決モジュール１６０は、異なるサービングセル、または異なるコンポーネントキャリアからのチャネル状態情報（ＣＳＩ）レポート間の衝突も解決する。かくして、衝突は、端末装置（ＵＥ）１０４における各サービングセル内および複数のサービングセルのうちで解決される。
【００５１】
図２は、端末装置（ＵＥ）１０４のサービングセルにおけるＣＳＩ−ＲＳリソース、測定およびレポーティングの一設定を示すブロックダイアグラムである。１つ以上の対応するコンポーネントキャリア（ＣＣ）１０１（またはサービングセル）がある。例えば、コンポーネントキャリア１  １０１ａおよびコンポーネントキャリア２  １１０は、それぞれがサービングセルを表す。簡単にするために、コンポーネントキャリア１（またはサービングセル）１０１ａに関する以下の記載は、それぞれコンポーネントキャリア２（またはサービングセル）１０１ｂに適用される。
【００５２】
端末装置（ＵＥ）１０４は、それぞれＣＳＩ−ＲＳ設定１−１  １０３ａおよびＣＳＩ−ＲＳ設定１−２  １０５ａによって設定されるＣＳＩ−ＲＳ１−１  １０７ａおよびＣＳＩ−ＲＳ１−２  １０９ａを含む。図２のＣＳＩ−ＲＳ設定１０３ａおよび１０５ａは、図１に関連して考察したＣＳＩ−ＲＳ設定モジュール１５２の例である。端末装置（ＵＥ）１０４は、ＣＳＩ測定１−１  １１５ａ、ＣＳＩ測定１−２  １１９ａ、および集約（ａｇｇｒｅｇａｔｅ）チャネル状態情報（ＣＳＩ）測定１  １１７ａを含む。図２のＣＳＩ測定モジュール１１５ａ、１１７ａおよび１１９ａは、図１に関連して考察したＣＳＩ−ＲＳ測定モジュール１５４の例である。端末装置（ＵＥ）１０４は、チャネル状態情報（ＣＳＩ）レポート生成器１２９ａおよび対応するＣＳＩレポート設定１  １２７ａを含む。図２のチャネル状態情報（ＣＳＩ）レポート生成器１  １２９ａは、図１に関連して考察したＣＳＩレポート生成モジュール１５６の一部である。図２のチャネル状態情報（ＣＳＩ）レポート設定１  １２７ａは、図１に関連して考察したＣＳＩレポート設定モジュール１５８の一部である。端末装置（ＵＥ）１０４は、単一セル衝突解決モジュール１５３ａおよびマルチセル解決モジュール１５７を含む。単一セル衝突解決モジュール１５３ａおよび／またはマルチセル解決モジュール１５７は、図１に関連して考察したＣＳＩレポート衝突解決モジュール１６０の一部である。
【００５３】
端末装置（ＵＥ）１０４は、コンポーネントキャリア（ＣＣ）１（またはサービングセル）１０１ａ上で信号を受信する。信号は、チャネル状態情報参照信号（チャネル状態情報参照信号（ＣＳＩ−ＲＳ））であってもよい。コンポーネントキャリア（ＣＣ）１  １０１ａが協調マルチポイント（ＣｏＭＰ）送信を利用している場合には、複数のＣＳＩ−ＲＳが受信され、各ＣＳＩ−ＲＩは、ＵＥのサービングセルまたは近接セルに属する。例えば、ＣＳＩ−ＲＳ１−１  １０７ａおよびＣＳＩ−ＲＳ１−２  １０９ａが受信される。簡単にするために、ＣＳＩ−ＲＳ１−Ｘは、コンポーネントキャリア（ＣＣ）１  １０１ａに関するＸ番目の設定されたＣＳＩ−ＲＳを指す。従って、ＣＳＩ−ＲＳ２−２  １０９ｂは、コンポーネントキャリア２  １０１ｂに関する第２の設定されたＣＳＩ−ＲＳを指す。
【００５４】
各ＣＳＩ−ＲＳ（例えば、ＣＳＩ−ＲＳ１−１  １０７ａおよびＣＳＩ−ＲＳ１−２  １０９ａ）は、ＣＳＩ−ＲＳ設定（それぞれＣＳＩ−ＲＳ設定１−１  １０３ａおよびＣＳＩ−ＲＳ設定１−２  １０５ａ）に対応する。ＣＳＩ−ＲＳ設定は、ＣＳＩ−ＲＳ列、周期、ＣＳＩ−ＲＳが送信されるアンテナポート、およびＣＳＩ−ＲＳシンボルにより占有されたリソース要素のパターンを含み、ｅＮｏｄｅ  Ｂ１０２によって設定される。ＣＳＩ−ＲＳ設定は、受信したＣＳＩ−ＲＳ（例えば、ＣＳＩ−ＲＳ１−１  １０７ａおよびＣＳＩ−ＲＳ１−２  １０９ａ）の設定について端末装置（ＵＥ）１０４に通知する。例えば、ＣＳＩ−ＲＳ１−１  １０７ａは、ｅＮｏｄｅ  Ｂ１０２によってＣＳＩ−ＲＳ１−１に示されるような周期およびリソース要素パターンに従って送信される。加えて、１つのサービングセルおよび１つ以上の近接セルを含んだ、複数のｅＮｏｄｅ  Ｂ１０２または複数のセルが、同じコンポーネントキャリア（ＣＣ）１０１ａを用いる場合には、設定されたＣＳＩ−ＲＳ（例えば、ＣＳＩ−ＲＳ１−１  １０７ａおよびＣＳＩ−ＲＳ１−２  １０９ａ）ごとに、端末装置（ＵＥ）１０４は、ｅＮｏｄｅ  Ｂ１０２からＲＲＣシグナリングを通じてＣＳＩ−ＲＳ設定（例えば、ＣＳＩ−ＲＳ設定１−１  １０３ａおよびＣＳＩ−ＲＳ設定１−２  １０５ａ）を受信して、チャネル状態情報の測定、同期および／または復調を行うために、このＣＳＩ−ＲＳ設定（例えば、ＣＳＩ−ＲＳ設定１−１  １０３ａおよびＣＳＩ−ＲＳ設定１−２  １０５ａ）を受信信号（例えば、ＣＳＩ−ＲＳ１−１  １０７ａおよびＣＳＩ−ＲＳ設定１−２  １０９ａ）に適用する。
【００５５】
一構成において、各チャネル状態情報参照信号（ＣＳＩ−ＲＳ）１−１  １０７ａ、１−２  １０９ａは、それぞれが専用のチャネル状態情報（ＣＳＩ）レポート設定を有する。このことは、図４に記載される。別の構成では、各ＣＳＩ参照信号（ＣＳＩ−ＲＳ）１−１  １０７ａ、１−２  １０９ａが単一のチャネル状態情報（ＣＳＩ）レポート設定１  １２７ａを共有してもよい。
【００５６】
端末装置（ＵＥ）１０４は、各コンポーネントキャリア１０１ａで送信されるＣＳＩ−ＲＳ（例えば、ＣＳＩ−ＲＳ１−１  １０７ａおよびＣＳＩ−ＲＳ１−２  １０９ａ）ごとにチャネル状態情報（ＣＳＩ）を測定する。結果として、ＣＳＩ測定結果１−１  １１５ａおよびＣＳＩ測定結果１−２  １１９ａを取得するためにＣＳＩ−ＲＳ１−１  １０７ａおよびＣＳＩ−ＲＳ１−２  １０９ａが測定される。集約されたチャネル（ａｇｇｒｅｇａｔｅｄ  ｃｈａｎｎｅｌ）のチャネル状態情報を測定することによって、集約チャネル状態情報（ＣＳＩ）測定結果１  １１７ａも取得される。集約されたチャネルを測定するために、端末装置（ＵＥ）１０４は、組み合わされたチャネルを仮定し、このチャネルは、複数の設定されたＣＳＩ−ＲＳからの受信信号を端末装置（ＵＥ）１０４で重ね合わせる（例えば、加算する）ことによって算出される。集約されたチャネルは、設定されたＣＳＩ−ＲＳのすべてまたはサブセットの重ね合わせによって導出される。集約されたチャネル状態情報は、集約されたチャネルがあると端末装置（ＵＥ）１０４が仮定して、複数のＣＳＩ−ＲＳを用いて測定される。留意すべきは、集約されたチャネル状態情報（ＣＳＩ）を測定するために専用のＣＳＩ−ＲＳを割り当てることにより、ＣＳＩ−ＲＳ１−１  １０７ａおよびＣＳＩ−ＲＳ１−２  １０９ａとは独立して集約ＣＳＩ測定結果１  １１７ａが取得されることである。これには集約されたＣＳＩ測定１  １１７ａに専用の別個のＣＳＩ−ＲＳ設定が必要とされる。各チャネル状態情報（ＣＳＩ）測定は、チャネル品質インジケータ（ＣＱＩ）、プリコーディング・マトリックス・インジケータ（ＰＭＩ：ｐｒｅｃｏｄｉｎｇ  ｍａｔｒｉｘ  ｉｎｄｉｃａｔｏｒ）、プリコーディング・タイプ・インジケータ（ＰＴＩ：ｐｒｅｃｏｄｉｎｇ  ｔｙｐｅ  ｉｎｄｉｃａｔｏｒ）、ランク・インジケータ（ＲＩ：ｒａｎｋ  ｉｎｄｉｃａｔｏｒ）などのような、チャネル状態情報（ＣＳＩ）を送ることができる。ＣＳＩ測定１−１  １１５ａ、集約ＣＳＩ測定１１７ａ、およびＣＳＩ測定１−２  １１９ａは、それぞれチャネル状態情報（ＣＳＩ）、１２１ａ、１２３ａおよび１２５ａをチャネル状態情報（ＣＳＩ）レポート生成器１２９ａへ送る。
【００５７】
チャネル状態情報（ＣＳＩ）レポート生成器１２９ａは、チャネル状態情報（ＣＳＩ）レポートを生成する。チャネル状態情報（ＣＳＩ）レポートは、Ｒｘ−ｙ−ｚのフォーマットであり、ここでｘはサービングセル・インデックスであり、ｙはＣＳＩレポート設定インデックスであり、ｚはレポート・インデックスである。従って、ｚは、サブフレームで生成されるレポートの番号を記述する。例えば、Ｒ１−１−３は、第１のサービングセルの第１のＣＳＩ−ＲＳに対応して生成された第３のレポートを指す。
【００５８】
単一のチャネル状態情報（ＣＳＩ）レポート設定１２７およびチャネル状態情報（ＣＳＩ）レポート生成器１２９だけの場合には、チャネル状態情報（ＣＳＩ）レポートは、Ｒｘ−ｚのフォーマットに作成される。例えば、チャネル状態情報（ＣＳＩ）レポート生成器１２９ａは、ＣＳＩ測定結果１−１  １１５ａ、集約ＣＳＩ測定結果１１７ａおよびＣＳＩ測定結果１−２  １１９ａに対応する３つのチャネル状態情報（ＣＳＩ）レポートＲ１−１  １３９ａ、Ｒ１−２  １４１ａおよびＲ１−３  １４３ａを生成して、それぞれチャネル状態情報（ＣＳＩ）を送る。
【００５９】
チャネル状態情報（ＣＳＩ）レポート生成器１２９ａは、ＣＳＩレポート設定１  １２７ａから指示を得る。ＣＳＩレポート設定１  １２７ａは、ｅＮｏｄｅ  Ｂ１０２によって設定される。いくつかの設定では、ＣＳＩレポート設定１  １２７は、ＣＱＩレポート設定であってもよい。
【００６０】
図２は、各コンポーネントキャリアにおける、２つのＣＳＩ−ＲＳ（例えば、１０７および１０９）、３つのＣＳＩ測定モジュール（例えば、１１５、１１７および１１９）、ならびに対応するＣＳＩレポート設定１２７をもつ１つのＣＳＩレポート生成器１２９を示す。しかし、Ｋが任意の正整数を表す場合、Ｋ個のＣＳＩ−ＲＳ、Ｋ＋ｎ個の測定モジュール（ここで、＋ｎは集約されたＣＳＩ測定モジュールの数を表す）、ならびに１、Ｋ、またはＫ＋ｎ個のＣＳＩレポート設定およびＣＳＩレポート生成器があってもよい。さらにまた、各ＣＳＩレポート生成器が対応するレポート設定を有して、ＣＳＩレポート生成器の数が１、ＫまたはＫ＋ｎ個であってもよく、Ｋ個である必要はない。
【００６１】
コンポーネントキャリア（ＣＣ）１またはサービングセル１０１ａ内で、端末装置（ＵＥ）１０４は、複数のチャネル状態情報（ＣＳＩ）レポートＲ１−１  １３９ａ、Ｒ１−２  １４１ａおよびＲ１−３  １４３ａからの衝突を単一セル衝突解決モジュール１５３ａで解決する。単一セル衝突解決モジュール１５３ａは、レポート・タイプおよび／またはレポート設定に基づく優先度を用いることによって衝突を解決する。例えば、単一セル衝突解決モジュール１５３ａがレポート設定を用いている場合、単一セル衝突解決モジュール１５３ａは、低い方のＣＳＩレポート設定インデックス（例えば、ｚ）をもつチャネル状態情報（ＣＳＩ）レポートに、高い方のＣＳＩレポート設定インデックスをもつチャネル状態情報（ＣＳＩ）レポートの高い方の優先度を与えてもよく、またはその逆であってもよい。
【００６２】
端末装置（ＵＥ）１０４が複数のコンポーネントキャリア（ＣＣ）１０１（例えば、コンポーネントキャリア１（ＣＣ）１０１ａおよびコンポーネントキャリア２（ＣＣ）１０１ｂ）を用いて構成されている場合、端末装置（ＵＥ）１０４は、マルチセル解決モジュール１５７を用いてマルチ・コンポーネントキャリア衝突を解決する。マルチセル解決モジュール１５７は、コンポーネントキャリア（ＣＣ）１０１ごとに最高チャネル状態情報（ＣＳＩ）レポート１５５ａおよび１５５ｂを受信して、最も高い優先度１５９をもつチャネル状態情報（ＣＳＩ）レポートを決定する。最も高い優先度１５９をもつチャネル状態情報（ＣＳＩ）レポートは、次にｅＮｏｄｅ  Ｂ１０２へ送信される。いくつかの場合、マルチセル解決モジュール１５７は、どのサービングセルまたはコンポーネントキャリア（ＣＣ）１０１が最も低いサービングセル・インデックスを有するかに基づいて優先度を決定する。例えば、コンポーネントキャリア１（ＣＣ）１０１ａおよびコンポーネントキャリア２  １０１ｂからのチャネル状態情報（ＣＳＩ）レポート１５５ａおよび１５５ｂが同じ優先度を有した場合には、コンポーネントキャリア１  １０１ａがコンポーネントキャリア２  １０１ｂのサービングセル・インデックス（すなわち、２）より低いサービングセル・インデックス（すなわち、１）を有するので、マルチセル解決モジュール１５７は、コンポーネントキャリア１（ＣＣ）１０１ａからのチャネル状態情報（ＣＳＩ）レポート１５５ａが最も高い優先度１５９のチャネル状態情報（ＣＳＩ）レポートであると決定するであろう。セル・インデックスおよび／またはレポート設定の優先順位は、先験的に設定されてもよく、またはｅＮｏｄｅ  Ｂにより無線リソース制御（ＲＲＣ）シグナリングを通じて設定されてもよい。
【００６３】
図３は、上りリンク制御情報（ＵＣＩ）多重を用いたワイヤレス通信システム２００を示すブロックダイアグラムである。ｅＮｏｄｅ  Ｂ２０２は、１つ以上の端末装置（ＵＥ）２０４とワイヤレス通信を行う。ｅＮｏｄｅ  Ｂ２０２は、図１に関連して記載されるｅＮｏｄｅ  Ｂ１０２の例である。ｅＮｏｄｅ  Ｂ２０２は、協調マルチポイント（ＣｏＭＰ）システムの一部である。例として、ｅＮｏｄｅ  Ｂ２０２は、サービングｅＮｏｄｅ  Ｂ１０２ａまたは協力ｅＮｏｄｅ  Ｂ１０２ｂであってもよい。
【００６４】
端末装置（ＵＥ）２０４は、図１に関連して記載される端末装置（ＵＥ）１０４の例である。例えば、端末装置（ＵＥ）２０４は、上りリンク・チャネル情報（ＵＣＩ）レポーティング・モジュール２１４を含む。ＵＣＩレポーティング・モジュール２１４は、ＣＳＩレポート２３６およびチャネル状態情報（ＣＳＩ）２４１を含む。図３のＵＣＩレポーティング・モジュール２１４は、図１のＣＳＩモジュール１５０の一例であっても、および／またはそれを含んでもよい。例えば、図１のＣＳＩレポート生成モジュール１５６が図３のＣＳＩレポート２３６を生成してもよい。
【００６５】
端末装置（ＵＥ）２０４は、１つ以上の物理アンテナ２９９ａ〜ｎによって実現される、１つ以上のアンテナポートを用いてｅＮｏｄｅ  Ｂ２０２と通信する。端末装置（ＵＥ）２０４は、トランシーバ２１７、デコーダ２２７、エンコーダ２３１および操作モジュール２３３を含む。トランシーバ２１７は、受信機２１９および送信機２２３を含む。受信機２１９は、１つ以上の物理アンテナ２９９ａ〜ｎによって実現される、１つ以上のアンテナポートを用いてｅＮｏｄｅ  Ｂ２０２から信号を受信する。例えば、受信機２１９は、受信信号を受信し、復調器２２１を用いてこれを復調する。送信機２２３は、１つ以上の物理アンテナ２９９ａ〜ｎによって実現される、１つ以上のアンテナポートを用いてｅＮｏｄｅ  Ｂ２０２へ信号を送信する。例えば、送信機２２３は、変調器２２５を用いて信号を変調して、変調信号を送信する。
【００６６】
受信機２１９は、復調信号をデコーダ２２７に供給する。端末装置（ＵＥ）２０４は、デコーダ２２７を用いて信号を復号し、下りリンク復号結果２２９を作成する。下りリンク復号結果２２９は、データが正しく受信されたかどうかを示すことができる。例えば、下りリンク復号結果２２９は、パケットが正しく、または誤って受信されたかどうか（すなわち、肯定応答、否定応答、または不連続送信（信号なし））を示す。一構成において、受信機２１９は、１つ以上の協調マルチポイント（ＣｏＭＰ）送信信号を受信する。例えば、端末装置（ＵＥ）２０４は、複数のコンポーネントキャリア１０１を含み、各コンポーネントキャリア１０１は、１つ以上の送信ポイント１１０から信号を受信する。異なる送信ポイントからコンポーネントキャリア１０１に結合されるセルは、同じセルＩＤを有する、単一のサービングセルを表してもよく、あるいは、１つのセルがサービングセルと呼ばれ、他のセルが近接セルと呼ばれる、異なるセルＩＤを有してもよい。１つのサービングセルおよび１つ以上の近接セルがある場合には、すべてのセルが単一のｅＮｏｄｅ  Ｂ１０２における、または１つより多いｅＮｏｄｅ  Ｂ１０２ａ〜ｂにおける処理であってもよいことに留意すべきである。
【００６７】
操作モジュール２３３は、端末装置（ＵＥ）２０４の通信を制御するために用いられるソフトウェアおよび／またはハードウェア・モジュールである。例えば、操作モジュール２３３は、端末装置（ＵＥ）２０４がいつｅＮｏｄｅ  Ｂ２０２と通信するためのリソースを必要とするか決定する。
【００６８】
端末装置（ＵＥ）２０４は、上りリンク制御情報（ＵＣＩ）を上りリンク上でｅＮｏｄｅ  Ｂ２０２へ送信する。上りリンク制御情報（ＵＣＩ）は、チャネル状態情報（ＣＳＩ）２４１であってもよく、チャネル品質インジケータ（ＣＱＩ）、プリコーディング・マトリックス・インジケータ（ＰＭＩ）、プリコーディング・タイプ指標（ＰＴＩ：ｐｒｅｃｏｄｉｎｇ  ｔｙｐｅ  ｉｎｄｉｃａｔｉｏｎ）、ランク指標（ＲＩ）、スケジューリング要求（ＳＲ：ｓｃｈｅｄｕｌｉｎｇ  ｒｅｑｕｅｓｔ）などを含んでもよい。
【００６９】
チャネル品質インジケータ（ＣＱＩ）は、変調方式および符号化率の組み合わせを示す。プリコーディング・マトリックス・インジケータ（ＰＭＩ）は、ＭＩＭＯ送信のプリコーディングを行うためのコードブックを示す。プリコーディング・タイプ指標（ＰＴＩ）は、プリコーディング・タイプを示す。ランク指標（ＲＩ）は、ＭＩＭＯ送信に有用な送信レイヤの数を示す。チャネル品質インジケータ（ＣＱＩ）フィードバックには、異なるタイプがある。周期的レポーティングに関しては、広帯域フィードバック（ＷＢ−ＣＱＩ）およびＵＥ選択サブバンド・フィードバック（ＵＥ−ＣＱＩ）がある。広帯域フィードバック（ＷＢ−ＣＱＩ）では、端末装置（ＵＥ）２０４は、システム帯域幅全体について１つの広帯域チャネル品質インジケータ（ＣＱＩ）値をレポートする。ＵＥ選択サブバンドフィードバック（ＵＥ−ＣＱＩ）では、端末装置（ＵＥ）２０４は、システム帯域幅全体の代わりに、いくつかのサブバンドについてチャネル品質インジケータ（ＣＱＩ）をレポートする。システム帯域幅は、表１に示されるように、Ｊ個の帯域幅部分に分割される。
【００７０】
【表１】
2015516696.tif 000003
【００７１】
一構成において、チャネル状態情報（ＣＳＩ）２４１（例えば、ＣＱＩ／ＰＭＩ／ＰＴＩ／ＲＩ）は、別々に符号化されてもよい。別の構成では、チャネル状態情報（ＣＳＩ）２４１は、一緒に符号化されてもよい。本明細書では、ＣＱＩ／ＰＭＩ／ＰＴＩ／ＲＩは、ＣＱＩおよび／またはＰＭＩおよび／またはＰＴＩおよび／またはＲＩを指す。ＣＱＩおよび／またはＰＭＩおよび／またはＰＴＩおよび／またはＲＩは、物理上りリンク制御チャネル（ＰＵＣＣＨ）のレポーティング・モードに基づいて一緒に、または独立してレポートされる。ＣＱＩ／ＰＭＩ／ＰＴＩ／ＲＩは、集合的にチャネル状態情報（ＣＳＩ）２４１と呼ばれる。チャネル状態情報（ＣＳＩ）レポートは、従ってＣＱＩ／ＰＭＩ／ＰＴＩ／ＲＩレポートを含む。
【００７２】
端末装置（ＵＥ）２０４からｅＮｏｄｅ  Ｂ２０２へのチャネル状態情報（ＣＳＩ）２４１レポーティングは、周期的または非周期的であってもよい。非周期的チャネル状態情報（ＣＳＩ）レポートは、ｅＮｏｄｅ  Ｂ２０２によって要求される。周期的チャネル状態情報（ＣＳＩ）レポートは、端末装置（ＵＥ）２０４がチャネル状態情報（ＣＳＩ）２４１を予め指定されたサブフレームでｅＮｏｄｅ  Ｂ２０２へレポートするように、ｅＮｏｄｅ  Ｂ２０２によって設定される。
【００７３】
チャネル状態情報（ＣＳＩ）レポート２３６は、上りリンク制御情報（ＵＣＩ）レポーティング・モジュール２１４によって生成されて、エンコーダ２３１の一部であるチャネル状態情報（ＣＳＩ）エンコーダ２５６へ移される。チャネル状態情報（ＣＳＩ）エンコーダ２５６は、後方互換性のある物理上りリンク制御チャネル（ＰＵＣＣＨ）フォーマットを用いて上りリンク制御情報（ＵＣＩ）を生成する。後方互換性のある物理上りリンク制御チャネル（ＰＵＣＣＨ）フォーマットとは、リリース１０の端末装置（ＵＥ）２０４ならびにリリース８／９の端末装置（ＵＥ）２０４によって用いることができるフォーマットである。
【００７４】
チャネル状態情報（ＣＳＩ）レポート２３６は、アンテナポートの数も含む。例えば、チャネル状態情報（ＣＳＩ）レポート２３６が８つのアンテナポート、４つのアンテナポート、または２つのアンテナポートに対応することもある。チャネル状態情報（ＣＳＩ）レポート２３６は、チャネル状態情報（ＣＳＩ）レポート２３６の対応するコンポーネントキャリア（ＣＣ）２０８（またはセル２８５）をさらに含む。これは、チャネル状態情報（ＣＳＩ）選択モジュール２５７が、上位レイヤ２１８によってシグナリングされる無線リソース制御（ＲＲＣ）に基づく優先度付けを用いて、チャネル状態情報（ＣＳＩ）レポート２３６に優先度を付けることを可能にする。無線リソース制御（ＲＲＣ）に基づく優先度付けは、コンポーネントキャリア（ＣＣ）２０８の優先順位（例えば、ＣＣ１＞ＣＣ２＞ＣＣ３）を指定する、所定のコンポーネントキャリア（ＣＣ）２０８優先度付けルールを指す。
【００７５】
チャネル状態情報（ＣＳＩ）レポート２３６は、優先番号をさらに含む。レポーティング・フォーマットごとに、優先番号が定義される。増加する順に、優先度が下がる（すなわち、低い優先番号の方が高い優先度を有する）。優先番号は、レポーティング・モード、（ＰＵＣＣＨレポーティング・タイプ、ＰＵＣＣＨ  ＣＳＩレポーティング・タイプ、ＣＳＩレポーティング・タイプなどとも呼ばれる）フィードバック・レポーティング・タイプ、アンテナポートの数、およびランク指標（ＲＩ）に従って定義される。
【００７６】
チャネル状態情報（ＣＳＩ）エンコーダ２５６がチャネル状態情報（ＣＳＩ）選択モジュール２５７を含んでもよい。リリース８では、端末装置（ＵＥ）２０４が物理上りリンク制御チャネル（ＰＵＣＣＨ）および物理上りリンク共有チャネル（ＰＵＳＣＨ）上で同時に送信することはない。物理上りリンク制御チャネル（ＰＵＣＣＨ）上では１つのチャネル状態情報（ＣＳＩ）レポート２３６しか送信されない。従って、チャネル状態情報（ＣＳＩ）選択モジュール２５７が物理上りリンク制御チャネル（ＰＵＣＣＨ）上でどのチャネル状態情報（ＣＳＩ）レポート２３６を送信すべきかを決定するために用いられる。
【００７７】
チャネル状態情報（ＣＳＩ）選択モジュール２５７は、複数のチャネル状態情報（ＣＳＩ）レポート２３６を受信する。チャネル状態情報（ＣＳＩ）選択モジュール２５７は、次に複数のチャネル状態情報（ＣＳＩ）レポート２３６のうちから最優先チャネル状態情報（ＣＳＩ）レポート２５１を決定する。チャネル状態情報（ＣＳＩ）選択モジュール２５７は、最優先チャネル状態情報（ＣＳＩ）レポート２５１を決定するために、（ＰＵＣＣＨレポーティング・モード、ＰＵＣＣＨ  ＣＳＩレポーティング・モード、ＰＵＣＣＨ  ＣＳＩレポーティング・モード、ＣＳＩレポーティング・モードなどとも呼ばれる）フィードバック・レポーティング・モード、（ＰＵＣＣＨレポーティング・タイプ、ＰＵＣＣＨ  ＣＳＩレポーティング・タイプ、ＣＳＩレポーティング・タイプなどとも呼ばれる）フィードバック・レポーティング・タイプ、アンテナポートの数、チャネル状態情報（ＣＳＩ）レポート２３６の対応するコンポーネントキャリア（ＣＣ）２０８（またはセル２８５）、および／または優先番号のうちの１つ以上を用いることができる。例えば、チャネル状態情報（ＣＳＩ）選択モジュール２５７は、フィードバック・レポーティング・モードとそれに続くフィードバック・レポーティング・タイプに基づいて、チャネル状態情報（ＣＳＩ）レポート２３６に優先度を付ける。チャネル状態情報（ＣＳＩ）選択モジュール２５７が受信して、最優先チャネル状態情報（ＣＳＩ）レポート２５１として選択しないチャネル状態情報（ＣＳＩ）レポート２３６は、次にチャネル状態情報（ＣＳＩ）選択モジュール２５７によって落とされる。
【００７８】
上りリンク制御情報（ＵＣＩ）の送信のために、物理上りリンク制御チャネル（ＰＵＣＣＨ）の１つのリソースがいずれかの衝突問題を解決する衝突解決手順を用いて割り当てられる。チャネル状態情報（ＣＳＩ）２４１の送信のスケジューリングにおける衝突の場合には、衝突解決手順は、送信に用いるリソースおよびフォーマットを決定するために用いられる。
【００７９】
チャネル状態情報（ＣＳＩ）２４１のための物理上りリンク制御チャネル（ＰＵＣＣＨ）は、ｅＮｏｄｅ  Ｂ２０２によって準静的にスケジュールされるが、物理上りリンク制御チャネル（ＰＵＣＣＨ）が下りリンク構成および送信に基づいて動的に割り当てられてもよい。上りリンク制御情報（ＵＣＩ）は、物理上りリンク制御チャネル（ＰＵＣＣＨ）を用いて送信される。
【００８０】
ロング・ターム・エボリューション（ＬＴＥ）リリース８では、各端末装置（ＵＥ）２０４との送受信のために、１つの上りリンク・コンポーネントキャリア（ＣＣ）２０６またはセル２８５、および１つの下りリンク・コンポーネントキャリア（ＣＣ）２０８またはセル２８５しか用いることができない。周期的チャネル品質インジケータ（ＣＱＩ）、周期的プリコーディング・マトリックス・インジケータ（ＰＭＩ）および周期的ランク指標（ＲＩ）のような、上りリンク制御情報（ＵＣＩ）は、物理上りリンク制御チャネル（ＰＵＣＣＨ）上で送ることができる。物理上りリンク制御チャネル（ＰＵＣＣＨ）は、各スロットで１つのリソースブロック（ＲＢ）を占有する。従って、物理上りリンク制御チャネル（ＰＵＣＣＨ）上で極めて限られた情報量しか送ることができない。
【００８１】
３ＧＰＰのリリース８、リリース９およびリリース１０では、各端末装置（ＵＥ）２０４が非ゼロ電力の１つのセル固有のＣＳＩ−ＲＳを用いて構成される。各ＣＳＩ−ＲＳ設定は、参照信号列、参照信号の送信の周期、参照信号の送信に割り当てられるリソース要素、および参照信号の送信に割り当てられるアンテナポートを決定する。加えて、各端末装置（ＵＥ）２０４のレポーティング・パラメータは、ＵＥに固有なように設定される。レポーティング設定は、各ＣＳＩ測定（例えば、ＣＱＩ／ＰＭＩ／ＰＴＩ／ＲＩ）の周期を決定する。
【００８２】
３ＧＰＰ  ＬＴＥリリース１０（ＬＴＥ−ＡまたはアドバンストＥＵＴＲＡＮ）では、キャリアアグリゲーションが導入された。キャリアアグリゲーションは、セルアグリゲーションとも呼ばれる。キャリアアグリゲーションは、上りリンクでも下りリンクで５つまでのコンポーネントキャリア（ＣＣ）２０６、２０８を用いてサポートされる。各コンポーネントキャリア（ＣＣ）２０６、２０８またはセル２８５は、２１０リソースブロックまで（すなわち、２０メガヘルツ（ＭＨｚ）まで）の送信帯域幅を有する。キャリアアグリゲーションでは、１００メガヘルツ（ＭＨｚ）までのさらに広い送信帯域幅をサポートするために、２つ以上のコンポーネントキャリア（ＣＣ）２０６、２０８が集約される。端末装置（ＵＥ）２０４は、端末装置（ＵＥ）２０４のケイパビリティに依存して、１つまたは複数のコンポーネントキャリア（ＣＣ）２０６、２０８上で同時に受信および／または送信を行うことができる。
【００８３】
加えて、リリース１０では各コンポーネントキャリア（ＣＣ）２０８またはセルの周期的ＣＳＩ（例えば、ＣＱＩ／ＰＭＩ／ＰＴＩ／ＲＩ）２４１の循環的なレポーティングがサポートされる。従って、リリース８に見られるのと同じ周期的チャネル状態情報（ＣＳＩ）２４１を用いることができる。言い換えれば、コンポーネントキャリア（ＣＣ）２０８またはセル２８５のＣＱＩ／ＰＭＩ／ＰＴＩ／ＲＩレポーティングのために、フォーマット２またはフォーマット３に基づく物理上りリンク制御チャネル（ＰＵＣＣＨ）プロトコルを用いることができる。
【００８４】
ｅＮｏｄｅ  Ｂ２０２は、多数のセルの集中スケジューリングを行うことができる。物理的な情報送信は、１つの送信ポイント（ＴＰ）１１０または多くのＴＰ１１０ａ〜ｃから発生してもよい。異なるＴＰ１１０ａ〜ｃが異なるキャリア２０６（またはセル２８５）の下りリンク２０８で情報を送信してもよい。
【００８５】
２つの異なる（地理的に離れた）ＴＰ１１０が同じキャリア２０６で同じ端末装置（ＵＥ）２０４にサービスを供する場合、これは、協調マルチポイント（ＣｏＭＰ）送信と呼ばれる。２つの異なるＴＰ１１０からの下りリンク送信は、同じセルＩＤを有しても、有さなくてもよい。それらが同じセルＩＤを有さない場合には、一方がサービングセルであり、他方が近接セルである。送信／受信ポイントがマクロセル６５７と同じセルＩＤを有するときに、すべての送信ポイントが同じセル固有参照信号（ＣＲＳ）を送信すると一般に理解されているが、異なるチャネル状態情報参照信号（ＣＳＩ−ＲＳ）を送信できる。
【００８６】
ＣｏＭＰ  ＪＴでは、プリコーディングおよび／または符号化ならびに変調方式のような送信パラメータ、ｅＮｏｄｅ  Ｂ２０２は、集約されたチャネルのチャネル状態情報（ＣＳＩ）２４１を利用できる。これは、リリース１１およびそれ以降では、複数のＣＳＩ−ＲＳ（例えば、Ｆｉｒｓｔ−ＲＳおよびＳｅｃｏｎｄ−ＲＳ）が同じコンポーネントキャリア上で送信されてもよいからである。Ｆｉｒｓｔ−ＲＳおよびＳｅｃｏｎｄ−ＲＳは、第１および第２の参照信号（ＲＳ）を指す。Ｆｉｒｓｔ−ＲＳおよびＳｅｃｏｎｄ−ＲＳのＣＳＩ−ＲＳ設定は、第１および第２の参照信号（ＲＳ）設定を指す。Ｆｉｒｓｔ−ＲＳ設定は、以前に存在した単一のＣＳＩ−ＲＳ設定、すなわち、３ＧＰＰ仕様のリリース１０を指してもよい。Ｆｉｒｓｔ−ＲＳおよびＳｅｃｏｎｄ−ＲＳは、それぞれＦｉｒｓｔ−ＲＳおよびＳｅｃｏｎｄ−ＲＳチャネル状態情報（ＣＳＩ）レポート２３６を送信するように設定される。Ｆｉｒｓｔ−ＲＳおよびＳｅｃｏｎｄ−ＲＳは、ＣＳＩ−ＲＳ設定におけるＣＳＩ−ＲＳインデックスに対応する。
【００８７】
集約された（例えば、組み合わされた、複合の、または実効的な）ＣＳＩおよびｐｅｒ−ＣＳＩ−ＲＳ（集約されない）ＣＳＩの送信を用いた、３ＧＰＰリリース１１仕様および３ＧＰＰシステムの将来リリースを有効にすると、フレキシブルなスケジューリングが可能になってシステムスループットが向上し、かつリソース活用が高まるので有益であろう。そのように、チャネル状態情報（ＣＳＩ）２４１は、適切な測定結果およびフィードバックをｅＮｏｄｅ  Ｂ２０２に与えうるように修正される必要がある。
【００８８】
３ＧＰＰリリース１０仕様におけるような、単一のレポーティング設定が用いられるときには、集約されない測定でも集約された測定でも、ＣＱＩ、ＰＭＩ、ＰＴＩおよびＲＩ測定結果は、フォーマットおよびタイプが共通である。しかしながら、ＣｏＭＰを用いたＣＳＩレポートの送信を収容するためには、追加のタイプを含める必要がある。例えば、チャネル状態情報（ＣＳＩ）２４１は、集約測定結果、例えば、集約されたチャネル品質インジケータ（ａｇｇ＿ＣＱＩ）、集約されたプリコーディング・マトリックス・インジケータ（ａｇｇ＿ＰＭＩ）、集約されたプリコーディング・タイプ・インジケータ（ａｇｇ＿ＰＴＩ）および集約されたランク・インジケータ（ａｇｇ＿ＲＩ）を含むように修正される。集約されたＣＳＩ情報は、ａｇｇ＿ＣＳＩと呼ばれる。留意すべきは、２つ以上のＴＰ１１０が下りリンク２０８送信に同じキャリアを用いるときに、ａｇｇ＿ＣＳＩが測定されることである。
【００８９】
加えて、相対位相および相対振幅のような、新しいチャネル状態情報（ＣＳＩ）２４１が追加される。相対位相および相対振幅は、それぞれＩＮＴＥＲ−ＣＳＩ−ＲＳ−ＰＨＡＳＥおよびＩＮＴＥＲ−ＣＳＩ−ＲＳ−ＡＭＰＬＩＴＵＤＥと呼ばれる。ＩＮＴＥＲ−ＣＳＩ−ＲＳ−ＰＨＡＳＥは、参照送信ポイント（ＴＰ）１１０ａ（またはチャネル状態情報参照信号（ＣＳＩ−ＲＳ））と別のＴＰ１１０ｃ（またはＣＳＩ−ＲＳ）との間の受信信号の相対位相を測定する。ＩＮＴＥＲ−ＣＳＩ−ＲＳ−ＡＭＰＬＩＴＵＤＥは、参照ＴＰまたはポイント１１０ａ（もしくはＣＳＩ−ＲＳ）および別のＴＰまたはポイント１１０ｃ（もしくはＣＳＩ−ＲＳ）からの受信信号の相対振幅を測定する。
【００９０】
単一のコンポーネントキャリア（ＣＣ）２０８（またはセル２８５）からの複数のチャネル状態情報（ＣＳＩ）レポート２３６が同じサブフレームでレポートされるようにスケジュールされているときには、衝突が生じるであろう。加えて、同じサブフレームでレポートされるようにスケジュールされた、異なるコンポーネントキャリア（ＣＣ）２０６からの異なるタイプのチャネル状態情報（ＣＳＩ）２４１も、衝突を起こすであろう。言い換えれば、送信のための複数の上りリンク制御情報（ＵＣＩ）要素を有する端末装置（ＵＥ）２０４は、衝突を経験するであろう。いくつかの衝突解決手順は、３ＧＰＰリリース１０仕様で既に定義された。３ＧＰＰリリース１１仕様および３ＧＰＰの将来リリースでは、追加の衝突解決手順が必要とされる。例えば、協調マルチポイント（ＣｏＭＰ）送信では、新しい上りリンク制御情報（ＵＣＩ）に起因する衝突の解決を規定する必要があろう。
【００９１】
物理上りリンク制御チャネル（ＰＵＣＣＨ）が低ペイロード・サイズなので、チャネル状態情報（ＣＳＩ）レポート２３６のいくつかが衝突の間に落とされる。結果として、衝突が生じるときには、１つ以上のチャネル状態情報（ＣＳＩ）レポート２３６が落とされる（すなわち、送信されない）。それゆえに、どのチャネル状態情報（ＣＳＩ）レポート２３６を送信して、どれを落とすべきかを選択するためのシステムおよび方法を提供することが有益であろう。
【００９２】
一構成において、ＣｏＭＰに関係するＣＳＩ２４１同士の衝突解決は、非ＣｏＭＰ  ＣＳＩ同士の衝突解決のための手順に従うこともできる。しかしながら、ＣｏＭＰ送信を収容するために追加のＣＳＩ２４１要素が加えられるので、非ＣｏＭＰ法では不十分なことがある。例えば、ＩＮＴＥＲ−ＣＳＩ−ＲＳ−ＰＨＡＳＥおよびＩＮＴＥＲ−ＣＳＩ−ＲＳ−ＡＭＰＬＩＴＵＤＥは、非ＣｏＭＰ  ＣＳＩには同等のものがない。これは、ＩＮＴＥＲ−ＣＳＩ−ＲＳ−ＰＨＡＳＥおよびＩＮＴＥＲ−ＣＳＩ−ＲＳ−ＡＭＰＬＩＴＵＤＥについて他のＵＣＩとの衝突解決がまだ定義されていないためである。
【００９３】
加えて、ＣｏＭＰに関係するチャネル状態情報（ＣＳＩ）レポート２３６が非ＣｏＭＰレポートと衝突するときの衝突解決手順は、いまだに定義されていない。従って、例として、集約ＣＱＩ（ａｇｇ＿ＣＱＩ）がランク・インジケータ（ＲＩ）と衝突するときに、どのチャネル状態情報（ＣＳＩ）レポート２３６を送信して、どのチャネル状態情報（ＣＳＩ）レポート２３６を落とすべきかが、現時点では不明確である。
【００９４】
本明細書に記載されるシステムおよび方法は、複数のレポーティング設定をサポートする優先度付けの様々な方法を示す。これらの方法は、１つより多いＣＳＩレポート設定をサポートする。これは、部分的に、対応する優先度付けルールおよび手法によって可能である。例えば、ＣＳＩレポート設定インデックスに基づく優先度付けがサポートされる。さらにまた、これらの方法は、集約されたＣＱＩ、ＰＭＩ、ＰＴＩ、ＲＩ、ＩＮＴＥＲ−ＣＳＩ−ＲＳ−ＰＨＡＳＥおよびＩＮＴＥＲ−ＣＳＩ−ＲＳ−ＡＭＰＬＩＴＵＤＥのためのレポーティング・タイプをサポートする。言い換えれば、本方法は、部分的に、チャネル状態情報（ＣＳＩ）レポート２３６がＣＳＩ−ＲＳまたは集約されたＣＳＩと関連付けられるかについて優先度が付けられる。
【００９５】
加えて、各ＣＳＩレポート設定が単一のＣＳＩ−ＲＳと関連付けられる、３ＧＰＰリリース１０仕様で利用される既存の方式とは異なり、各ＣＳＩレポートが単一のＣＳＩ−ＲＳと関連付けられる必要はない。言い換えれば、各チャネル状態情報（ＣＳＩ）レポート２３６は、Ｆｉｒｓｔ−ＣＳＩ測定、Ｓｅｃｏｎｄ−ＣＳＩおよび／またはＡｇｇｒｅｇａｔｅｄ−ＣＳＩ測定のような、１つまたは複数のＣＳＩ測定と関連付けられる。さらにまた、優先度付けは、各サービングセル内で生じるだけでなく、優先度付けは、同じ端末装置（ＵＥ）１０４内に構成された複数のサービングセル間で発生してもよい。優先度付けは、また、最優先チャネル状態情報（ＣＳＩ）レポート２５１を決定するために、無線リソース制御（ＲＲＣ）シグナリングを利用する。
【００９６】
本明細書に記載されるシステムおよび方法の別の利益は、チャネル状態情報（ＣＳＩ）レポート２３６をスケジュールするための追加的な機会がｅＮｏｄｅ  Ｂ１０２に提供されることである。これによって、次にはｅＮｏｄｅ  Ｂ１０２がリソースをより効率的にスケジュールすることが可能であり、セルラーネットワークでのスペクトルのより良好な使用とユーザ経験の改善とがもたらされる。
【００９７】
一構成において、１つ以上のＣＳＩ−ＲＳ設定（例えば、Ｆｉｒｓｔ−ＲＳおよびＳｅｃｏｎｄ−ＲＳ）のそれぞれに対して１つのチャネル状態情報（ＣＳＩ）レポート２３６が用いられる。例えば、Ｆｉｒｓｔ−ＲＳは、１つのチャネル状態情報（ＣＳＩ）レポート２３６に対応し、Ｓｅｃｏｎｄ−ＲＳは、第２のチャネル状態情報（ＣＳＩ）レポート２３６に対応する。各レポートは、集約された測定結果の送信も同様にサポートする。例えば、Ｆｉｒｓｔ−ＲＳに関するチャネル状態情報（ＣＳＩ）レポート２３６は、Ｆｉｒｓｔ−ＲＳに関する測定結果ならびにＡｇｇｒｅｇａｔｅｄ−ＲＳに関する測定結果を含むことができる。
【００９８】
一構成において、集約されたＣＱＩ、ＰＭＩ、ＰＴＩおよび／またＲＩの送信のために、新しいチャネル状態情報（ＣＳＩ）レポート２３６が設定される。例えば、Ｆｉｒｓｔ−ＲＳおよびＳｅｃｏｎｄ−ＲＳの集約測定結果は、Ａｇｇｒｅｇａｔｅ−ＲＳ測定結果としてチャネル状態情報（ＣＳＩ）レポート２３６で、Ｆｉｒｓｔ−ＲＳおよびＳｅｃｏｎｄ−ＲＳ測定結果のレポートとは独立して送信される。この場合、ＩＮＴＥＲ−ＣＳＩ−ＲＳ−ＡＭＰＬＩＴＵＤＥおよびＩＮＴＥＲ−ＣＳＩ−ＲＳ−ＰＨＡＳＥ測定結果は、各ＣＳＩ−ＲＳと関連付けられたレポートで運ばれてもよい。代わりに、ＩＮＴＥＲ−ＣＳＩ−ＲＳ−ＡＭＰＬＩＴＵＤＥおよびＩＮＴＥＲ−ＣＳＩ−ＲＳ−ＰＨＡＳＥは、集約されたＣＳＩ測定結果（例えば、Ａｇｇｒｅｇａｔｅｄ−ＲＳ）と関連付けられた新しいチャネル状態情報（ＣＳＩ）レポート２３６によって運ばれてもよい。
【００９９】
端末装置（ＵＥ）２０４は、複数のコンポーネントキャリア（ＣＣ）２０８またはセル２８５を同時刻に用いてｅＮｏｄｅ  Ｂ２０２と通信する。例えば、端末装置（ＵＥ）２０４は、プライマリセル（ＰＣｅｌｌ：ｐｒｉｍａｒｙ  ｃｅｌｌ）２８５ａを用いてｅＮｏｄｅ  Ｂ２０２と通信し、一方で同時にセカンダリセル（単数または複数）（ＳＣｅｌｌ：ｓｅｃｏｎｄａｒｙ  ｃｅｌｌ）２８５ｂを用いてｅＮｏｄｅ  Ｂ２０２と通信する。同様に、ｅＮｏｄｅ  Ｂ２０２は、複数のコンポーネントキャリア（ＣＣ）２０８またはセル２８５を同時刻に用いて端末装置（ＵＥ）２０４と通信する。例えば、ｅＮｏｄｅ  Ｂ２０２は、プライマリセル（ＰＣｅｌｌ）２８５ａを用いて端末装置（ＵＥ）２０４と通信し、一方で同時にセカンダリセル（単数または複数）（ＳＣｅｌｌ）２８５ｂを用いて端末装置（ＵＥ）２０４と通信する。
【０１００】
ｅＮｏｄｅ  Ｂ２０２は、受信機２０９および送信機２１３を含んだトランシーバ２０７を含む。加えて、ｅＮｏｄｅ  Ｂ２０２は、デコーダ２０３、エンコーダ２０５および操作モジュール２９４を含む。ｅＮｏｄｅ  Ｂ２０２は、１つ以上の物理アンテナ２９７ａ〜ｎおよびその受信機２０９によって実現される、その１つ以上のアンテナポートを用いて上りリンク制御情報（ＵＣＩ）を受信する。受信機２０９は、上りリンク制御情報（ＵＣＩ）を復調するために復調器２１１を用いる。
【０１０１】
デコーダ２０３は、上りリンク制御情報（ＵＣＩ）受信モジュール２９５を含む。ｅＮｏｄｅ  Ｂ２０２は、ｅＮｏｄｅ  Ｂ２０２によって受信された上りリンク制御情報（ＵＣＩ）２９３を復号して翻訳するために（すなわち、最優先チャネル状態情報（ＣＳＩ）レポート２５１を復号して翻訳するために）、上りリンク制御情報（ＵＣＩ）受信モジュール２９５を用いる。ｅＮｏｄｅ  Ｂ２０２は、復号された上りリンク制御情報（ＵＣＩ）２９３を用いていくつかの操作を行う、例えば、端末装置（ＵＥ）２０４のためにスケジュールされた通信リソースに基づいて１つ以上のパケットを再送信する。上りリンク制御情報（ＵＣＩ）２９３は、チャネル状態情報（ＣＳＩ）２４１（例えば、ＣＱＩ／ＰＭＩ／ＰＴＩ／ＲＩ）を含む。
【０１０２】
操作モジュール２９４は、再送信モジュール２９６およびスケジューリング・モジュール２９８を含む。再送信モジュール２９６は、上りリンク制御情報（ＵＣＩ）２９３に基づいて、（もしあれば）どのパケットを再送信すべきかを決定する。スケジューリング・モジュール２９８は、通信リソース（例えば、帯域幅、時間スロット、周波数チャネル、空間チャネルなど）をスケジュールするためにｅＮｏｄｅ  Ｂ２０２によって用いられる。スケジューリング・モジュール２９８は、端末装置（ＵＥ）２０４のための通信リソースをスケジュールすべきかどうか（およびいつすべきか）を決定するために、上りリンク制御情報（ＵＣＩ）２９３を用いることができる。
【０１０３】
操作モジュール２９４は、エンコーダ２０５にデータ２０１を供給する。例えば、データ２０１は、再送信のためのパケット、および／または端末装置（ＵＥ）２０４に対するスケジューリング・グラントを含む。エンコーダ２０５は、データ２０１を符号化し、次にそれが送信機２１３に供給される。送信機２１３は、変調器２１５を用いて符号化データを変調する。送信機２１３は、１つ以上の物理アンテナ２９７ａ〜ｎによって実現される、１つ以上のアンテナポートを用いて変調データを端末装置（ＵＥ）２０４へ送信する。
【０１０４】
キャリアアグリゲーションが設定されているとき、端末装置（ＵＥ）２０４は、ネットワークと１つだけの無線リソース制御（ＲＲＣ）接続を有する。無線リソース制御（ＲＲＣ）接続の確立／再確立／ハンドオーバに際して、１つのサービングセル２８５（すなわち、プライマリセル（ＰＣｅｌｌ）２８５ａ）は、非アクセス層（ＮＡＳ：ｎｏｎ−ａｃｃｅｓｓ  ｓｔｒａｔｕｍ）モビリティ情報（例えば、トラッキングエリア識別子（ＴＡＩ：Ｔｒａｃｋｉｎｇ  Ａｒｅａ  Ｉｄｅｎｔｉｔｙ））およびセキュリティ入力を提供する。
【０１０５】
下りリンク１０８では、プライマリセル（ＰＣｅｌｌ）２８５ａに対応するコンポーネントキャリア（ＣＣ）２０８は、下りリンク・プライマリコンポーネントキャリア（ＤＬ  ＰＣＣ：ｄｏｗｎｌｉｎｋ  ｐｒｉｍａｒｙ  ｃｏｍｐｏｎｅｎｔ  ｃａｒｒｉｅｒ）２０８ａである。上りリンク１０６では、プライマリセル（ＰＣｅｌｌ）２８５ａに対応するコンポーネントキャリア（ＣＣ）２０６は、上りリンク・プライマリコンポーネントキャリア（ＵＬ  ＰＣＣ：ｕｐｌｉｎｋ  ｐｒｉｍａｒｙ  ｃｏｍｐｏｎｅｎｔ  ｃａｒｒｉｅｒ）２０６ａである。端末装置（ＵＥ）２０４のケイパビリティに依存して、プライマリセル（ＰＣｅｌｌ）２８５ａをもつサービングセルのセットを形成するために、１つ以上のセカンダリコンポーネントキャリア（ＳＣＣ：ｓｅｃｏｎｄａｒｙ  ｃｏｍｐｏｎｅｎｔ  ｃａｒｒｉｅｒ）２０６ｂ、２０８ｂまたはセカンダリセル（ＳＣｅｌｌ）２８５ｂが構成される。下りリンク１０８では、セカンダリセル（ＳＣｅｌｌ）２８５ｂに対応するコンポーネントキャリア（ＣＣ）２０８は、下りリンク・セカンダリコンポーネントキャリア（ＤＬ  ＳＣＣ：ｄｏｗｎｌｉｎｋ  ｓｅｃｏｎｄａｒｙ  ｃｏｍｐｏｎｅｎｔ  ｃａｒｒｉｅｒ）２０８ｂである。上りリンク１０６では、セカンダリセル（ＳＣｅｌｌ）２８５ｂに対応するコンポーネントキャリア（ＣＣ）２０６は、上りリンク・セカンダリコンポーネントキャリア（ＵＬ  ＳＣＣ：ｕｐｌｉｎｋ  ｓｅｃｏｎｄａｒｙ  ｃｏｍｐｏｎｅｎｔ  ｃａｒｒｉｅｒ）２０６ｂである。複数のセルが１つの上りリンク・コンポーネントキャリア（ＣＣ）２０６を共有するので、下りリンク・コンポーネントキャリア（ＣＣ）２０８の数は、上りリンク・コンポーネントキャリア（ＣＣ）２０６の数と異なってもよい。コンポーネントキャリア（ＣＣ）とは、セルが属するキャリア周波数である。
【０１０６】
キャリアアグリゲーションが設定されている場合、端末装置（ＵＥ）２０４は、複数のサービングセル、すなわち、プライマリセル（ＰＣｅｌｌ）２８５ａおよび１つ以上のセカンダリセル（ＳＣｅｌｌ）２８５ｂを有しうる。ネットワークの視点からは、セル２８５が１つの端末装置（ＵＥ）２０４によってプライマリセル（ＰＣｅｌｌ）２８５ａとして用いられ、（示されない）別の端末装置（ＵＥ）によってセカンダリセル（ＳＣｅｌｌ）２８５ｂとして用いられてもよい。キャリアアグリゲーションが設定されていない場合、プライマリセル（ＰＣｅｌｌ）２８５ａは、単一のサービングセル動作を行う。キャリアアグリゲーションが設定されている場合には、プライマリセル（ＰＣｅｌｌ）２８５ａに加えて、１つ以上のセカンダリセル（ＳＣｅｌｌ）２８５ｂがあってもよい。
【０１０７】
キャリアアグリゲーションを用いる１つの利益は、追加の下りリンク１０８および／または上りリンク１０６データを送信できることである。追加の下りリンク・データの結果として、追加の上りリンク制御情報（ＵＣＩ）２９３が必要とされる。
【０１０８】
送信機および受信機で複数のアンテナポートを用いることにより、各サービングセル上で多数の空間チャネルが利用可能である。それゆえに、複数の符号語（２つの符号語まで）を同時に送信することができる。
【０１０９】
キャリアアグリゲーションに関する周期的チャネル状態情報（ＣＳＩ）２４１（例えば、ＣＱＩ／ＰＭＩ／ＰＴＩ／ＲＩ）レポーティングについては、コンポーネントキャリア（ＣＣ）２０６、２０８またはセル２８５ごとに、レポートのための（時間的に）異なる物理上りリンク制御チャネル（ＰＵＣＣＨ）リソースの設定がサポートされる。
【０１１０】
チャネル状態情報（ＣＳＩ）レポート２３６は、コンポーネントキャリア（ＣＣ）２０６、２０８またはセル２８５ごとに生成される。リリース１０では、５つまでの下りリンク・コンポーネントキャリア（ＣＣ）２０８（またはセル２８５）に関して周期的チャネル状態情報（ＣＳＩ）２４１レポーティングがサポートされる。
【０１１１】
チャネル状態情報（ＣＳＩ）レポート２３６は、端末装置（ＵＥ）２０４における既存のチャネル状態に基づいて、動的に伝送速度（変調方式および符号化率）を調整するようにｅＮｏｄｅ  Ｂ２０２に通知するために用いられる。例えば、チャネル状態情報（ＣＳＩ）レポート２３６は、端末装置（ＵＥ）２０４における良好なチャネル品質を示すことができる。ここで、ｅＮｏｄｅ  Ｂ２０２は、さらに高次の変調および符号化率を選択でき、それによって物理下りリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）上での下りリンク・データ送信のさらに高い伝送速度が達成される。チャネル状態情報（ＣＳＩ）レポート２３６が端末装置（ＵＥ）２０４における不十分なチャネル品質を示す場合には、ｅＮｏｄｅ  Ｂ２０２は、さらに低次の変調および符号化率を選択でき、それによって送信のさらに高い信頼性が達成される。
【０１１２】
チャネル状態情報（ＣＳＩ）レポート２３６がランク指標（ＲＩ）だけを含む場合、チャネル状態情報（ＣＳＩ）レポート２３６は、ランク指標（ＲＩ）レポートと呼ばれる。チャネル状態情報（ＣＳＩ）レポート２３６がチャネル品質インジケータ（ＣＱＩ）だけを含む場合、チャネル状態情報（ＣＳＩ）レポート２３６は、チャネル品質インジケータ（ＣＱＩ）レポートと呼ばれる。チャネル状態情報（ＣＳＩ）レポート２３６がプリコーディング・マトリックス・インジケータ（ＰＭＩ）だけを含む場合、チャネル状態情報（ＣＳＩ）レポート２３６は、プリコーディング・マトリックス・インジケータ（ＰＭＩ）レポートと呼ばれる。チャネル状態情報（ＣＳＩ）レポート２３６がプリコーディング・タイプ・インジケータ（ＰＴＩ）だけを含む場合、チャネル状態情報（ＣＳＩ）レポート２３６は、プリコーディング・タイプ・インジケータ（ＰＴＩ）レポートと呼ばれる。
【０１１３】
各チャネル状態情報（ＣＳＩ）レポート２３６は、物理上りリンク制御チャネル（ＰＵＣＣＨ）送信のための物理上りリンク制御チャネル（ＰＵＣＣＨ）レポーティング・タイプも含む。レポーティング・モードごとに、異なるレポーティング・タイプがある。チャネル状態情報（ＣＳＩ）選択モジュール２５７は、複数のチャネル状態情報（ＣＳＩ）レポート２３６を受信する。各チャネル状態情報（ＣＳＩ）レポート２３６は、サブフレームの間にｅＮｏｄｅ  Ｂ１０２へ送信されるようにスケジュールされる。従って、１つより多いチャネル状態情報（ＣＳＩ）レポート２３６が生成されるときには、チャネル状態情報（ＣＳＩ）レポート２３６が衝突することがある。
【０１１４】
チャネル状態情報（ＣＳＩ）レポート２３６が互いに衝突するとき、衝突は、チャネル状態情報（ＣＳＩ）レポート２３６に優先度を付けることによって解決される。優先度付けは、リリース１０で定義されるような内容（またはタイプ）に基づくことも、集約されたＣＳＩレポーティングをサポートし、定義されることになる新しいタイプによる内容／タイプに基づくことも、ＣＳＩ−ＲＳインデックス、周期、アンテナポートの数などを含むＣＳＩ−ＲＳリソースに基づくことも、および／または、リリース１０で定義されるようなサービングセル・インデックスに基づくこともできる。
【０１１５】
３ＧＰＰリリース１０仕様では、表２に示されるような優先度付けメカニズムが用いられる。
【０１１６】
【表２】
2015516696.tif 000004
【０１１７】
ＰＵＣＣＨレポーティング・タイプ｛１｝をもつレポートは、ＵＥ選択されたサブバンドに関するチャネル品質インジケータ（ＣＱＩ）フィードバックをサポートする。ＰＵＣＣＨレポーティング・タイプ｛１ａ｝をもつレポートは、サブバンド・チャネル品質インジケータ（ＣＱＩ）および第２プリコーディング・マトリックス・インジケータ（ＰＭＩ）フィードバックをサポートする。ＰＵＣＣＨレポーティング・タイプ｛２｝、ＰＵＣＣＨレポーティング・タイプ｛２ｂ｝またはＰＵＣＣＨレポーティング・タイプ｛２ｃ｝をもつレポートは、広帯域チャネル品質インジケータ（ＣＱＩ）およびプリコーディング・マトリックス・インジケータ（ＰＭＩ）フィードバックをサポートする。ＰＵＣＣＨレポーティング・タイプ｛２ａ｝をもつレポートは、広帯域プリコーディング・マトリックス・インジケータ（ＰＭＩ）フィードバックをサポートする。ＰＵＣＣＨレポーティング・タイプ｛３｝をもつレポートは、ランク指標（ＲＩ）フィードバックをサポートする。ＰＵＣＣＨレポーティング・タイプ｛４｝をもつレポートは、広帯域チャネル品質インジケータ（ＣＱＩ）フィードバックをサポートする。ＰＵＣＣＨレポーティング・タイプ｛５｝をもつレポートは、ランク指標（ＲＩ）および広帯域プリコーディング・マトリックス・インジケータ（ＰＭＩ）フィードバックをサポートする。ＰＵＣＣＨレポーティング・タイプ｛６｝をもつレポートは、ランク指標（ＲＩ）およびプリコーダ・タイプ指標（ＰＴＩ）フィードバックをサポートする。
【０１１８】
一構成において、１つのサービングセルのＰＵＣＣＨレポーティング・タイプ｛３｝、｛５｝または｛６｝をもつチャネル状態情報（ＣＳＩ）レポート２３６と、同じサービングセルのＰＵＣＣＨレポーティング・タイプ｛１｝、｛１ａ｝、｛２｝、｛２ａ｝、｛２ｂ｝、｛２ｃ｝または｛４｝をもつチャネル状態情報（ＣＳＩ）レポート２３６との間の衝突が生じるときに、ＰＵＣＣＨレポーティング・タイプ（タイプ｛１｝、｛１ａ｝、｛２｝、｛２ａ｝、｛２ｂ｝、｛２ｃ｝または｛４｝）をもつ後者のチャネル状態情報（ＣＳＩ）レポート２３６の方が低い優先度を有し、落とされる。言い換えれば、ＲＩを含むタイプ（タイプ｛３｝、｛５｝または｛６｝）のチャネル状態情報（ＣＳＩ）レポート２３６は、ＲＩを含まないタイプのチャネル状態情報（ＣＳＩ）レポート２３６よりも優先される。
【０１１９】
別の構成では、端末装置（ＵＥ）２０４が１つより多いサービングセルを用いて構成されている場合、端末装置（ＵＥ）２０４は、いずれのサブフレームでも、１つだけのサービングセルのチャネル状態情報（ＣＳＩ）レポート２３６を送信する。所与のサブフレームに関して、１つのサービングセルのＰＵＣＣＨレポーティング・タイプ｛２ａ｝、｛３｝、｛５｝または｛６｝をもつチャネル状態情報（ＣＳＩ）レポート２３６と、別のサービングセルのＰＵＣＣＨレポーティング・タイプ｛１｝、｛１ａ｝、｛２ａ｝、｛２ｂ｝、｛２ｃ｝または｛４｝をもつチャネル状態情報（ＣＳＩ）レポート２３６との衝突の場合には、ＰＵＣＣＨレポーティング・タイプ（タイプ｛１｝、｛１ａ｝、｛２ａ｝、｛２ｂ｝、｛２ｃ｝または｛４｝）をもつ後者のＣＳＩの方が低い優先度を有し、落とされる。
【０１２０】
別の構成では、所与のサブフレームに関して、１つのサービングセルのＰＵＣＣＨレポーティング・タイプ｛２｝、｛２ｂ｝、｛２ｃ｝または｛４｝をもつチャネル状態情報（ＣＳＩ）レポート２３６と、別のサービングセルのＰＵＣＣＨレポーティング・タイプ｛１｝または｛１ａ｝をもつチャネル状態情報（ＣＳＩ）レポート２３６との間の衝突が生じる場合には、ＰＵＣＣＨレポーティング・タイプ｛１｝または｛１ａ｝をもつ後者のチャネル状態情報（ＣＳＩ）レポート２３６の方が低い優先度を有し、落とされる。
【０１２１】
さらに別の構成では、所与のサブフレームに関して、同じ優先度のＰＵＣＣＨレポーティング・タイプをもつ異なるサービングセルのチャネル状態情報（ＣＳＩ）レポート２３６間の衝突が生じる場合には、低い方か、または最も低いサービングセル・インデックス（すなわち、ＳｅｒｖＣｅｌｌＩｎｄｅｘ）をもつサービングセルのチャネル状態情報（ＣＳＩ）レポート２３６がレポートされ、すべての他のサービングセルのチャネル状態情報（ＣＳＩ）レポート２３６は落とされる。
【０１２２】
複数のＣＳＩ−ＲＳおよび集約されたＣＳＩを収容するために、ＰＵＣＣＨレポーティング・タイプの変形形態が利用される。例えば、下の表３は、複数のＣＳＩ−ＲＳおよび集約されたＣＳＩを収容するための新しいタイプに用いられる一例を示す。下の表３は、ＩＮＴＥＲ−ＣＳＩ−ＲＳ−ＰＨＡＳＥおよびＩＮＴＥＲ−ＣＳＩ−ＲＳ−ＡＭＰＬＩＴＵＤＥタイプがどのようにレポートされるかも示す。多くの他の変形形態を用いてもよい。
【０１２３】
表３は、Ｆｉｒｓｔ−ＲＳ、Ｓｅｃｏｎｄ−ＲＳおよび／またはＡｇｇｒｅｇａｔｅｄ−ＲＳレポートを可能にするＰＵＣＣＨレポーティング・タイプ（または内容）も示す。加えて、Ａｇｇｒｅｇａｔｅｄ−ＲＳは、集約されたチャネル状態情報（ＣＳＩ）レポート２３６に関する設定および／または測定結果を含む。
【０１２４】
Ｓｅｃｏｎｄ−ＲＳおよび／またはＡｇｇｒｅｇａｔｅｄ−ＲＳの導入により、これらのタイプに適応するために、新しいタイプ（または内容）に基づく優先度付け手法が追加される必要がある。さらにまた、追加のサービングセルの導入に伴い、かつサービングセル当り１つのレポートしかないので、各チャネル状態情報（ＣＳＩ）レポート２３６の内容（またはタイプ）は、そのレポートがＣＳＩ−ＲＳ（すなわち、Ｆｉｒｓｔ−ＲＳおよびＳｅｃｏｎｄ−ＲＳ）に関することを識別しなければならない。代わりに、チャネル状態情報（ＣＳＩ）レポート２３６は、チャネル状態情報（ＣＳＩ）レポート２３６が集約されたＣＳＩであるかどうかを識別しなければならない。表３では、現行タイプへの修正が太字で示される。
【０１２５】
【表３】
2015516696.tif 000005
【０１２６】
ＰＵＣＣＨレポーティング・タイプ｛１｝をもつレポートは、Ｆｉｒｓｔ−ＲＳ  ＵＥ選択サブバンドに関するチャネル品質インジケータ（ＣＱＩ）フィードバックをサポートする。ＰＵＣＣＨレポーティング・タイプ｛１ａ｝をもつレポートは、Ｆｉｒｓｔ−ＲＳサブバンド・チャネル品質インジケータ（ＣＱＩ）およびＦｉｒｓｔ−ＲＳ第２プリコーディング・マトリックス・インジケータ（ＰＭＩ）フィードバックをサポートする。ＰＵＣＣＨレポーティング・タイプ｛１ｂ’｝をもつレポートは、Ｓｅｃｏｎｄ−ＲＳ  ＵＥ選択サブバンドに関するチャネル品質インジケータ（ＣＱＩ）フィードバックをサポートする。ＰＵＣＣＨレポーティング・タイプ｛１ｃ’｝をもつレポートは、Ｓｅｃｏｎｄ−ＲＳサブバンド・チャネル品質インジケータ（ＣＱＩ）およびＳｅｃｏｎｄ−ＲＳ第２プリコーディング・マトリックス・インジケータ（ＰＭＩ）フィードバックをサポートする。ＰＵＣＣＨレポーティング・タイプ｛１ｄ’｝をもつレポートは、Ａｇｇｒｅｇａｔｅｄ−ＲＳ  ＵＥ選択サブバンドに関するチャネル品質インジケータ（ＣＱＩ）フィードバックをサポートする。ＰＵＣＣＨレポーティング・タイプ｛１ｅ’｝をもつレポートは、Ａｇｇｒｅｇａｔｅｄ−ＲＳサブバンド・チャネル品質インジケータ（ＣＱＩ）およびＡｇｇｒｅｇａｔｅｄ−ＲＳ第２プリコーディング・マトリックス・インジケータ（ＰＭＩ）フィードバックをサポートする。
【０１２７】
ＰＵＣＣＨレポーティング・タイプ｛２｝をもつレポートは、Ｆｉｒｓｔ−ＲＳ広帯域チャネル品質インジケータ（ＣＱＩ）およびプリコーディング・マトリックス・インジケータ（ＰＭＩ）フィードバックをサポートする。ＰＵＣＣＨレポーティング・タイプ｛２ａ｝をもつレポートは、Ｆｉｒｓｔ−ＲＳ広帯域第１プリコーディング・マトリックス・インジケータ（ＰＭＩ）フィードバックをサポートする。ＰＵＣＣＨレポーティング・タイプ｛２ｂ｝またはＰＵＣＣＨレポーティング・タイプ｛２ｃ｝をもつレポートは、Ｆｉｒｓｔ−ＲＳ広帯域チャネル品質インジケータ（ＣＱＩ）およびＦｉｒｓｔ−ＲＳ第２プリコーディング・マトリックス・インジケータ（ＰＭＩ）フィードバックをサポートする。ＰＵＣＣＨレポーティング・タイプ｛２ｃ｝をもつレポートは、Ｆｉｒｓｔ−ＲＳ第１プリコーディング・マトリックス・インジケータ（ＰＭＩ）フィードバックもサポートする。ＰＵＣＣＨレポーティング・タイプ｛２ｄ’｝をもつレポートは、Ｓｅｃｏｎｄ−ＲＳ広帯域プリコーディング・マトリックス・インジケータ（ＰＭＩ）フィードバックをサポートする。ＰＵＣＣＨレポーティング・タイプ｛２ｅ’｝をもつレポートは、Ａｇｇｒｅｇａｔｅｄ−ＲＳ広帯域プリコーディング・マトリックス・インジケータ（ＰＭＩ）フィードバックをサポートする。ＰＵＣＣＨレポーティング・タイプ｛２ｆ’｝をもつレポートは、Ｆｉｒｓｔ−ＲＳ広帯域プリコーディング・マトリックス・インジケータ（ＰＭＩ）およびＳｅｃｏｎｄ−ＲＳ広帯域プリコーディング・マトリックス・インジケータ（ＰＭＩ）フィードバックをサポートする。
【０１２８】
ＰＵＣＣＨレポーティング・タイプ｛３｝をもつレポートは、Ｆｉｒｓｔ−ＲＳランク指標（ＲＩ）フィードバックをサポートする。ＰＵＣＣＨレポーティング・タイプ｛３ａ’｝をもつレポートは、Ｓｅｃｏｎｄ−ＲＳランク指標（ＲＩ）フィードバックをサポートする。ＰＵＣＣＨレポーティング・タイプ｛３ｂ’｝をもつレポートは、Ａｇｇｒｅｇａｔｅｄ−ＲＳランク指標（ＲＩ）フィードバックをサポートする。ＰＵＣＣＨレポーティング・タイプ｛３ｃ’｝をもつレポートは、Ｆｉｒｓｔ−ＲＳランク指標（ＲＩ）フィードバック、Ｓｅｃｏｎｄ−ＲＳランク指標（ＲＩ）およびＡｇｇｒｅｇａｔｅｄ−ＲＳランク指標（ＲＩ）フィードバックをサポートする。
【０１２９】
ＰＵＣＣＨレポーティング・タイプ｛４｝をもつレポートは、Ｆｉｒｓｔ−ＲＳ広帯域チャネル品質インジケータ（ＣＱＩ）フィードバックをサポートする。ＰＵＣＣＨレポーティング・タイプ｛４ａ’｝をもつレポートは、Ｓｅｃｏｎｄ−ＲＳ広帯域チャネル品質インジケータ（ＣＱＩ）フィードバックをサポートする。ＰＵＣＣＨレポーティング・タイプ｛４ｂ’｝をもつレポートは、Ａｇｇｒｅｇａｔｅｄ−ＲＳ広帯域チャネル品質インジケータ（ＣＱＩ）フィードバックをサポートする。ＰＵＣＣＨレポーティング・タイプ｛４ｃ’｝をもつレポートは、Ｆｉｒｓｔ−ＲＳ広帯域チャネル品質インジケータ（ＣＱＩ）、Ｓｅｃｏｎｄ−ＲＳ広帯域チャネル品質インジケータ（ＣＱＩ）およびＡｇｇｒｅｇａｔｅｄ−ＲＳ広帯域チャネル品質インジケータ（ＣＱＩ）フィードバックをサポートする。
【０１３０】
ＰＵＣＣＨレポーティング・タイプ｛５｝をもつレポートは、Ｆｉｒｓｔ−ＲＳランク指標（ＲＩ）およびＦｉｒｓｔ−ＲＳ広帯域プリコーディング・マトリックス・インジケータ（ＰＭＩ）フィードバックをサポートする。ＰＵＣＣＨレポーティング・タイプ｛５ａ’｝をもつレポートは、Ｓｅｃｏｎｄ−ＲＳランク指標（ＲＩ）およびＳｅｃｏｎｄ−ＲＳ広帯域プリコーディング・マトリックス・インジケータ（ＰＭＩ）フィードバックをサポートする。ＰＵＣＣＨレポーティング・タイプ｛５ｂ’｝をもつレポートは、Ａｇｇｒｅｇａｔｅｄ−ＲＳランク指標（ＲＩ）およびＡｇｇｒｅｇａｔｅｄ−ＲＳ広帯域プリコーディング・マトリックス・インジケータ（ＰＭＩ）フィードバックをサポートする。ＰＵＣＣＨレポーティング・タイプ｛５ｃ’｝をもつレポートは、Ｆｉｒｓｔ−ＲＳランク指標（ＲＩ）、Ｆｉｒｓｔ−ＲＳ第１広帯域プリコーディング・マトリックス・インジケータ（ＰＭＩ）、Ｓｅｃｏｎｄ−ＲＳランク指標（ＲＩ）およびＳｅｃｏｎｄ−ＲＳ第１広帯域プリコーディング・マトリックス・インジケータ（ＰＭＩ）フィードバックをサポートする。
【０１３１】
ＰＵＣＣＨレポーティング・タイプ｛６｝をもつレポートは、Ｆｉｒｓｔ−ＲＳランク指標（ＲＩ）およびＦｉｒｓｔ−ＲＳプリコーダ・タイプ指標（ＰＴＩ）フィードバックをサポートする。ＰＵＣＣＨレポーティング・タイプ｛６ａ’｝をもつレポートは、Ｓｅｃｏｎｄ−ＲＳランク指標（ＲＩ）およびＳｅｃｏｎｄ−ＲＳプリコーダ・タイプ指標（ＰＴＩ）フィードバックをサポートする。ＰＵＣＣＨレポーティング・タイプ｛６ｂ’｝をもつレポートは、Ａｇｇｒｅｇａｔｅｄ−ＲＳランク指標（ＲＩ）およびＡｇｇｒｅｇａｔｅｄ−ＲＳプリコーダ・タイプ指標（ＰＴＩ）フィードバックをサポートする。ＰＵＣＣＨレポーティング・タイプ｛６ｃ’｝をもつレポートは、Ｆｉｒｓｔ−ＲＳランク指標（ＲＩ）、Ｆｉｒｓｔ−ＲＳプリコーダ・タイプ指標（ＰＴＩ）、Ｓｅｃｏｎｄ−ＲＳランク指標（ＲＩ）およびＳｅｃｏｎｄ−ＲＳプリコーダ・タイプ指標（ＰＴＩ）フィードバックをサポートする。
【０１３２】
ＰＵＣＣＨレポーティング・タイプ｛７｝をもつレポートは、Ａｇｇｒｅｇａｔｅｄ広帯域ＣＱＩおよびＩＮＴＥＲ−ＣＳＩ−ＲＳ−ＰＨＡＳＥフィードバックをサポートする。ＰＵＣＣＨレポーティング・タイプ｛７ａ｝をもつレポートは、ＡｇｇｒｅｇａｔｅｄサブバンドＣＱＩおよびＩＮＴＥＲ−ＣＳＩ−ＲＳ−ＰＨＡＳＥフィードバックをサポートする。ＰＵＣＣＨレポーティング・タイプ｛７ｂ｝をもつレポートは、Ｆｉｒｓｔ−ＲＳ広帯域ＣＱＩおよびＩＮＴＥＲ−ＣＳＩ−ＲＳ−ＰＨＡＳＥフィードバックをサポートする。ＰＵＣＣＨレポーティング・タイプ｛７ｃ｝をもつレポートは、Ｓｅｃｏｎｄ−ＲＳ広帯域ＣＱＩおよびＩＮＴＥＲ−ＣＳＩ−ＲＳ−ＰＨＡＳＥフィードバックをサポートする。
【０１３３】
ＰＵＣＣＨレポーティング・タイプ｛８｝をもつレポートは、Ａｇｇｒｅｇａｔｅｄ  ＰＭＩおよびＩＮＴＥＲ−ＣＳＩ−ＲＳ−ＡＭＰＬＩＴＵＤＥフィードバックをサポートする。ＰＵＣＣＨレポーティング・タイプ｛８ａ｝をもつレポートは、Ａｇｇｒｅｇａｔｅｄ広帯域ＰＭＩおよびＩＮＴＥＲ−ＣＳＩ−ＲＳ−ＡＭＰＬＩＴＵＤＥフィードバックをサポートする。ＰＵＣＣＨレポーティング・タイプ｛８ｂ｝をもつレポートは、Ｆｉｒｓｔ−ＲＳ広帯域ＰＭＩおよびＩＮＴＥＲ−ＣＳＩ−ＲＳ−ＡＭＰＬＩＴＵＤＥフィードバックをサポートする。ＰＵＣＣＨレポーティング・タイプ｛８ｃ｝をもつレポートは、Ｓｅｃｏｎｄ−ＲＳ広帯域ＰＭＩおよびＩＮＴＥＲ−ＣＳＩ−ＲＳ−ＡＭＰＬＩＴＵＤＥフィードバックをサポートする。
【０１３４】
図４は、端末装置（ＵＥ）１０４のサービングセルにおけるＣＳＩ−ＲＳリソース、測定およびレポーティングの別の設定を示すブロックダイアグラムである。図４のコンポーネントキャリア（ＣＣ）４０１、ＣＳＩ−ＲＳ１−１  ４０３、ＣＳＩ−ＲＳ１−２  ４０５、ＣＳＩ−ＲＳ１−１  ４０７、ＣＳＩ−ＲＳ１−２  ４０９、ＣＳＩ測定１−１  ４１５、集約ＣＳＩ測定４１７、ＣＳＩ測定１−２  ４１９、チャネル状態情報（ＣＳＩ）１−１  ４２１、チャネル状態情報（ＣＳＩ）Ａｇｇ−１  ４２３、チャネル状態（ＣＳＩ）１−２  ４２５、単一セル衝突解決モジュール４５３、チャネル状態情報（ＣＳＩ）最高レポート４５５およびマルチセル解決モジュール４５７は、図２の同様の構成要素１０１、１０３、１０５、１０７、１０９、１１５、１１７、１１９、１２１、１２３、１２５、１５３、１５５および１５７に対応する。加えて、図４のチャネル状態情報（ＣＳＩ）レポート生成器１−１  ４２９ａ、チャネル状態情報（ＣＳＩ）レポート生成器２−１  ４２９ｂ、チャネル状態情報（ＣＳＩ）レポート生成器１−２  ４３３ａおよびチャネル状態情報（ＣＳＩ）レポート生成器２−２  ４２９ｂは、図２のチャネル状態情報（ＣＳＩ）レポート生成器１−１  １２９ａに対応する。さらにまた、ＣＳＩレポート設定１−１  ４２７ａ、ＣＳＩレポート設定２−１  ４２７ｂ、ＣＳＩレポート設定１−２  ４３１ａおよびＣＳＩレポート設定２−２  ４３１ａは、図２のＣＳＩレポート設定１  １２７に対応する。
【０１３５】
一構成において、端末装置（ＵＥ）１０４は、各ＣＳＩ−ＲＳ（例えば、ＣＳＩ−ＲＳ１−１  ４０７ａおよびＣＳＩ−ＲＳ１−２  ４０９ａ）に対応するコンポーネントキャリア（ＣＣ）４０１ａごとに複数のチャネル状態情報（ＣＳＩ）レポート生成器１−１  ４２９ａおよび１−２  ４３３ａを利用する。各チャネル状態情報（ＣＳＩ）レポート生成器４２９ａおよび４３３ａは、それぞれ対応するＣＳＩレポート設定４２７ａおよび４３１ａを有する。例えば、チャネル状態情報（ＣＳＩ）レポート生成器１−１  ４２９ａは、ＣＳＩレポート設定１−１  ４２７ａから命令を受ける。
【０１３６】
チャネル状態情報（ＣＳＩ）レポート生成器１−１  ４２９ａは、チャネル状態情報（ＣＳＩ）レポート（例えば、Ｒ１−１−１  ４３９ａ、Ｒ１−１−２  ４４１ａ、Ｒ１−１−３  ４４３ａ）を生成する。チャネル状態情報（ＣＳＩ）レポート（例えば、Ｒ１−１−１  ４３９ａ、Ｒ１−１−２  ４４１ａ、Ｒ１−１−３  ４４３ａ）は、Ｒｘ−ｙ−ｚフォーマットであり、ここでｘはサービングセル・インデックスであり、ｙはＣＳＩレポート設定インデックスであり、ｚはレポート・インデックスである。従って、ｚは、サブフレームで生成されるレポートの番号を記述する。例えば、Ｒ１−１−３は、第１のサービングセルの第１のＣＳＩ−ＲＳに対応して生成される第３のレポートを指す。第１のレポートＲ１−１−１  ４３９ａは、ＣＳＩ−ＲＳ１−１  ４０７ａに対応する。第２のレポートＲ１−１−１  ４４１ａは、ＣＳＩ−ＲＳ１−２  ４０９ａに対応する。第３レポートＲ１−１−３  ４４３ａは、随意的であり、ＣＳＩ−ＲＳ１−１  ４０７ａおよびＣＳＩ−ＲＳ１−２  ４０９ａまたはそれらのサブセットの集約に対応する。集約チャネル状態情報（ＣＳＩ）についてレポートするために、集約チャネル状態情報（ＣＳＩ）４２３ａがチャネル状態情報（ＣＳＩ）レポート生成器１−１  ４２９ａにもチャネル状態情報（ＣＳＩ）レポート生成器１−２  ４３３ａにも送られる。
【０１３７】
チャネル状態情報（ＣＳＩ）レポート生成器１−１  ４２９ａと同様に、チャネル状態情報（ＣＳＩ）レポート生成器１−２  ４３３ａは、チャネル状態情報（ＣＳＩ）レポート（例えば、Ｒ１−２−１  ４４９ａおよびＲ１−２−２  ４５１ａ）を単一セル衝突解決モジュール４５３ａへ送る。
【０１３８】
図５は、端末装置（ＵＥ）１０４のサービングセルにおけるＣＳＩ−ＲＳリソース、測定およびレポーティングのさらに別の設定を示すブロックダイアグラムである。図５のコンポーネントキャリア（ＣＣ）５０１、ＣＳＩ−ＲＳ１−１  ５０３、ＣＳＩ−ＲＳ１−２  ５０５、ＣＳＩ−ＲＳ１−１  ５０７、ＣＳＩ−ＲＳ１−２  ５０９、ＣＳＩ測定１−１  ５１５、集約ＣＳＩ測定５１７、ＣＳＩ測定１−２  ５１９、チャネル状態情報（ＣＳＩ）１−１  ５２１、チャネル状態情報（ＣＳＩ）Ａｇｇｒｅｇａｔｅ５２３、チャネル状態情報（ＣＳＩ）１−２  ５２５、単一セル衝突解決モジュール５５３、チャネル状態情報（ＣＳＩ）最高レポート５５５およびマルチセル解決モジュール５５７は、図２の同様の構成要素１０１、１０３、１０５、１０７、１０９、１１５、１１７、１１９、１２１、１２３、１２５、１５３、１５５および１５７に対応する。加えて、図５のチャネル状態情報（ＣＳＩ）レポート生成器１−１  ５２９ａ、チャネル状態情報（ＣＳＩ）レポート生成器２−１  ５２９ｂ、チャネル状態情報（ＣＳＩ）レポート生成器１−２  ５３３ａ、チャネル状態情報（ＣＳＩ）レポート生成器２−２  ５２９ｂ、ＣＳＩレポート設定１−１  ５２７ａ、ＣＳＩレポート設定２−１  ５２７ｂ、ＣＳＩレポート設定１−２  ５３１ａ、ＣＳＩレポート設定２−２  ５３１ａならびにチャネル状態情報（ＣＳＩ）レポートＲ１−１−１  ５３９、Ｒ１−１−２  ５４１、Ｒ１−１−３  ５４３、Ｒ１−２−１  ５４９およびＲ１−２−２  ５５１は、図４に関連して記載される同様の構成要素４２９ａ、４２９ｂ、４３３ａ、４３３ｂ、４２７ａ、４２７ｂ、４３１ａ、４３１ｂ、４３９、４４１、４４３、４４９および４５１に対応する。
【０１３９】
一構成において、端末装置（ＵＥ）１０４は、コンポーネントキャリア（ＣＣ）５０１ａに関して追加の集約チャネル状態情報（ＣＳＩ）レポート生成器５２９ａを利用する。集約チャネル状態情報（ＣＳＩ）レポート生成器５２９ａは、集約ＣＳＩレポート設定５３５ａから指示を受ける。集約チャネル状態情報（ＣＳＩ）レポート生成器５２９ａは、集約チャネル状態情報（ＣＳＩ）レポートＲ１−Ａｇｇ−１  ５４５ａ、Ｒ１−Ａｇｇ−２  ５４７ａを生成して、集約チャネル状態情報（ＣＳＩ）レポートＲ１−Ａｇｇ−１  ５４５ａ、Ｒ１−Ａｇｇ−２  ５４７ａを単一セル衝突解決モジュール５５３ａへ送る。
【０１４０】
先に考察したように、集約されたＣＱＩ、ＰＭＩ、ＰＴＩ、および／またはＲＩの送信のために、新しいチャネル状態情報（ＣＳＩ）レポート２３６が設定される。一構成において、Ｆｉｒｓｔ−ＲＳ５０７ａおよびＳｅｃｏｎｄ−ＲＳ５０９ａの集約測定結果５１７ａは、Ａｇｇｒｅｇａｔｅ−ＲＳ測定結果５２３ａとしてチャネル状態情報（ＣＳＩ）レポートＲ１−Ａｇｇ−１  ５４５ａで、Ｆｉｒｓｔ−ＲＳ  Ｒ１−１−１  ５３９ａおよびＳｅｃｏｎｄ−ＲＳ  Ｒ１−２−１  ５４９ａのレポートとは独立して送信される。この場合、ＩＮＴＥＲ−ＣＳＩ−ＲＳ−ＡＭＰＬＩＴＵＤＥおよびＩＮＴＥＲ−ＣＳＩ−ＲＳ−ＰＨＡＳＥ測定結果は、各ＣＳＩ−ＲＳと関連付けられたレポートで運ばれてもよい。別の構成では、ＩＮＴＥＲ−ＣＳＩ−ＲＳ−ＡＭＰＬＩＴＵＤＥおよびＩＮＴＥＲ−ＣＳＩ−ＲＳ−ＰＨＡＳＥは、集約されたＣＳＩ測定結果５２３ａと関連付けられた新しいチャネル状態情報（ＣＳＩ）レポートＲ１−２−２  ５５１ａによって運ばれてもよい。
【０１４１】
図６は、サブフレームの間の端末装置（ＵＥ）３０４からｅＮｏｄｅ  Ｂ３０２への送信を示すブロックダイアグラムである。端末装置（ＵＥ）３０４は、物理上りリンク制御チャネル（ＰＵＣＣＨ）信号３３８を通じて物理上りリンク制御チャネル（ＰＵＣＣＨ）シンボル３２４をｅＮｏｄｅ  Ｂ３０２へ送信する。
【０１４２】
物理上りリンク制御チャネル（ＰＵＣＣＨ）シンボル３２４は、上りリンク制御情報（ＵＣＩ）３２８を含む。上りリンク制御情報（ＵＣＩ）３２８は、最優先周期的チャネル状態情報（ＣＳＩ）レポート３３６を含む。チャネル状態情報（ＣＳＩ）レポート３３６は、それぞれの下りリンク・コンポーネントキャリア（ＣＣ）２０８のチャネル状態情報（ＣＳＩ）に関連する。物理上りリンク制御チャネル（ＰＵＣＣＨ）は、１つのチャネル状態情報（ＣＳＩ）レポート３３６だけを含むことができるので、物理上りリンク制御チャネル（ＰＵＣＣＨ）シンボルは、最優先チャネル状態情報（ＣＳＩ）レポート２５１だけを含む。チャネル状態情報（ＣＳＩ）レポート３３６は、チャネル品質インジケータ（ＣＱＩ）３３０、プリコーディング・マトリックス・インジケータ（ＰＭＩ）３３２および／またはランク指標（ＲＩ）３３４を含むことができる。チャネル品質インジケータ（ＣＱＩ）３３０は、変調および符号化率を示す。プリコーディング・マトリックス・インジケータ（ＰＭＩ）３３２は、複数入力および複数出力（ＭＩＭＯ）を用いたプリコーディングのためのコードブックを示す。ランク指標（ＲＩ）３３４は、複数入力および複数出力（ＭＩＭＯ）送信に有用な送信レイヤの数である。
【０１４３】
ＣＱＩ、ＰＭＩおよびＲＩは、周期的チャネル状態情報（ＣＳＩ）レポート３３６でレポートされる。周波数選択スケジューリング・モードからの最優先チャネル品質インジケータ（ＣＱＩ）レポートは、チャネル状態情報（ＣＳＩ）レポート３３６として物理上りリンク制御チャネル（ＰＵＣＣＨ）上で送信される。周波数非選択スケジューリング・モードからの周期的チャネル状態情報（ＣＳＩ）レポート３３６も、物理上りリンク制御チャネル（ＰＵＣＣＨ）上で送信される。言い換えれば、周波数非選択スケジューリング・モードについては、周期的チャネル品質インジケータ（ＣＱＩ）フィードバックだけが必要とされる。
【０１４４】
リリース８／９では、端末装置（ＵＥ）３０４のために１つのコンポーネントキャリア（ＣＣ）２０８（またはセル２８５）しか割り当てられない。従って、１つの周期的チャネル状態情報（ＣＳＩ）レポート３３６だけが生成される（すなわち、セル２８５当り１つのコンポーネントキャリア（ＣＣ）２０８に関して、ＣＱＩおよび／またはＰＭＩおよび／またはＲＩがレポートされる）。
【０１４５】
リリース１０およびそれ以降では、端末装置（ＵＥ）３０４のために複数のコンポーネントキャリア（ＣＣ）２０８（またはセル２８５）が構成される。従って、単一のコンポーネントキャリア（ＣＣ）２０８（またはセル２８５）に対応する複数の周期的チャネル状態情報（ＣＳＩ）レポート３３６が、同じサブフレームで衝突することがある（すなわち、複数の周期的チャネル状態情報（ＣＳＩ）レポート３３６が、それらが同じサブフレームで送信されるよう強いるであろうスケジュールを有することがある）。
【０１４６】
リリース１０またはＬＴＥアドバンスト（ＬＴＥ−Ａ）における複数のコンポーネントキャリア（ＣＣ）２０８（またはセル２８５）の導入に伴い、それぞれのコンポーネントキャリア（ＣＣ）２０８（またはセル２８５）についてチャネル状態情報（ＣＳＩ）レポート３３６を報告する必要があるので、レポートすることが必要なチャネル状態情報（ＣＳＩ）量が著しく増加しかねない。しかしながら、物理上りリンク制御チャネル（ＰＵＣＣＨ）は、１つのコンポーネントキャリア（ＣＣ）２０８（またはセル２８５）に対して、１つのチャネル状態情報（ＣＳＩ）レポート３３６の送信をサポートできるに過ぎない。従って、最優先チャネル状態情報（ＣＳＩ）レポート２５１が物理上りリンク制御チャネル（ＰＵＣＣＨ）上で運ばれ、一方で残っている周期的チャネル状態情報（ＣＳＩ）レポート３３６は落とされる。異なるタイプの上りリンク制御情報（ＵＣＩ）３２８の優先度は、ｅＮｏｄｅ  Ｂ３０２によって、あるいは所定のルールによって与えられる。本明細書では所定のルールのいくつかが開示される。
【０１４７】
各コンポーネントキャリア（ＣＣ）２０８（またはセル２８５）のチャネル状態情報（ＣＳＩ）（例えば、ＣＱＩ／ＰＭＩ／ＰＴＩ／ＲＩ）２４１は、上位レイヤ２１８のシグナリングによって物理上りリンク制御チャネル（ＰＵＣＣＨ）上で周期的にスケジュールされる。ｅＮｏｄｅ  Ｂ３０２は、周期的チャネル状態情報（ＣＳＩ）レポーティングを要求する。周期的チャネル状態情報（ＣＳＩ）３３６は、周期的レポーティング・スケジュールを有する。ｅＮｏｄｅ  Ｂ１０２は、ＣＳＩ２４１の送信も要求する。かかる要求は、物理下りリンク制御チャネル（ＰＤＣＣＨ）を通じてなされる。物理上りリンク制御チャネル（ＰＵＣＣＨ）シンボル３２４は、プライマリセル（ＰＣｅｌｌ）２８５ａ上でのみ送られる。
【０１４８】
物理上りリンク制御チャネル（ＰＵＣＣＨ）シンボル３２４は、物理上りリンク制御チャネル（ＰＵＣＣＨ）シンボル３２４を送信するフォーマット３２６をさらに含む。例えば、物理上りリンク制御チャネル（ＰＵＣＣＨ）シンボル３２４は、フォーマット１／１ａ／１ｂ、フォーマット２／２ａ／２ｂ、フォーマット３／３ａ／３ｂ、またはその他の新しいフォーマットを用いて送信される。本明細書では、フォーマット１／１ａ／１ｂは、フォーマット１および／またはフォーマット１ａおよび／またはフォーマット１ｂを表す。加えて、本明細書では、フォーマット２／２ａ／２ｂは、フォーマット２および／またはフォーマット２ａおよび／またはフォーマット２ｂを表す。本明細書では、フォーマット３／３ａ／３ｂは、フォーマット３および／またはフォーマット３ａおよび／またはフォーマット３ｂを表す。
【０１４９】
物理上りリンク制御チャネル（ＰＵＣＣＨ）シンボル３２４は、物理上りリンク制御チャネル（ＰＵＣＣＨ）リソース３３７も含む。周期的ＣＳＩ２４１のための物理上りリンク制御チャネル（ＰＵＣＣＨ）リソース３３７は、フォーマット２／２ａ／２ｂを用いる上位レイヤ２１８によって周期的に予め割り当てられる。リリース１０または将来リリースでは、フォーマット３／３ａ／３ｂを用いて周期的ＣＱＩ／ＰＭＩ／ＰＴＩ／ＲＩを送信することが可能であろう。
【０１５０】
単一のコンポーネントキャリア（ＣＣ）２０８（またはセル２８５）からの複数チャネル状態情報（ＣＳＩ）レポート３３６が、同じサブフレームでレポートされるようにスケジュールされているとき、これは衝突と呼ばれる。衝突は、同じコンポーネントキャリア（ＣＣ）２０８（またはセル２８５）からの異なるタイプのチャネル状態情報（ＣＳＩ）２４１（例えば、ＣＱＩ／ＰＭＩおよびＲＩ）が、同じサブフレームでレポートされるようにスケジュールされているときにも生じうる。衝突が生じるとき、物理上りリンク制御チャネル（ＰＵＣＣＨ）が低ペイロード・サイズなので、端末装置（ＵＥ）３０４は、物理上りリンク制御チャネル（ＰＵＣＣＨ）上で送信すべき１つだけの周期的チャネル状態情報（ＣＳＩ）レポート３３６を選択する。結果として、周期的チャネル状態情報（ＣＳＩ）レポート３３６のいくつかが落とされる。
【０１５１】
図７は、端末装置（ＵＥ）４０４によって用いられるレイヤを示すブロックダイアグラムである。図７の端末装置（ＵＥ）４０４は、図１の端末装置（ＵＥ）１０４の一構成である。端末装置（ＵＥ）４０４は、無線リソース制御（ＲＲＣ）レイヤ４５０、無線リンク制御（ＲＬＣ：ｒａｄｉｏ  ｌｉｎｋ  ｃｏｎｔｒｏｌ）レイヤ４５１、媒体アクセス制御（ＭＡＣ：ｍｅｄｉｕｍ  ａｃｃｅｓｓ  ｃｏｎｔｒｏｌ）レイヤ４５２、および物理（ＰＨＹ）レイヤ４５３を含む。これらのレイヤは、上位レイヤ２１８と呼ばれる。端末装置（ＵＥ）４０４は、図７に示されない追加のレイヤを含むこともできる。
【０１５２】
図８は、最優先チャネル状態情報（ＣＳＩ）レポート２５１を決定するための方法５００のフローダイアグラムである。方法５００は、端末装置（ＵＥ）１０４によって行われる。一構成において、方法５００は、端末装置（ＵＥ）１０４上のチャネル状態情報（ＣＳＩ）選択モジュール２５７によって行われる。端末装置（ＵＥ）１０４は、１つのサービングセル上で受信した複数のＣＳＩ−ＲＳに関して、１つのサブフレームで送信されるようにスケジュールされた複数のチャネル状態情報（ＣＳＩ）レポート２３６を生成する（ステップ５０２）。従って、複数のチャネル状態情報（ＣＳＩ）レポート２３６間の衝突がありうる。
【０１５３】
優先度付けの方法の例は、レポーティング・タイプに基づく優先度付け、およびＣＳＩレポーティング設定に基づく優先度付けを含む。同じサービングセルでチャネル状態情報（ＣＳＩ）レポート２３６の衝突が生じるときに、レポーティング・タイプに基づく優先度付けが適用される。ＣＳＩレポーティング設定に基づく優先度付けが適用されてもよい。同様に、異なるサービングセルからのチャネル状態情報（ＣＳＩ）レポート２３６が衝突を起こすときに、レポーティング・タイプに基づく優先度付けが適用される。ＣＳＩレポーティング設定に基づく優先度付けが適用されてもよい。加えて、セル・インデックスに基づく優先度付けが適用されてもよい。これらの優先度付け手法は、以下にさらに詳細に考察される。
【０１５４】
端末装置（ＵＥ）１０４は、サービングセルごとに優先度付けの方法を用いて、最優先チャネル状態情報（ＣＳＩ）レポート２５１を決定する（ステップ５０６）。例えば、サービングセルに１つだけのＣＳＩ−ＲＳがある場合、端末装置（ＵＥ）１０４は、そのＣＳＩ−ＲＳに関して最優先チャネル状態情報（ＣＳＩ）レポート２５１を決定する（ステップ５０６）。サービングセルに複数のＣＳＩ−ＲＳおよび／または複数のＣＳＩレポート設定がある場合、端末装置（ＵＥ）１０４は、サービングセルにおけるＣＳＩ−ＲＳごと、またはＣＳＩレポート設定ごとに最優先チャネル状態情報（ＣＳＩ）レポート２５１を決定する（ステップ５０６）。加えて、端末装置（ＵＥ）１０４は、サービングセルにおけるＣＳＩ−ＲＳ間で、またはＣＳＩレポート設定間で最優先チャネル状態情報（ＣＳＩ）レポート２５１を決定する（ステップ５０６）。さらに、端末装置（ＵＥ）１０４は、複数のサービングセルの場合には、サービングセル間でも最優先チャネル状態情報（ＣＳＩ）レポート２５１を決定する。
【０１５５】
端末装置（ＵＥ）１０４は、次に、決定した最優先ＣＳＩレポート２５１のうちの最優先チャネル状態情報（ＣＳＩ）レポート２５１を選択する（ステップ５０８）。１つのサービングセルしかない場合には、１つだけの最優先チャネル状態情報（ＣＳＩ）レポート２５１が決定され、結果として選択される（ステップ５０８）。
【０１５６】
１つのサービングセルにおける複数のＣＳＩ−ＲＳの場合には、各ＣＳＩ−ＲＳがそれ自体の最優先ＣＳＩレポート２５１を有する。例えば、各ＣＳＩ−ＲＳの最優先チャネル状態情報（ＣＳＩ）レポート２５１は、ＣＳＩ−ＲＳ最優先チャネル状態情報（ＣＳＩ）レポートと呼ばれる。この場合、すべてのＣＳＩ−ＲＳの総合的な最優先チャネル状態情報（ＣＳＩ）レポート２５１が選択される（ステップ５０８）。総合的な最優先チャネル状態情報（ＣＳＩ）レポート２５１は、ＣＳＩ−ＲＳに関して、チャネル状態情報（ＣＳＩ）レポート２３６のうちで最も高い優先度を有するチャネル状態情報（ＣＳＩ）レポート２３６である。言い換えれば、単一のサービングセルにおける複数のＣＳＩ−ＲＳ間の最優先チャネル状態情報（ＣＳＩ）レポート２５１が、総合的な最優先チャネル状態情報（ＣＳＩ）レポート２５１として選択される（または最優先チャネル状態情報（ＣＳＩ）レポートとも呼ばれる）。
【０１５７】
１つのサービングセルにおける複数のＣＳＩレポート設定の場合には、各ＣＳＩレポート設定がそれ自体の最優先ＣＳＩレポート２５１を有する。例えば、各ＣＳＩレポート設定の最優先チャネル状態情報（ＣＳＩ）レポート２５１は、ＣＳＩ最優先チャネル状態情報（ＣＳＩ）レポートと呼ばれる。この場合、すべてのＣＳＩレポート設定の総合的な最優先チャネル状態情報（ＣＳＩ）レポート２５１が選択される（ステップ５０８）。
【０１５８】
総合的な最優先チャネル状態情報（ＣＳＩ）レポート２５１は、ＣＳＩレポート設定に関して、チャネル状態情報（ＣＳＩ）レポート２３６のうちで最も高い優先度を有するチャネル状態情報（ＣＳＩ）レポート２３６である。言い換えれば、単一のサービングセルにおける複数のＣＳＩレポート設定間の最優先チャネル状態情報（ＣＳＩ）レポート２５１が、総合的な最優先チャネル状態情報（ＣＳＩ）レポート２５１として選択される。
【０１５９】
複数のサービングセルの場合には、各サービングセルがそれ自体の最優先ＣＳＩレポート２５１を有する。例えば、すべてのサービングセルの総合的な最優先チャネル状態情報（ＣＳＩ）レポート２５１が選択される（ステップ５０８）。総合的な最優先チャネル状態情報（ＣＳＩ）レポート２５１は、複数のサービングセルに関するチャネル状態情報（ＣＳＩ）レポート２３６のうちで最も高い優先度を有するチャネル状態情報（ＣＳＩ）レポート２３６である。言い換えれば、単一のサービングセルにおける複数のＣＳＩ−ＲＳ間の最優先チャネル状態情報（ＣＳＩ）レポート２５１が、総合的な最優先チャネル状態情報（ＣＳＩ）レポート２５１として選択される。
【０１６０】
端末装置（ＵＥ）１０４は、総合的な最優先チャネル状態情報（ＣＳＩ）レポート２５１をｅＮｏｄｅ  Ｂ１０２へ送信する（ステップ５１０）。一構成において、端末装置（ＵＥ）１０４は、物理上りリンク制御チャネル（ＰＵＣＣＨ）を用いて、選択された最優先チャネル状態情報（ＣＳＩ）レポート２５１をｅＮｏｄｅ  Ｂ１０２へ送信する（ステップ５１０）。
【０１６１】
種々の優先度付け方式を用いる１つの利益は、（準静的にのみ変更できて動的にはできず、フィードバック内容を考慮に入れない）無線リソース制御（ＲＲＣ）シグナリングのみに基づく優先度付けに比較して、よりフレキシブルな優先度付け方式が可能になることである。そのうえ、種々の優先度付け方式を用いると、フィードバック・ビット数に基づく優先度付けが可能である（例えば、低ペイロード・フィードバックの方を高ペイロード・フィードバックよりも優先できて、その逆もまた同様である）。
【０１６２】
図９〜１１は、上りリンク制御情報（ＵＣＩ）３２８の送信スケジュール同士の衝突解決に利用されるシステムおよび方法に関する。例えば、図９〜１１は、単一のサービングセル内での優先度付けの選択された方法の例を提供する。言い換えれば、図９〜１１は、サービングセルごとに優先度付けの方法を用いて、最優先チャネル状態情報（ＣＳＩ）レポート２５１を決定する（ステップ５０６）ための例を提供する。
【０１６３】
図９は、上りリンク制御情報（ＵＣＩ）３２８の送信スケジュール同士の衝突解決のための方法６００のフローダイアグラムである。方法６００は、端末装置（ＵＥ）１０４によって行われる。一構成において、方法６００は、端末装置（ＵＥ）１０４上のチャネル状態情報（ＣＳＩ）選択モジュール２５７によって行われる。方法６００は、最優先チャネル状態情報（ＣＳＩ）レポート２５１を決定するために、選択された優先度付け方法を用いる１つ以上の例を含む。
【０１６４】
端末装置（ＵＥ）１０４は、１つのサービングセル上で受信した複数のＣＳＩ−ＲＳに関して、１つのサブフレームで送信されるようにスケジュールされた複数のチャネル状態情報（ＣＳＩ）レポート２３６を生成する（ステップ６０２）。従って、複数のチャネル状態情報（ＣＳＩ）レポート２３６間の衝突がありうる。
【０１６５】
優先度付けの方法は、レポーティング・タイプに基づいてもよい。言い換えれば、優先度付けの方法は、レポーティング・タイプ（または内容）の優先度に基づいて選択される。例えば、ランク・インジケータ（ＲＩ）をサポートしないレポーティング・タイプよりもサポートするレポーティング・タイプが選択される。
【０１６６】
端末装置（ＵＥ）１０４は、（ＰＵＣＣＨレポーティング・タイプ、ＰＵＣＣＨ  ＣＳＩレポーティング・タイプ、ＣＳＩレポーティング・タイプなどとも呼ばれる）ＣＳＩレポート・タイプに基づいて、ＣＳＩレポート（単数または複数）２３６に優先度を付ける（ステップ６０６）。端末装置（ＵＥ）１０４は、ＲＩをサポートするＣＳＩレポート（単数または複数）２３６の方に高い優先度を割り当てる。言い換えれば、ＲＩをサポートするチャネル状態情報（ＣＳＩ）レポート２３６は、ＲＩをサポートしないチャネル状態情報（ＣＳＩ）レポート２３６より高い優先度を割り当てられる。他の例として、表２に見られるように、ＲＩを含むタイプ（タイプ｛３｝、｛５｝または｛６｝）のチャネル状態情報（ＣＳＩ）レポート２３６は、ＲＩを含まないタイプのチャネル状態情報（ＣＳＩ）レポート２３６よりも優先される。上掲の表３に見られるように、ＲＩを含むタイプ（タイプ｛３｝、｛３ａ’｝、｛３ｂ’｝、｛３ｃ’｝、｛５｝、｛５ａ’｝、｛５ｂ’｝｛５ｃ’｝、｛６｝、｛６ａ’｝、｛６ｂ’｝または｛６ｃ’｝）のチャネル状態情報（ＣＳＩ）レポート２３６は、ＲＩを含まないタイプのチャネル状態情報（ＣＳＩ）レポート２３６より高い優先度を有する。
【０１６７】
端末装置（ＵＥ）１０４は、（ＰＵＣＣＨレポーティング・タイプ、ＰＵＣＣＨ  ＣＳＩレポーティング・タイプ、ＣＳＩレポーティング・タイプなどとも呼ばれる）他のＣＳＩレポート・タイプに基づいて、ＣＳＩレポート（単数または複数）２３６に優先度を付けることもできる。例えば、チャネル状態情報（ＣＳＩ）レポート２３６の内容がＦｉｒｓｔ−ＲＳ、Ｓｅｃｏｎｄ−ＲＳまたはＡｇｇｒｅｇａｔｅｄ−ＲＳ  ＣＳＩレポート・タイプに関することがある。一構成において、Ｆｉｒｓｔ−ＲＳに関するレポート・タイプは、Ｓｅｃｏｎｄ−ＲＳに関するレポート・タイプより高い優先度を与えられる。加えて、Ｆｉｒｓｔ−ＲＳ  ｓｅｃｏｎｄ−ＲＳに関するレポート・タイプは、Ａｇｇｒｅｇａｔｅｄ−ＲＳに関するレポート・タイプより高い優先度を与えられる。言い換えれば、Ａｇｇｒｅｇａｔｅｄ−ＲＳに関するＣＳＩレポート・タイプは、Ｆｉｒｓｔ−ＲＳおよび／またはＳｅｃｏｎｄ−ＲＳ  ＣＳＩレポート・タイプより低い優先度を与えられる。
【０１６８】
一構成において、Ａｇｇｒｅｇａｔｅｄ  ＣＳＩに関するＣＳＩレポート・タイプは、Ｆｉｒｓｔ−ＲＳおよび／またはＳｅｃｏｎｄ−ＲＳ  ＣＳＩレポート・タイプより高い優先度を与えられる。言い換えれば、Ａｇｇｒｅｇａｔｅｄ  ＣＳＩに関するレポート・タイプは、Ｆｉｒｓｔ−ＲＳに関するレポート・タイプより高い優先度を与えられる。加えて、Ｆｉｒｓｔ−ＲＳ  ｓｅｃｏｎｄ−ＲＳに関するレポート・タイプは、Ｓｅｃｏｎｄ−ＲＳレポート・タイプより高い優先度を与えられる。
【０１６９】
一構成において、端末装置（ＵＥ）１０４は、サブバンドＣＱＩをサポートするＣＳＩレポート（単数または複数）２３６よりも広帯域ＣＱＩ、広帯域ＰＭＩ、ＩＮＴＥＲ−ＣＳＩ−ＲＳ−ＰＨＡＳＥおよび／またはＩＮＴＥＲ−ＣＳＩ−ＲＳ−ＡＭＰＬＩＴＵＤＥタイプを有するＣＳＩレポート（単数または複数）２３６を優先する（ステップ６０８）。一例として、ＣＳＩレポート・タイプ｛７｝および／または｛８｝は、ＣＳＩレポート・タイプ｛１｝、｛１ａ｝、｛１ｂ’｝、｛１ｃ’｝、｛１ｄ’｝および／または｛１ｅ’｝より高い優先度を有する。言い換えれば、タイプにＲＩまたは広帯域第１ＰＭＩが含まれることが決定され、かつタイプにサブバンドＣＱＩが含まれる場合には、２つのレベルの優先度付けが必要とされる。
【０１７０】
端末装置（ＵＥ）１０４は、最優先チャネル状態情報（ＣＳＩ）レポート２５１を選択する（ステップ６１０）。１つのサービングセル内のチャネル状態情報（ＣＳＩ）レポート２３６と、同じサービングセルのチャネル状態情報（ＣＳＩ）レポート２３６との衝突がある場合、端末装置（ＵＥ）１０４は、先に説明したようなレポーティング・タイプに基づく優先度付けに基づいて、最優先チャネル状態情報（ＣＳＩ）レポート２５１を選択する（ステップ６１０）。図１０は、複数のサービングセルの場合を記載する。
【０１７１】
最優先チャネル状態情報（ＣＳＩ）レポート２５１を選択した後、端末装置（ＵＥ）１０４は、すべての非選択ＣＳＩレポート（単数または複数）２３６を落とす（ステップ６１２）。例えば、１つのサービングセルのＲＩを含むＰＵＣＣＨレポーティング・タイプをもつチャネル状態情報（ＣＳＩ）レポート２３６と、同じサービングセルのＲＩをサポートしないＰＵＣＣＨレポーティング・タイプをもつＣＳＩレポート２３６との衝突の場合には、ＲＩをサポートしないＰＵＣＣＨレポーティング・タイプをもつ後者のＣＳＩレポートの方が低い優先度を有し、落とされる。
【０１７２】
端末装置（ＵＥ）１０４は、次に総合的な最優先チャネル状態情報（ＣＳＩ）レポート２５１をｅＮｏｄｅ  Ｂ１０２へ送信する（ステップ６１４）。端末装置（ＵＥ）１０４は、物理上りリンク制御チャネル（ＰＵＣＣＨ）を用いて総合的な最優先チャネル状態情報（ＣＳＩ）レポート２５１をｅＮｏｄｅ  Ｂ１０２へ送信する（ステップ６１４）。
【０１７３】
いくつかの構成では、優先度付けの方法が１つのチャネル状態情報（ＣＳＩ）レポート２３６設定だけをサポートするという点でリリース１０と同様である。しかしながら、図９に関連して記載される優先度付け方法６００は、１つのサービングセルにおける１つより多いＣＳＩ−ＲＳのためのレポーティング・タイプを追加的にサポートする。さらにまた、優先度付け方法６００は、集約されたＣＱＩ、ＰＭＩ、ＰＴＩ、ＲＩ、ＩＮＴＥＲ−ＣＳＩ−ＲＳ−ＰＨＡＳＥおよびＩＮＴＥＲ−ＣＳＩ−ＲＳ−ＡＭＰＬＩＴＵＤＥのためのレポーティング・タイプをサポートする。言い換えれば、この優先度付け方法は、部分的に、チャネル状態情報（ＣＳＩ）レポート２３６がＣＳＩ−ＲＳか、または集約されたＣＳＩと関連付けられるかどうかに基づく。従って、図９に関連して記載される優先度付け方法の１つの利益は、既存のメカニズムとの類似性にある。この類似性によって、ハードウェア設計および実装における変更を少なくできる。しかし、この優先度付け方法は、１つより多い測定（例えば、Ｆｉｒｓｔ−ＲＳ、Ｓｅｃｏｎｄ−ＲＳおよびＡｇｇｒｅｇａｔｅｄ−ＲＳ）をサポートするという点では部分的に異なっている。
【０１７４】
図９に用いられるステップは、異なる順序で行われてもよいことに留意すべきである。例えば、優先度付けの方法が調整されてもよい。例として、端末装置（ＵＥ）１０４は、ＲＩタイプをサポートするチャネル状態情報（ＣＳＩ）レポート２３６を最初に優先し、次に、他のＣＳＩレポート・タイプ（または内容）に基づいて優先度を付けてもよい。代わりに、端末装置（ＵＥ）１０４は、ＲＩタイプ以外のＣＳＩレポート・タイプ（または内容）に基づいてチャネル状態情報（ＣＳＩ）レポート２３６に最初に優先度を付け、次に、ＲＩタイプを用いて残っているチャネル状態情報（ＣＳＩ）レポート２３６に優先度を付けて（例えば、ＲＩタイプを有するチャネル状態情報（ＣＳＩ）レポート２３６の方に高い優先度を割り当てて）もよい。加えて、端末装置（ＵＥ）１０４は、最優先チャネル状態情報（ＣＳＩ）レポート２５１が一旦得られると、優先度付けステップをスキップしてよい。言い換えれば、ＲＩタイプをサポートするチャネル状態情報（ＣＳＩ）レポート２３６に基づく優先度付けが、最優先チャネル状態情報（ＣＳＩ）レポート２５１をもたらす場合、端末装置（ＵＥ）１０４は、他のＣＳＩレポート・タイプ（または内容）に基づくチャネル状態情報（ＣＳＩ）レポート２３６の優先度付けをスキップしてよい。
【０１７５】
図１０は、上りリンク制御情報（ＵＣＩ）３２８の送信スケジュール同士の衝突解決のための別の方法７００のフローダイアグラムである。図１０は、一般に、複数のサービングセルの場合に関連している。方法７００は、端末装置（ＵＥ）１０４によって行われる。一構成において、方法７００は、端末装置（ＵＥ）１０４上のチャネル状態情報（ＣＳＩ）選択モジュール２５７によって行われる。端末装置（ＵＥ）１０４が１つより多いサービングセルを用いて構成されている場合、端末装置（ＵＥ）１０４は、いずれのサブフレームでも、１つのサービングセルのチャネル状態情報（ＣＳＩ）レポート２３６だけを送信する。この場合には、優先度付けは、レポーティング・タイプ、ならびにサービングセル・インデックスに基づく優先度のような他の手法の両方に基づいて行われる。言い換えれば、優先度付けがタイプ（または内容）に基づいて最優先チャネル状態情報（ＣＳＩ）レポート２５１を選択できないとき、優先度付けの追加のレベルが利用される。これらの追加のレベルは、セル・インデックスに基づく優先度であってもよい。例えば、チャネル状態情報（ＣＳＩ）レポート設定が用いるべき優先度方法を指定する。方法７００は、最優先チャネル状態情報（ＣＳＩ）レポート２３６を決定するために優先度付け方法を用いる１つ以上の例を含む。
【０１７６】
端末装置（ＵＥ）１０４は、１つのサービングセル上で受信した複数のＣＳＩ−ＲＳに関して、１つのサブフレームで送信されるようにスケジュールされた複数のチャネル状態情報（ＣＳＩ）レポート２３６を生成する（ステップ７０２）。従って、複数のチャネル状態情報（ＣＳＩ）レポート２３６間の衝突がありうる。
【０１７７】
端末装置（ＵＥ）１０４は、各サービングセルにおけるＣＳＩレポート・タイプに基づいてＣＳＩレポート（単数または複数）２３６に優先度を付ける（ステップ７０６）。このレポーティング・タイプに基づく優先度付けは、図９でステップ６０６に関連して考察した優先度付けステップと同様である。端末装置（ＵＥ）１０４は、最優先チャネル状態情報（ＣＳＩ）レポート２５１を選択する（ステップ７１２）。最優先チャネル状態情報（ＣＳＩ）レポート２５１を選択した後、端末装置（ＵＥ）１０４は、各サービングセルにおけるすべての非選択ＣＳＩレポート（単数または複数）２３６を落とす（ステップ７１４）。
【０１７８】
端末装置（ＵＥ）１０４は、１つより多いサービングセルを用いて構成されてもよい。しかしながら、所与のサブフレームでは１つのチャネル状態情報（ＣＳＩ）レポート２３６しか送信できない。従って、たとえ端末装置（ＵＥ）１０４がサービングセルごとに最優先チャネル状態情報（ＣＳＩ）レポート２５１を選択しても（ステップ７１２）、複数のサービングセルに関する最優先ＣＳＩレポート２５１間の衝突が依然として生じうる。
【０１７９】
ここで、端末装置（ＵＥ）１０４は、サービングセルのＣＳＩレポート２３６のうちで、ＣＳＩレポート・タイプに基づいてＣＳＩレポート（単数または複数）２３６に優先度を付ける（ステップ７１６）。このレポーティング・タイプに基づく優先度付けは、図９でステップ６０６に関連して考察した優先度付けステップと同様であるが、しかし各サーブングセルのうちでの優先度付けである。端末装置（ＵＥ）１０４は、レポーティング・タイプに基づく優先付けに基づいて、サービングセルのＣＳＩレポート２３６のうちから総合的な最優先チャネル状態情報（ＣＳＩ）レポート２５１を選択する（ステップ７１８）。所与のサブフレームに関して、１つのサービングセルのレポーティング・タイプをもつチャネル状態情報（ＣＳＩ）レポート２３６と、別のサービングセルのレポーティング・タイプをもつチャネル状態情報（ＣＳＩ）レポート２３６との間の衝突が生じる場合には、高い方の優先度のレポーティング・タイプをもつチャネル状態情報（ＣＳＩ）レポート２３６が選択され、他は落とされる（ステップ７２０）。
【０１８０】
端末装置（ＵＥ）１０４は、複数の異なるサービングセルから選択されたチャネル状態情報（ＣＳＩ）レポート２３６が同じ優先度を有するかどうかを判定する（ステップ７２２）。所与のサブフレームに関して、同じ優先度のレポーティング・タイプをもつ異なるサービングセルのチャネル状態情報（ＣＳＩ）レポート２３６間の衝突の場合には、端末装置（ＵＥ）１０４は、複数のサービングセルのＣＳＩレポート２３６のうちで、サービングセル・インデックスに基づいてＣＳＩレポート（単数または複数）２３６に優先度を付けて（ステップ７２４）、低い方か、または最も低いサービングセル・インデックス（すなわち、ＳｅｒｖＣｅｌｌＩｎｄｅｘ）をもつサービングセルのチャネル状態情報（ＣＳＩ）レポート２３６が選択される（ステップ７２６）。すべての他のサービングセルのチャネル状態情報（ＣＳＩ）レポート２３６は、落とされる（ステップ７２８）。ＳｅｒｖＣｅｌｌＩｎｄｅｘは、ＲＲＣシグナリングによって設定される。
【０１８１】
サービングセル・インデックス以外の他のパラメータを用いてもよい。例えば、複数のチャネル状態情報（ＣＳＩ）レポート２３６がある場合、端末装置（ＵＥ）１０４は、最優先チャネル状態情報（ＣＳＩ）レポート２５１を決定するために、無線リソース制御（ＲＲＣ）シグナリングによって指定される所定のコンポーネントキャリア（ＣＣ）２０８（またはセル２８５）優先度付けルールを用いてもよい。無線リソース制御（ＲＲＣ）シグナリングによって指定される優先度付けルールは、各チャネル状態情報（ＣＳＩ）レポート２３６の対応するコンポーネントキャリア（ＣＣ）２０８（またはセル２８５）２４７に基づいて、チャネル状態情報（ＣＳＩ）レポート２３６に優先度を付ける（例えば、ＣＣ１＞ＣＣ２＞ＣＣ３）。
【０１８２】
端末装置（ＵＥ）１０４がサービングセルごとに優先度付けの方法を用いて、最優先チャネル状態情報（ＣＳＩ）レポート２５１を一旦決定すると、端末装置（ＵＥ）１０４は、総合的な最優先チャネル状態情報（ＣＳＩ）レポート２５１をＰＵＣＣＨ上でｅＮｏｄｅ  Ｂ１０２へ送信する（ステップ７３０）。
【０１８３】
図１１は、上りリンク制御情報（ＵＣＩ）３２８の送信スケジュール同士の衝突解決のためのさらに別の方法８００のフローダイアグラムである。方法８００は、端末装置（ＵＥ）１０４によって行なわれる。一構成において、方法８００は、端末装置（ＵＥ）１０４上のチャネル状態情報（ＣＳＩ）選択モジュール２５７によって行なわれる。方法８００は、最優先チャネル状態情報（ＣＳＩ）レポート２５１を決定するために選択された優先度付け方法を用いる１つ以上の例を含む。
【０１８４】
端末装置（ＵＥ）１０４は、１つのサービングセル上で受信した複数のＣＳＩ−ＲＳに関して、１つのサブフレームで送信されるようにスケジュールされた複数のチャネル状態情報（ＣＳＩ）レポート２３６を生成する（ステップ８０２）。従って、複数のチャネル状態情報（ＣＳＩ）レポート２３６間の衝突がありうる。
【０１８５】
優先度付けの方法は、随意的なステップおよびレベルを含んだ、複数のステップおよび／またはレベルを伴ってもよい。例えば、優先度付けの１つのレベルは、各チャネル状態情報（ＣＳＩ）レポート２３６のレポーティング・タイプ優先度付けを含み、一方で優先度付けの別のレベルは、各チャネル状態情報（ＣＳＩ）レポート２３６のレポーティング設定優先度付けを含んでもよい。加えて、優先度付けの別のレベルは、各チャネル状態情報（ＣＳＩ）レポート２３６のセル・インデックスを含んでもよい。さらにまた、各レベルは、サービングセルごとに優先度付けの方法を用いて最優先チャネル状態情報（ＣＳＩ）レポート２５１を決定するための１つ以上のステップを含んでもよい。
【０１８６】
端末装置（ＵＥ）１０４は、各サービングセルでの各ＣＳＩレポート設定におけるＣＳＩレポート・タイプに基づいて、ＣＳＩレポート（単数または複数）２３６に優先度を付ける（ステップ８０６）。このレポーティング・タイプに基づく優先度付けは、図９でステップ６０６に関連して考察した優先度付けステップと同様である。端末装置（ＵＥ）１０４は、最優先チャネル状態情報（ＣＳＩ）レポート２５１を選択する（ステップ８１４）。最優先チャネル状態情報（ＣＳＩ）レポート２５１を選択した後、端末装置（ＵＥ）１０４は、各サービングセルにおけるすべての非選択ＣＳＩレポート（単数または複数）２３６を落とす（ステップ８１６）。
【０１８７】
端末装置（ＵＥ）１０４は、１つより多いＣＳＩレポート設定を用いて構成されてもよい。しかしながら、所与のサブフレームでは１つのチャネル状態情報（ＣＳＩ）レポート２３６しか送信できない。従って、たとえ端末装置（ＵＥ）１０４が、各サービングセルに関して、ＣＳＩレポート設定ごとに最優先チャネル状態情報（ＣＳＩ）レポート２５１を選択しても（ステップ８１４）、複数のＣＳＩレポート設定に関する最優先ＣＳＩレポート２５１間の衝突が依然として生じうる。ここで、端末装置（ＵＥ）１０４は、サービングセルのＣＳＩレポート２３６のうちで、ＣＳＩレポート・タイプに基づいてＣＳＩレポート（単数または複数）２３６に優先度を付ける（ステップ８１８）。このレポーティング・タイプに基づく優先度付けは、図９でステップ６０６に関連して考察した、各サービングセル内での、優先度付けステップと同様である。端末装置（ＵＥ）１０４は、レポーティング・タイプに基づく優先度付けに基づいて、複数のＣＳＩレポート設定のＣＳＩレポート２３６のうちから、総合的な最優先チャネル状態情報（ＣＳＩ）レポート２５１を選択する（ステップ８２０）。所与のサブフレームに関して、１つのサービングセルのレポーティング・タイプをもつチャネル状態情報（ＣＳＩ）レポート２３６と、別のサービングセルのレポーティング・タイプをもつチャネル状態情報（ＣＳＩ）レポート２３６との間の衝突が生じる場合には、高い方の優先度をもつレポーティング・タイプのチャネル状態情報（ＣＳＩ）レポート２３６が選択され、他は落とされる（ステップ８２２）。
【０１８８】
端末装置（ＵＥ）１０４は、異なるＣＳＩレポート設定から選択されたチャネル状態情報（ＣＳＩ）レポート２３６が同じ優先度を有するかどうかを判定する（ステップ８２４）。所与のサブフレームに関して、同じ優先度のレポーティング・タイプをもつ異なるＣＳＩ設定のチャネル状態情報（ＣＳＩ）レポート２３６間の衝突が生じる場合には、端末装置（ＵＥ）１０４は、ＣＳＩレポート設定のうちで、ＣＳＩ設定インデックスまたはＣＳＩ−ＲＳインデックスに基づいてＣＳＩレポート（単数または複数）２３６に優先度を付ける（ステップ８２６）。低い方か、または最も低いＣＳＩレポート設定インデックス（またはＣＳＩ−ＲＳインデックス）をもつ、サービングセルのチャネル状態情報（ＣＳＩ）レポート２３６が選択され（ステップ８２８）、すべての他のＣＳＩレポート２３６は落とされる（ステップ８３０）。ＣＳＩレポート設定のＣＳＩレポート２３６のうちでのレポーティング・タイプに基づく優先度付けを削除して、ＣＳＩレポート設定インデックス（またはＣＳＩ−ＲＳインデックス）に基づく優先度付けだけを適用してもよい。ＣＳＩレポート設定インデックスまたはＣＳＩ−ＲＳインデックスは、ＲＲＣシグナリングによって設定される。
【０１８９】
端末装置（ＵＥ）１０４は、１つより多いサービングセルを用いて構成されてもよい。しかしながら、所与のサブフレームでは１つのチャネル状態情報（ＣＳＩ）レポート２３６しか送信できない。従って、たとえ端末装置（ＵＥ）１０４がサービングセルごとに最優先チャネル状態情報（ＣＳＩ）レポート２３６を選択しても（ステップ８２８）、複数のサービングセルに関する最優先ＣＳＩレポート２５１間の衝突が依然として生じうる。
【０１９０】
ここで、端末装置（ＵＥ）１０４は、複数のサービングセルのＣＳＩレポート２３６のうちで、ＣＳＩレポート・タイプに基づいてＣＳＩレポート（単数または複数）２３６に優先度を付ける（ステップ８３２）。このレポーティング・タイプに基づく優先度付けは、図９でステップ６０６に関連して考察した、各サービングセル内での、優先度付けステップと同様である。端末装置（ＵＥ）１０４は、レポーティング・タイプに基づく優先度付けに基づいて、複数のサービングセルのＣＳＩレポート２３６のうちから総合的な最優先チャネル状態情報（ＣＳＩ）レポート２５１を選択する（ステップ８３４）。端末装置（ＵＥ）１０４は、次にすべての非選択ＣＳＩレポート（単数または複数）２３６を落とす（ステップ８３６）。
【０１９１】
所与のサブフレームに関して、１つのサービングセルのレポーティング・タイプをもつチャネル状態情報（ＣＳＩ）レポート２３６と、別のサービングセルのレポーティング・タイプをもつチャネル状態情報（ＣＳＩ）レポート２３６との間の衝突が生じる場合には、高い方の優先度のレポーティング・タイプをもつチャネル状態情報（ＣＳＩ）レポート２３６が選択され（ステップ８３４）、低い方の優先度のレポーティング・タイプをもつ他方のチャネル状態情報（ＣＳＩ）レポート２３６は落とされる（ステップ８３６）。
【０１９２】
端末装置（ＵＥ）１０４は、異なるサービングセルから選択されたチャネル状態情報（ＣＳＩ）レポート２３６が同じ優先度を有するかどうかを判定する（ステップ８３８）。所与のサブフレームに関して、同じ優先度のレポーティング・タイプをもつ異なるサービングセルのチャネル状態情報（ＣＳＩ）レポート２３６間の衝突が生じる場合には、端末装置（ＵＥ）１０４は、複数のサービングセルのＣＳＩレポート２３６のうちで、サービングセル・インデックスに基づいてＣＳＩレポート（単数または複数）２３６に優先度を付け（ステップ８４０）、低い方か、または最も低いサービングセル・インデックス（すなわち、ＳｅｒｖＣｅｌｌＩｎｄｅｘ）をもつサービングセルのチャネル状態情報（ＣＳＩ）レポート２３６が選択される（ステップ８４２）。すべての他のサービングセルのチャネル状態情報（ＣＳＩ）レポート２３６は落とされる（ステップ８４４）。ＳｅｒｖＣｅｌｌＩｎｄｅｘは、ＲＲＣシグナリングによって設定される。
【０１９３】
異なるサービングセルから選択されたＣＳＩレポート２３６が同じ優先度を有さない場合、端末装置（ＵＥ）１０４は、総合的な最優先チャネル状態情報（ＣＳＩ）レポート２５１をＰＵＣＣＨ上でｅＮｏｄｅ  Ｂ１０２へ送信する（ステップ８４６）。端末装置（ＵＥ）１０４が総合的な最優先ＣＳＩレポート２５１を一旦選択すると（ステップ８４２）、端末装置（ＵＥ）１０４は、総合的な最優先チャネル状態情報（ＣＳＩ）レポート２５１をＰＵＣＣＨ上でｅＮｏｄｅ  Ｂ１０２へ送信する（ステップ８４６）。
【０１９４】
本明細書で既に述べたように、ステップは、異なる順序で行われてもよい。加えて、ステップは、それらのステップが生じる前に最優先チャネル状態情報（ＣＳＩ）レポート２５１が選択された場合、随意的になされても、あるいは省略されてもよい。
【０１９５】
図１２は、端末装置（ＵＥ）１１０４において利用される様々なコンポーネントを示す。端末装置（ＵＥ）１１０４は、先に示された端末装置（ＵＥ）１０４として利用できる。端末装置（ＵＥ）１１０４は、端末装置（ＵＥ）１１０４の動作を制御するプロセッサ１１５４を含む。プロセッサ１１５４は、ＣＰＵとも呼ばれる。メモリ１１７４は、リードオンリメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）の両方または情報を記憶する任意のタイプのデバイスを含んでもよく、プロセッサ１１５４に命令１１５６ａおよびデータ１１５８ａを与える。メモリ１１７４の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）を含んでもよい。命令１１５６ｂおよびデータ１１５８ｂは、プロセッサ１１５４にも存在する。プロセッサ１１５４に読み込まれる命令１１５６ｂおよび／またはデータ１１５８ｂは、プロセッサ１１５４による実行または処理のために読み込まれるメモリ１１７４からの命令１１５６ａおよび／またはデータ１１５８ａも含んでよい。命令１１５６ｂは、本明細書に開示されるシステムおよび方法を実装するためにプロセッサ１１５４によって実行される。
【０１９６】
端末装置（ＵＥ）１１０４は、データの送受信を可能にするための送信機１１７２および受信機１１７３を含んだ筺体も含む。送信機１１７２および受信機１１７３は、トランシーバ１１７１に組み合わされてもよい。１つ以上のアンテナ１１０６ａ〜ｎは、筺体に取り付けられて、トランシーバ１１７１に電気的に結合される。アンテナポートは、１つ以上のアンテナによって実現される。
【０１９７】
端末装置（ＵＥ）１１０４の様々なコンポーネントは、データバスに加えて、電力バス、制御信号バス、およびステータス信号バスを含む、バスシステム１１７７によって結合される。しかしながら、明確にするために、図１２では様々なバスがバスシステム１１７７として示される。端末装置（ＵＥ）１１０４は、信号処理用のデジタル信号プロセッサ（ＤＳＰ：ｄｉｇｉｔａｌ  ｓｉｇｎａｌ  ｐｒｏｃｅｓｓｏｒ）１１７５を含んでもよい。端末装置（ＵＥ）１１０４は、端末装置（ＵＥ）１１０４の機能へのユーザ・アクセスを提供する通信インタフェース１１７６を含んでもよい。図１２に示される端末装置（ＵＥ）１１０４は、具体的なコンポーネントのリスティングではなく、機能ブロックダイアグラムである。
【０１９８】
図１３は、ｅＮｏｄｅ  Ｂ１２０２において利用される様々なコンポーネントを示す。ｅＮｏｄｅ  Ｂ１２０２は、先に示されたｅＮｏｄｅ  Ｂ１０２として利用できる。ｅＮｏｄｅ  Ｂ１２０２は、端末装置（ＵＥ）１１０４に関して先に考察したコンポーネントと同様のコンポーネントを含み、これらはプロセッサ１２７８、プロセッサ１２７８に命令１２７９ａおよびデータ１２８０ａを与えるメモリ１２８６、プロセッサ１２７８に存在するか、または読み込まれる命令１２７９ｂおよびデータ１２８０ｂ、（トランシーバ１２８１に組み合わされてもよい）送信機１２８２および受信機１２８４を含む筐体、トランシーバ１２８１に電気的に結合された１つ以上のアンテナポート１２０８ａ〜ｎ、バスシステム１２９２、信号処理用のＤＳＰ１２８８、通信インタフェース１２９０などを含む。
【０１９９】
他に断らない限り、上記の「／」の使用は、語句「および／または」を表す。
【０２００】
本明細書に記載される機能は、ハードウェア、ソフトウェア、ファームウェアまたはそれらの任意の組み合わせで実装される。ソフトウェアで実装される場合、機能は、１つ以上の命令としてコンピュータ可読媒体上に記憶される。用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは、命令の形態の所望のプログラムコードまたはデータ構造を載せるか、または記憶するために用いることができ、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０２０１】
本明細書に開示されるそれぞれの方法は、記載される方法を実現するための１つ以上のステップまたは動作を備える。本方法のステップおよび／または動作は、特許請求の範囲から逸脱することなく、相互に入れ換えても、および／または単一のステップに組み合わせてもよい。言い換えれば、記載される方法の適切な操作のためにステップまたは動作の特定の順序が必要とされない限り、特許請求の範囲から逸脱することなく、特定のステップおよび／または動作の順序および／または使用が修正されてもよい。
【０２０２】
本明細書では、用語「決定（判定）」は、多種多様な動作を包含し、従って、「決定（判定）」は、算出、計算、処理、導出、調査、検索（例えば、表、データベースまたは他のデータ構造での検索）、確認などを含みうる。加えて、「決定（判定）」は、受信（例えば、情報の受信）、評価（例えば、メモリにおけるデータの評価）などを含みうる。さらに、「決定（判定）」は、解決、選択、選ぶこと、確立などを含みうる。
【０２０３】
語句「に基づく」は、明示的に別に指定されない限り、「にのみ基づく」を意味するわけではない。言い換えれば、語句「に基づく」は、「にのみ基づく」も「に少なくとも基づく」も表しうる。
【０２０４】
用語「プロセッサ」は、汎用プロセッサ、中央処置装置（ＣＰＵ：ｃｅｎｔｒａｌ  ｐｒｏｃｅｓｓｉｎｇ  ｕｎｉｔ）、マイクロプロセッサ、デジタル信号プロセッサ（ＤＳＰ）、コントローラ、マイクロコントローラ、状態機械などを包含するように広く解釈されるべきである。いくつかの状況下では、「プロセッサ」は、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、プログラマブルロジックデバイス（ＰＬＤ：ｐｒｏｇｒａｍｍａｂｌｅ  ｌｏｇｉｃ  ｄｅｖｉｃｅ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）などを指す。用語「プロセッサ」は、処理デバイスの組み合わせ、例えば、ＤＳＰとマイクロプロセッサとの組み合わせ、複数のマイクロプロセッサ、ＤＳＰコアと合わせた１つ以上のマイクロプロセッサまたはその他のかかる構成を指すこともある。
【０２０５】
用語「メモリ」は、電子情報を記憶できる任意の電子部品を包含するように広く解釈されるべきである。用語「メモリ」は、様々なタイプのプロセッサ可読媒体、例えば、ランダムアクセスメモリ（ＲＡＭ）、リードオンリメモリ（ＲＯＭ）、不揮発性ランダムアクセスメモリ（ＮＶＲＡＭ）、プログラマブルリードオンリメモリ（ＰＲＯＭ：ｐｒｏｇｒａｍｍａｂｌｅ  ｒｅａｄ−ｏｎｌｙ  ｍｅｍｏｒｙ）、消去可能プログラマブルリードオンリメモリ（ＥＰＲＯＭ：ｅｒａｓａｂｌｅ  ｐｒｏｇｒａｍｍａｂｌｅ  ｒｅａｄ−ｏｎｌｙ  ｍｅｍｏｒｙ）、電気的消去可能ＰＲＯＭ（ＥＥＰＲＯＭ：ｅｌｅｃｔｒｉｃａｌｌｙ  ｅｒａｓａｂｌｅ  ＰＲＯＭ）、フラッシュメモリ、磁気的または光学的データ記憶装置、レジスタなどを指す。プロセッサがメモリから情報を読み出す、および／またはメモリに情報を書き込むことができる場合、メモリは、プロセッサと電子通信を行うと言われる。メモリは、プロセッサと一体をなしてもよく、それでもなおプロセッサと電子通信を行うと言われる。
【０２０６】
用語「命令」および「コード」は、任意のタイプのコンピュータ可読ステートメント（単数または複数）を含むように広く解釈されるべきである。例えば、用語「命令」および「コード」は、１つ以上のプログラム、ルーチン、サブルーチン、機能、手順などを指す。「命令」および「コード」は、単一のコンピュータ可読ステートメントまたは多くのコンピュータ可読ステートメントを備えてもよい。
【０２０７】
ソフトウェアまたは命令は、伝送媒体を通じて送信することもできる。例えば、ソフトウェアが、同軸ケーブル、光ファイバケーブル、ツイストペア、デジタル加入者回線（ＤＳＬ：ｄｉｇｉｔａｌ  ｓｕｂｓｃｒｉｂｅｒ  ｌｉｎｅ）、あるいは赤外線、無線およびマイクロ波のようなワイヤレス技術を用いて、ウェブサイト、サーバ、または他の遠隔ソースから送信される場合には、同軸ケーブル、光ファイバケーブル、ツイストペア、ＤＳＬ、あるいは赤外線、無線およびマイクロ波のようなワイヤレス技術が伝送媒体の定義に含まれる。
【０２０８】
当然のことながら、特許請求の範囲は、先に示された通りの構成および構成要素には限定されない。特許請求の範囲から逸脱することなく、本明細書に記載される配置、操作、ならびにシステム、方法、および装置の詳細に様々な修正、変更および変形がなされてもよい。
【０２０９】
付記
端末装置（ＵＥ）上でチャネル状態情報（ＣＳＩ）レポートを選択するための方法が記載される。１つのサービングセルに関して１つ以上のＣＳＩレポートが生成される。各ＣＳＩレポートは、設定インデックスと関連付けられる。１つのサブフレームにスケジュールされた複数のレポート同士の衝突の場合には、ＣＳＩレポートの優先度に基づいて、複数のレポートのうちで送信されるべきＣＳＩレポートが選択される。低い方の優先度のＰＵＣＣＨレポーティング・タイプのＣＳＩレポートは落とされ、同じ優先度のＰＵＣＣＨレポーティング・タイプをもつＣＳＩレポート同士の衝突の場合には、最も低い設定インデックスをもつＣＳＩレポート以外のＣＳＩレポートは落とされる。
【０２１０】
端末装置（ＵＥ）も記載される。端末装置（ＵＥ）は、プロセッサ、およびプロセッサと電子通信を行うメモリを含む。端末装置（ＵＥ）は、１つのサービングセルに関して複数のチャネル状態情報（ＣＳＩ）レポートを生成し、各ＣＳＩレポートが設定インデックスと関連付けられる。１つのサブフレームにスケジュールされた複数のレポート同士の衝突の場合には、端末装置（ＵＥ）は、レポートの優先度に基づいて、複数のレポートのうちから送信されるべきＣＳＩレポートを選択する。低い方の優先度のＰＵＣＣＨレポーティング・タイプのＣＳＩレポートは落とされ、同じ優先度のＰＵＣＣＨレポーティング・タイプをもつＣＳＩレポート同士の衝突の場合には、最も低い設定インデックスをもつＣＳＩレポート以外のＣＳＩレポートは落とされる。
【０２１１】
ｅｖｏｌｖｅｄ  Ｎｏｄｅ  Ｂ（ｅＮｏｄｅ  Ｂ）上で上りリンク制御情報（ＵＣＩ）を復号するための方法も記載される。ＣＳＩレポートを含む符号化されたＵＣＩが受信される。１つのサブフレームにスケジュールされた複数のチャネル状態情報（ＣＳＩ）レポート同士の衝突の場合には、ＣＳＩレポートの優先度に基づいて、受信したＵＣＩが復号される。低い方の優先度のＰＵＣＣＨレポーティング・タイプのＣＳＩレポートは落とされ、同じ優先度のＰＵＣＣＨレポーティング・タイプをもつＣＳＩレポート同士の衝突の場合には、最も低い設定インデックスをもつＣＳＩレポート以外のＣＳＩレポートは落とされる。
【０２１２】
ｅｖｏｌｖｅｄ  Ｎｏｄｅ  Ｂ（Ｎｏｄｅ  Ｂ）も記載される。ｅｖｏｌｖｅｄ  Ｎｏｄｅ  Ｂ（Ｎｏｄｅ  Ｂ）は、プロセッサ、およびプロセッサと電子通信を行うメモリを含む。ｅｖｏｌｖｅｄ  Ｎｏｄｅ  Ｂ（Ｎｏｄｅ  Ｂ）は、ＣＳＩレポートを含む符号化された上りリンク制御情報（ＵＣＩ）を受信する。１つのサブフレームにスケジュールされた複数のチャネル状態情報（ＣＳＩ）レポート同士の衝突の場合には、ｅｖｏｌｖｅｄ  Ｎｏｄｅ  Ｂ（Ｎｏｄｅ  Ｂ）は、ＣＳＩレポートの優先度に基づいて、受信したＣＳＩを復号する。低い方の優先度のＰＵＣＣＨレポーティング・タイプのＣＳＩレポートは落とされ、同じ優先度のＰＵＣＣＨレポーティング・タイプをもつＣＳＩレポート同士の衝突の場合には、最も低い設定インデックスをもつＣＳＩレポート以外のＣＳＩレポートは落とされる。
【０２１３】
端末装置（ＵＥ）上で上りリンク制御情報（ＵＣＩ）をレポートするための方法が記載される。１つのサービングセル上で受信した複数のＣＳＩ−ＲＳに関して複数のチャネル状態情報（ＣＳＩ）レポートが生成される。複数のＣＳＩ−ＲＳレポートは、１つのサブフレームで送信されるようにスケジュールされる。優先度付けの方法を用いて、総合的な最優先ＣＳＩレポートが決定される。総合的な最優先ＣＳＩレポートが選択される。総合的な最優先ＣＳＩレポートが送信される。
【０２１４】
選択される優先度付けの方法は、ランク指標（ＲＩ）タイプをサポートするＣＳＩレポートの方に高い優先度を割り当てるステップを含んでもよい。選択される優先度付けの方法は、ＣＳＩレポート・タイプに基づいてＣＳＩレポートに優先度を付けるステップを含んでもよい。
【０２１５】
ＣＳＩレポート・タイプは、第１のＣＳＩ−ＲＳインデックスをもつＦｉｒｓｔ−ＲＳに関するレポート・タイプ、第２のＣＳＩ−ＲＳインデックスをもつＳｅｃｏｎｄ−ＲＳに関するレポート・タイプ、および／またはＡｇｇｒｅｇａｔｅｄ−ＲＳに関するレポート・タイプであってもよい。ＣＳＩレポートは、ＩＮＴＥＲ−ＣＳＩ−ＲＳ−ＰＨＡＳＥおよび／またはＩＮＴＥＲ−ＣＳＩ−ＲＳ−ＡＭＰＬＩＴＵＤＥを含むことができる。
【０２１６】
端末装置（ＵＥ）は、サービングセル上で送信される複数のチャネル状態情報参照信号（ＣＳＩ−ＲＳ）を用いて構成される。複数のＣＳＩ−ＲＳのそれぞれが最優先ＣＳＩレポートを含みうる。総合的な最優先ＣＳＩレポートの選択は、最も高い優先度をもつ最優先ＣＳＩレポートを選択するステップを含む。総合的な最優先ＣＳＩレポートの選択は、最も低いサービングセル・インデックスをもつ最優先ＣＳＩレポートを選択するステップを含んでもよい。総合的な最優先ＣＳＩレポートの選択は、最も低い設定インデックスをもつ最優先ＣＳＩレポートを選択するステップを含んでもよい。総合的な最優先ＣＳＩレポートの選択は、最も低いＣＳＩ−ＲＳインデックスをもつ最優先ＣＳＩレポートを選択するステップを含んでもよい。
【０２１７】
選択される優先度付けの方法は、広帯域第１プリコーディング・マトリックス・インジケータ（ＰＭＩ）タイプを含むＣＳＩレポートの方に高い優先度を割り当てるステップを含んでもよい。選択される優先度付けの方法は、サブバンドＣＱＩに基づいて、かつ広帯域チャネル品質インジケータ（ＣＱＩ）、広帯域ＰＭＩ、ＩＮＴＥＲ−ＣＳＩ−ＲＳ−ＰＨＡＳＥ、および／またはＩＮＴＥＲ−ＣＳＩ−ＲＳ−ＡＭＰＬＩＴＵＤＥに基づいてＣＳＩレポートに優先度を付けるステップを含んでもよい。
【０２１８】
端末装置（ＵＥ）は、総合的な最優先ＣＳＩレポートを物理上りリンク制御チャネル（ＰＵＣＣＨ）上でｅＮｏｄｅ  Ｂへ送信する。
【０２１９】
ＣＳＩレポートは、集約されたチャネル品質インジケータ、集約されたプリコーディング・マトリックス・インジケータ、集約されたプリコーディング・タイプ・インジケータ、および／または集約されたランク・インジケータを含む。協調マルチポイント（ＣｏＭＰ）測定結果を用いて複数のＣＳＩレポートが生成される。
【０２２０】
上りリンク制御情報（ＵＣＩ）をレポートするように構成された端末装置（ＵＥ）も記載される。端末装置（ＵＥ）は、プロセッサ、およびプロセッサと電子通信を行うメモリを含む。端末装置（ＵＥ）は、１つのサービングセル上で送信された複数のＣＳＩ−ＲＳに関して、複数のチャネル状態情報（ＣＳＩ）レポートを生成する。複数のＣＳＩレポートは、１つのサブフレームで送信されるようにスケジュールされる。端末装置（ＵＥ）は、優先度付けの方法を用いて総合的な最優先ＣＳＩレポートを決定する。端末装置（ＵＥ）は、送信のために総合的な最優先ＣＳＩレポートを選択する。端末装置（ＵＥ）は、総合的な最優先ＣＳＩレポートを送信する。
【０２２１】
本発明の一実施形態は、端末装置（ＵＥ）上でチャネル状態情報（ＣＳＩ）レポートを選択するための方法を開示し、方法は、１つのサービングセルに関して１つ以上のＣＳＩレポートを生成するステップであって、各ＣＳＩレポートが設定インデックスと関連付けられた、生成するステップ；１つのサブフレームにスケジュールされた複数のレポート同士の衝突の場合には、ＣＳＩレポートの優先度に基づいて、複数のレポートのうちから送信されるべきＣＳＩレポートを選択するステップを備え、低い方の優先度のＰＵＣＣＨレポーティング・タイプのＣＳＩレポートは落とされ、同じ優先度のＰＵＣＣＨレポーティング・タイプをもつＣＳＩレポート同士の衝突の場合には、最も低い設定インデックスをもつＣＳＩレポート以外のＣＳＩレポートは落とされる。
【０２２２】
本発明の別の実施形態は、端末装置（ＵＥ）を開示し、ＵＥは、プロセッサ；プロセッサと電子通信を行うメモリ；メモリに記憶された命令を備え、命令は、１つのサービングセルに関して複数のチャネル状態情報（ＣＳＩ）レポートを生成するために実行可能であり、各ＣＳＩレポートが設定インデックスと関連付けられ；１つのサブフレームにスケジュールされた複数のレポート同士の衝突の場合には、レポートの優先度に基づいて、複数のレポートのうちから送信されるべきＣＳＩレポートを選択し、低い方の優先度のＰＵＣＣＨレポーティング・タイプのＣＳＩレポートは落とされ、同じ優先度のＰＵＣＣＨレポーティング・タイプをもつＣＳＩレポート同士の衝突の場合には、最も低い設定インデックスをもつＣＳＩレポート以外のＣＳＩレポートは落とされる。
【０２２３】
本発明の別の実施形態は、ｅｖｏｌｖｅｄ  Ｎｏｄｅ  Ｂ（ｅＮｏｄｅ  Ｂ）上で上りリンク制御情報（ＵＣＩ）を復号するための方法を開示し、方法は、ＣＳＩレポートを含む符号化されたＵＣＩを受信するステップ；１つのサブフレームにスケジュールされた複数のチャネル状態情報（ＣＳＩ）レポート同士の衝突の場合には、ＣＳＩレポートの優先度に基づいて、受信したＵＣＩを復号するステップ、を備え、低い方の優先度のＰＵＣＣＨレポーティング・タイプのＣＳＩレポートは落とされ、同じ優先度のＰＵＣＣＨレポーティング・タイプをもつＣＳＩレポート同士の衝突の場合には、最も低い設定インデックスをもつ前記ＣＳＩレポート以外のＣＳＩレポートは落とされる。
【０２２４】
本発明の別の実施形態は、ｅｖｏｌｖｅｄ  Ｎｏｄｅ  Ｂ（ｅＮｏｄｅ  Ｂ）を開示し、ｅＮｏｄｅ  Ｂは、プロセッサ；プロセッサと電子通信を行うメモリ；メモリに記憶された命令を備え、命令は、ＣＳＩレポートを含む符号化された上りリンク制御情報（ＵＣＩ）を受信し；１つのサブフレームにスケジュールされた複数のチャネル状態情報（ＣＳＩ）レポート同士の衝突の場合には、ＣＳＩレポートの優先度に基づいて、受信したＵＣＩを復号する、ために実行可能であり、低い方の優先度のＰＵＣＣＨレポーティング・タイプのＣＳＩレポートは落とされ、同じ優先度のＰＵＣＣＨレポーティング・タイプをもつＣＳＩレポート同士の衝突の場合には、最も低い設定インデックスをもつＣＳＩレポート以外のＣＳＩレポートは落とされる。
【０２２５】
＜＜第２の実施形態＞＞
本発明の別の実施形態は、チャネル状態情報レポートを選択するためのデバイスを開示する。
【０２２６】
チャネル状態情報（ＣＳＩ）レポートを選択するための端末装置（ＵＥ）が記載される。ＵＥは、プロセッサ、およびプロセッサと電子通信を行うメモリを含む。実行可能な命令は、メモリに記憶される。ＵＥは、少なくとも１つのサービングセルに対応する複数のＣＳＩレポートを生成する。同じ関連付けをもつ１つ以上のＣＳＩレポートの群がＣＳＩレポート・セットを形成する。ＵＥは、少なくとも１つのＣＳＩレポート・セットのＣＳＩレポート間のセット内送信スケジューリング衝突がある場合、ＣＳＩレポート・セットごとに単一のＣＳＩレポートを選択すべく第１の優先度付けルールを適用し、少なくとも１つの第１の優先度付け非選別ＣＳＩレポートを落とす。ＵＥは、異なるＣＳＩレポート・セットのＣＳＩレポート間のセット間送信スケジューリング衝突がある場合、少なくとも１つのＣＳＩレポートを選択すべく第２の優先度付けルールを適用する。第２の優先度付けルールは、ＵＥが複数のＣＳＩレポートを選択するように構成されている場合、複数のＣＳＩレポートを選択するために適用される。ＵＥは、少なくとも１つの選択されたＣＳＩレポートを送り、他のＣＳＩレポートを落とす。
【０２２７】
複数のサービングセルに対応する複数のＣＳＩレポート・セットが生成される。第２の優先度付けルールは、セット間送信スケジューリング衝突がある場合、少なくとも１つのＣＳＩレポートを選択するために適用される。第２の優先度付けルールは、ＵＥが複数のＣＳＩレポートを選択するように構成されている場合、複数のＣＳＩレポートを選択するために適用される。
【０２２８】
第１の優先度付けルールは、物理上りリンク制御チャネル（ＰＵＣＣＨ）レポーティング・タイプに基づいてもよい。第２の優先度付けルールは、物理上りリンク制御チャネル（ＰＵＣＣＨ）レポーティング・タイプおよびＣＳＩレポート・セット・インデックスからなる１つの群のうちの少なくとも１つに基づいてもよい。ＵＥが複数のＣＳＩレポートを送信するように構成されている場合、ＵＥは、次のＣＳＩレポートを選択するために、選択されたＣＳＩレポートを除去して、第２の優先度付けルールを適用する。
【０２２９】
複数のサービングセルに対応する複数のＣＳＩレポート・セットが生成される。異なるサービングセルの複数のＣＳＩレポート・セットの複数のＣＳＩレポートのセット間送信スケジューリング衝突がある場合、ＵＥは、１つのＣＳＩレポートを選択すべく第３の優先度付けルールを適用する。ＵＥが複数のＣＳＩレポートを送信するように構成されている場合、ＵＥは、次のＣＳＩレポートを選択するために、選択されたＣＳＩレポートを除去して、第３の優先度付けルールを適用する。
【０２３０】
ＵＥによってＣＳＩレポートを選択するための方法も記載される。方法は、少なくとも１つのサービングセルに対応する複数のＣＳＩレポートを生成するステップを含む。同じ関連付けをもつ１つ以上のＣＳＩレポートの群がＣＳＩレポート・セットを形成する。方法は、少なくとも１つのＣＳＩレポート・セットのＣＳＩレポート間のセット内送信スケジューリング衝突がある場合、ＣＳＩレポート・セットごとに単一のＣＳＩレポートを選択すべく第１の優先度付けルールを適用するステップ、および少なくとも１つの第１の優先度付け非選択ＣＳＩレポートを落とすステップも含む。方法は、異なるＣＳＩレポート・セットのＣＳＩレポート間のセット間送信スケジューリング衝突がある場合、少なくとも１つのＣＳＩレポートを選択すべく第２の優先度付けルールを適用するステップをさらに含む。
【０２３１】
「３ＧＰＰ」とも呼ばれる第３世代パートナーシップ・プロジェクトは、第３および第４世代ワイヤレス通信システムに関する世界的に適用可能な技術仕様および技術レポートを規定することを目指した連携合意である。３ＧＰＰは、次世代モバイル・ネットワーク、システムおよびデバイスに関する仕様を規定する。
【０２３２】
３ＧＰＰロング・ターム・エボリューション（ＬＴＥ）は、将来の要求に対処すべく、ユニバーサル・モバイル通信システム（ＵＭＴＳ）モバイルフォンまたはデバイス規格を改善するためのプロジェクトに与えられた名称である。一態様において、ＵＭＴＳは、進化型ユニバーサル地上無線アクセス（Ｅ−ＵＴＲＡ）および進化型ユニバーサル地上無線アクセス・ネットワーク（Ｅ−ＵＴＲＡＮ）にサポートおよび仕様を提供するために修正された。
【０２３３】
本明細書に開示されるシステムおよび方法の少なくともいくつかの態様は、３ＧＰＰ  ＬＴＥ、ＬＴＥアドバンスト（ＬＴＥ−Ａ）および他の規格（例えば、３ＧＰＰリリース８、９、１０および／または１１、米国電気電子学会（ＩＥＥＥ）８０２．１６、ＷｉＭａｘなど）に関して記載される。しかしながら、本開示の範囲は、この点で限定されるべきではない。本明細書に開示されるシステムおよび方法の少なくともいくつかの態様は、他のタイプのワイヤレス通信システムにおいて利用されてもよい。
【０２３４】
ワイヤレス通信デバイスは、音声および／またはデータを基地局へ通信するために用いる電子デバイスであり、次には基地局がデバイスのネットワーク（例えば、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信を行う。本明細書においてシステムおよび方法を記載するときに、ワイヤレス通信デバイスは、代わりに移動局、ＵＥ、アクセス端末、加入者局、移動端末、遠隔局、ユーザ端末、端末、加入者ユニット、モバイルデバイスなどと呼ばれることがある。ワイヤレス通信デバイスの例は、セルラーフォン、スマートフォン、携帯情報端末（ＰＤＡ：ｐｅｒｓｏｎａｌ  ｄｉｇｉｔａｌ  ａｓｓｉｓｔａｎｔ）、ラップトップコンピュータ、ネットブック、電子書籍リーダ、ワイヤレス・モデムなどを含む。３ＧＰＰ仕様では、ワイヤレス通信デバイスは、典型的にＵＥと呼ばれる。しかし、本開示の範囲は、３ＧＰＰ規格に限定されるべきではないので、より一般的な用語「ワイヤレス通信デバイス」を意味するために、本明細書では用語「ＵＥ」および「ワイヤレス通信デバイス」が同義で用いられる。
【０２３５】
３ＧＰＰ仕様では、基地局は、典型的にＮｏｄｅ  Ｂ、ｅＮＢ、ｈｏｍｅ  ｅｎｈａｎｃｅｄまたはｅｖｏｌｖｅｄ  Ｎｏｄｅ  Ｂ（ＨｅＮＢ）、あるいはいくつか他の同様の用語で呼ばれる。本開示の範囲は、３ＧＰＰ規格に限定されるべきではないので、より一般的な用語「基地局」を意味するために、本明細書では用語「基地局」、「Ｎｏｄｅ  Ｂ」、「ｅＮＢ」および「ＨｅＮＢ」が同義で用いられる。さらに、用語「基地局」は、アクセスポイントを示すために用いられてもよい。アクセスポイントは、ワイヤレス通信デバイスのためにネットワーク（例えば、ローカルエリアネットワーク（ＬＡＮ：Ｌｏｃａｌ  Ａｒｅａ  Ｎｅｔｗｏｒｋ）、インターネットなど）へのアクセスを提供する電子デバイスである。用語「通信デバイス」は、ワイヤレス通信デバイスおよび／または基地局の両方を示すために用いられる。
【０２３６】
留意すべきは、本明細書では、「セル」がインターナショナル・モバイル・テレコミュニケーションズ−アドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）に用いられるべく、規格化または規制団体によって仕様が定められた任意の通信チャネルであり、ｅＮＢとＵＥとの間の通信に用いることが認可された帯域（例えば、周波数帯域）として、そのすべてまたはそのサブセットが３ＧＰＰに採用されることである。「構成されたセル（ｃｏｎｆｉｇｕｒｅｄ  ｃｅｌｌ）」は、ＵＥが認識しており、情報を送信または受信することがｅＮＢによって許可されたセルである。「構成されたセル（単数または複数）」は、サービングセル（単数または複数）であってもよい。ＵＥは、すべての構成されたセル上でシステム情報を受信して必要な測定を行う。「アクティブ化されたセル（ａｃｔｉｖａｔｅｄ  ｃｅｌｌ）」は、ＵＥが送受信を行う構成されたセルである。すなわち、アクティブ化されたセルは、ＵＥが物理下りリンク制御チャネル（ＰＤＣＣＨ）をモニタする対象となるセルであり、下りリンク送信の場合にはＵＥがＰＤＳＣＨを復号する対象となるセルである。「非アクティブ化されたセル（ｄｅａｃｔｉｖａｔｅｄ  ｃｅｌｌ）」は、ＵＥが送信ＰＤＣＣＨをモニタしていない構成されたセルである。留意すべきは、「セル」が異なる次元の観点から記載されることである。例えば、「セル」は、時間特性、空間（例えば、幾何形状）特性および周波数特性を有する。
【０２３７】
本明細書に開示されるシステムおよび方法は、複数のチャネル状態レポートを選択して、順序付けるための手法を提供する。例えば、本明細書に開示されるシステムおよび方法は、複数のチャネル状態レポートを選択して順序付けるためのアルゴリズムを提供する。３ＧＰＰ仕様のリリース８〜１０では、いずれのサブフレームでも、１つのチャネル状態情報（ＣＳＩ）レポートしか送信されない。結果として、複数のＣＳＩレポートが所与のサブフレームで送信されるようにスケジュールされている場合、リリース８〜１０の３ＧＰＰ  ＴＳ３６．２１３は、１つのＣＳＩレポートを選択するための手順を記載する。
【０２３８】
リリース１１では、１つのサブフレームで複数のＣＳＩレポートが送信される。しかしながら、既知の手順は、複数のＣＳＩレポートがどのように選択されるかを指定していない。本明細書に開示されるシステムおよび方法は、複数のＣＳＩレポートの送信が設定されているときに複数のＣＳＩレポートを選択するための手法を提供する。例えば、本明細書に開示されるシステムおよび方法は、１つ以上のＣＳＩレポートを含んだ、セルに捉われないＣＳＩレポート・セットを提供する。加えてまたは代わりに、本明細書に開示されたシステムおよび方法は、例えば、一緒にスケジュールされた多くのＣＳＩレポートから複数のＣＳＩレポートを選択するための、単一のＣＳＩレポートを選択する手順における省略および反復を提供する。
【０２３９】
本明細書に開示されるシステムおよび方法に従って、ＵＥは、少なくとも１つのサービングセルに対応する複数のＣＳＩレポート・セットを用いて構成される。同じＣＳＩレポート・セットの複数のＣＳＩレポートの送信のスケジューリングにおける衝突の場合には、ＣＳＩレポート・セットごとに単一のＣＳＩレポートを選択して、非選択ＣＳＩレポートを落とすべく第１の優先度付けルールが適用される。異なるＣＳＩレポート・セットの複数のＣＳＩレポートの送信のスケジューリングにおける衝突の場合には、少なくとも１つのＣＳＩレポートを選択すべく第２の優先度付けルールが適用される。ＣＳＩレポート・セットとは、同じ１つ以上の非ゼロ電力（ＮＺＰ：ｎｏｎ−ｚｅｒｏ  ｐｏｗｅｒ）のチャネル状態情報参照信号（ＣＳＩ−ＲＳ）リソースおよび同じ１つ以上の干渉部分に対応する、１つ以上のＣＳＩレポートのセットである。ＣＳＩ処理とは、同じ１つ以上のチャネル部分（例えば、１つのＮＺＰ  ＣＳＩ−ＲＳリソ−ス）と同じ１つ以上の干渉部分との関連付けである。ＣＳＩレポート・セットは、ＣＳＩ処理によって生成される１つ以上のＣＳＩレポートのセットである。それゆえに、複数のＣＳＩレポート・セットの複数のＣＳＩレポートのうちでの優先度付けは、複数のＣＳＩ処理の複数のＣＳＩレポートのうちでの優先度付けと呼ばれる。１つのＣＳＩレポート・セットの複数のＣＳＩレポートのうちでの優先度付けは、１つのＣＳＩ処理の複数のＣＳＩレポートのうちでの優先度付けと呼ばれる。
【０２４０】
ＣＳＩレポートの例が下の表（４）に提示される。各ＣＳＩレポートの内容は、レポーティング・タイプによって識別される。表（４）では、例えば、ＰＵＣＣＨレポーティング・タイプ１のＣＳＩレポートは、サブバンドＣＱＩを含む。
【０２４１】
ＵＥが複数のＣＳＩレポートを選択するように構成されている場合、複数のＣＳＩレポートを選択すべく第２の優先度付けルールが適用される。ＵＥは、選択されたＣＳＩレポートを送り、他のＣＳＩレポートを落とす。ＵＥが複数のサービングセルを用いて構成されており、異なるＣＳＩレポート・セットの複数のＣＳＩレポートの送信のスケジューリングにおける衝突の場合には、少なくとも１つのＣＳＩレポートを選択すべく第２の優先度付けルールが適用される。ＵＥが構成されている場合、第２の優先度付けルールは、１つより多いＣＳＩレポートを選択する。
【０２４２】
ＵＥが複数のサービングセルを用いて構成されており、異なるサービングセルの複数のＣＳＩレポート・セットの複数のＣＳＩレポートの送信のスケジューリングにおける衝突の場合には、単一のＣＳＩレポートを選択すべく第３の優先度付けルールが適用される。ＵＥが１つより多いＣＳＩレポートを送信するように構成されている場合、ＵＥは、次のＣＳＩレポートを選択するために、選択されたＣＳＩレポートを除去して、第３の優先度付けルールを適用する。ＵＥが１つより多いサービングセルを送信するように構成されている場合、ＵＥは、次のＣＳＩレポートを選択するために、選択されたＣＳＩレポートを除去して、第２の優先度付けルールを適用する。
【０２４３】
３ＧＰＰリリース１０仕様は、次のように示される優先度付けメカニズムを提供する。表（４）は、対応するレポート情報の種類とともに、いくつかの物理上りリンク制御チャネル（ＰＵＣＣＨ）レポーティング・タイプを示す。ＰＵＣＣＨレポーティング・タイプに依存して、例えば、チャネル品質インジケータ（ＣＱＩ）、プリコーディング・マトリックス・インジケータ（ＰＭＩ）、ランク・インジケータ（ＲＩ）およびプリコーディング・タイプ・インジケータ（ＰＴＩ）の１つ以上がレポートされる。
【０２４４】
【表４】
2015516696.tif 000006
【０２４５】
１つのサービングセルのＰＵＣＣＨレポーティング・タイプ３、５または６をもつＣＳＩレポートと、同じサービングセルのＰＵＣＣＨレポーティング・タイプ１、１ａ、２、２ａ、２ｂ、２ｃ、または４をもつＣＳＩレポートとの衝突の場合には、ＰＵＣＣＨレポーティング・タイプ（１、１ａ、２、２ａ、２ｂ、２ｃ、または４）をもつ後者のＣＳＩレポートの方が低い優先度を有し、落とされる。
【０２４６】
ＵＥが１つより多いサービングセルを用いて構成されている場合、ＵＥは、いずれのサブフレームでも、１つのサービングセルのＣＳＩレポートだけを送信する。所与のサブフレームに関して、１つのサービングセルのＰＵＣＣＨレポーティング・タイプ３、５、６または２ａをもつＣＳＩレポートと、別のサービングセルのＰＵＣＣＨレポーティング・タイプ１、１ａ、２、２ｂ、２ｃ、または４をもつＣＳＩレポートとの衝突の場合には、ＰＵＣＣＨレポーティング・タイプ（１、１ａ、２、２ｂ、２ｃまたは４）をもつ後者のＣＳＩの方が低い優先度を有し、落とされる。所与のサブフレームに関して、１つのサービングセルのＰＵＣＣＨレポーティング・タイプ２、２ｂ、２ｃまたは４をもつＣＳＩレポートと、別のサービングセルのＰＵＣＣＨレポーティング・タイプ１または１ａをもつＣＳＩレポートとの衝突の場合には、ＰＵＣＣＨレポーティング・タイプ１または１ａをもつ後者のＣＳＩレポートの方が低い優先度を有し、落とされる。所与のサブフレームに関して、同じ優先度のＰＵＣＣＨレポーティング・タイプをもつ異なるサービングセルのＣＳＩレポート間の衝突の場合には、最も低いＳｅｒｖＣｅｌｌＩｎｄｅｘをもつサービングセルのＣＳＩがレポートされ、すべての他のサービングセルのＣＳＩは落とされる。
【０２４７】
したがって、ＵＥが１つより多いサービングセルを用いて構成されていない場合、ＰＵＣＣＨレポーティング・タイプに基づく、１つのサービングセルの複数のＣＳＩレポートのうちでの１つのレベルの優先度付けがある。ＵＥが１つより多いサービングセルを用いて構成されている場合には、２つのレベルの優先度付けがある。３ＧＰＰリリース１０仕様では、第１のレベルは、ＰＵＣＣＨレポーティング・タイプに基づく、１つのサービングセルの複数のＣＳＩレポートのうちでのレベルである。第２のレベルは、ＰＵＣＣＨレポーティング・タイプおよびセル・インデックスに基づく、複数のサービングセルの複数のＣＳＩレポートのうちでのレベルである。
【０２４８】
（３ＧＰＰリリース１１仕様に適用できる）本明細書に開示されるシステムおよび方法に従って、「ＣＳＩレポート・セット」は、次のように定義される。「ＣＳＩレポート・セット」とは、（異なるサブフレームのＰＵＣＣＨ上でレポートされ、異なるタイプを有してもよい）同じ干渉部分をもつ１つのＮＺＰ  ＣＳＩ−ＲＳリソースに対応するＣＳＩレポートのセットである。従って、１つの「ＣＳＩレポート・セット」内のすべてのＣＳＩレポートは、送信方式および干渉について単一の仮説に対応する。ＣＳＩ処理とは、１つのチャネル部分（例えば、１つのＮＺＰ  ＣＳＩ−ＲＳリソース）と１つの干渉部分との関連付けである。ＣＳＩレポート・セットは、ＣＳＩ処理によって生成される１つ以上のＣＳＩレポートのセットである。それゆえに、複数のＣＳＩレポート・セットの複数のＣＳＩレポートのうちでの優先度付けは、複数のＣＳＩ処理の複数のＣＳＩレポートのうちでの優先度付けと呼ばれる。１つのＣＳＩレポート・セットの複数のＣＳＩレポートのうちでの優先度付けは、１つのＣＳＩ処理の複数のＣＳＩレポートのうちでの優先度付けと呼ばれる。
【０２４９】
ポイントツーポイント通信システムは、式（１）に示されるようにモデリングされる。
【０２５０】
Ｙ＝Ｈ＊Ｘ＋Ｉｎｔｅｆｅｒｅｎｃｅ＋Ｎｏｉｓｅ      （１）
式（１）において、Ｙは、（例えば、送信先での）受信信号を表し、Ｈは、送信元（例えば、送信機またはソース）と送信先（例えば、受信機またはシンク）との間のチャネルを表し、Ｘは、送信元から送信される信号を表し、Ｉｎｔｅｒｆｅｒｅｎｃｅは、送信先で受信される不要な送信によって生じる干渉を表し、Ｎｏｉｓｅは、（大部分は受信機において回路で生じる、例えば、熱雑音のような）受信信号への追加のランダム変動を表す。
【０２５１】
ＣＳＩ測定の目的は、チャネルＨの特性を導出することである。ＣＳＩを受信機で測定するために、送信元から既知の信号ＣＳＩ−ＲＳが送信される。しかし、受信機での測定は、干渉およびノイズを含み、チャネルＨを正確には表さない。ノイズの存在下での正確な評価のために、統計的信号処理技術が用いられる。しかし、干渉の効果を補償するには、受信機での干渉の知識が必要である。従って、ＣＳＩレポート・セットは、同じ１つ以上のＮＺＰ  ＣＳＩ−ＲＳリソースおよび同じ１つ以上の干渉部分に対応する、１つ以上のＣＳＩレポートのセットとして定義される。ＣＳＩ処理は、同じ１つ以上のチャネル部分（例えば、１つのＮＺＰ  ＣＳＩ−ＲＳリソース）と同じ１つ以上の干渉部分との関連付けである。ＣＳＩレポート・セットは、ＣＳＩ処理によって生成される１つ以上のＣＳＩレポートのセットである。それゆえに、複数のＣＳＩレポート・セットの複数のＣＳＩレポートのうちでの優先度付けは、複数のＣＳＩ処理の複数のＣＳＩレポートのうちでの優先度付けと呼ばれる。１つのＣＳＩレポート・セットの複数のＣＳＩレポートのうちでの優先度付けは、１つのＣＳＩ処理の複数のＣＳＩレポートのうちでの優先度付けと呼ばれる。
【０２５２】
非ゼロ電力のＣＳＩ−ＲＳへの関連付けは、例えば、ノイズおよび干渉によって汚染されたＣＳＩ測定を行うためである。「干渉部分」とは、干渉について情報を提供する別個の測定結果である。
【０２５３】
干渉を測定するために、干渉が測定されるリソースのセット（例えば、時間および周波数リソース）が割り当てられる。また、さらに正確な干渉測定を行うために、干渉ソースによって参照信号（例えば、ＣＳＩ−ＲＳ）が送信される。従って、「干渉部分」または単に干渉を測定するために、干渉しているノードによって用いられる（ＮＺＰ  ＣＳＩ−ＲＳのような）参照信号の追加の知識が用いられる。干渉測定リソース（ＩＭＲ：Ｉｎｔｅｒｆｅｒｅｎｃｅ  Ｍｅａｓｕｒｅｍｅｎｔ  Ｒｅｓｏｕｒｃｅ）設定とは、干渉測定に利用されるリソースを示す設定である。
【０２５４】
次に、同様の参照番号が機能的に類似した要素を示す図面を参照して、本明細書に開示されるシステムおよび方法の様々な例が記載される。本明細書において図面に一般的に記載され、示されるようなシステムおよび方法は、多種多様に異なった実装に配置および設計できるであろう。従って、図面に表現されるような、いくつかの実装の以下のさらに詳細な記載は、特許請求の範囲を限定する意図はなく、単にシステムおよび方法を代表するに過ぎない。
【０２５５】
図１４は、ＣＳＩレポートを選択するためのシステムおよび方法が実装された１つ以上のｅＮＢ２１６０および１つ以上のＵＥ２１０２の一構成を示すブロックダイアグラムである。１つ以上のＵＥ２１０２は、１つ以上のアンテナ２１２２ａ〜ｎを用いて１つ以上のｅＮＢ２１６０と通信する。例えば、ＵＥ２１０２は、１つ以上のアンテナ２１２２ａ〜ｎを用いてｅＮＢ２１６０へ電磁信号を送信し、ｅＮＢ２１６０から電磁信号を受信する。ｅＮＢ２１６０は、１つ以上のアンテナ２１８０ａ〜ｎを用いてＵＥ２１０２と通信する。
【０２５６】
ＵＥ２１０２およびｅＮＢ２１６０は、相互に通信するために１つ以上のチャネル２１１９、２１２１を用いる。例えば、ＵＥ２１０２は、１つ以上の上りリンク・チャネル２１２１を用いてｅＮＢ２１６０へ情報またはデータを送信する。上りリンク・チャネル２１２１の例は、ＰＵＣＣＨおよびＰＵＳＣＨなどを含む。１つ以上のｅＮＢ２１６０も、例として、１つ以上の下りリンク・チャネル２１１９を用いて１つ以上のＵＥ２１０２へ情報またはデータを送信する。下りリンク・チャネル２１１９の例は、ＰＤＣＣＨおよびＰＤＳＣＨなどを含む。他の種類のチャネルを用いてもよい。留意すべきは、送信ポイントの１つ以上の地理的な位置がｅＮＢ２１６０と必ずしも地理的にコロケートされなくてもよいことである。また、各サービングセルがそれ自体の通信チャネルを有する１つ以上のコンポーネントキャリアまたはサービングセルが、下りリンクおよび／または上りリンク送信に用いられてもよい。
【０２５７】
１つ以上のＵＥ２１０２のそれぞれは、１つ以上のトランシーバ２１１８、１つ以上の復調器２１１４、１つ以上のデコーダ２１０８、１つ以上のエンコーダ２１５０、１つ以上の変調器２１５４、データバッファ２１０４およびＵＥ操作モジュール２１２４を含む。例えば、ＵＥ２１０２に１つ以上の受信および／または送信経路が実装される。便宜上、ＵＥ２１０２では単一のトランシーバ２１１８、デコーダ２１０８、復調器２１１４、エンコーダ２１５０および変調器２１５４だけが示されるが、複数の並列要素（例えば、トランシーバ２１１８、デコーダ２１０８、復調器２１１４、エンコーダ２１５０および変調器２１５４）が実装されてもよい。
【０２５８】
トランシーバ２１１８は、１つ以上の受信機２１２０および１つ以上の送信機２１５８を含む。１つ以上の受信機２１２０は、１つ以上のアンテナ２１２２ａ〜ｎを用いて、（例えば、光学ファイバ、有線リンクおよび無線リンクのうちの１つ以上によって）ｅＮＢ２１６０に接続された送信ポイントから送信される、ｅＮＢ２１６０からの信号を受信する。例えば、受信機２１２０は、１つ以上の受信信号２１１６を作り出すために、信号を受信してダウンコンバートする。１つ以上の受信信号２１１６は、復調器２１１４に供給される。１つ以上の送信機２１５８は、１つ以上のアンテナ２１２２ａ〜ｎを用いてｅＮＢ２１６０へ信号を送信する。例えば、１つ以上の送信機２１５８は、１つ以上の変調信号２１５６をアップコンバートして送信する。送信信号は、ｅＮＢ２１６０と地理的にコロケートされても、されなくてもよい受信ポイントによって受信される。
【０２５９】
復調器２１１４は、１つ以上の復調信号２１１２を作り出すために１つ以上の受信信号２１１６を復調する。１つ以上の復調信号２１１２は、デコーダ２１０８に供給される。ＵＥ２１０２は、信号を復号するためにデコーダ２１０８を用いる。デコーダ２１０８は、１つ以上の復号信号２１０６、２１１０を作り出す。例えば、第１のＵＥ複合信号２１０６は、受信したペイロード・データを備え、データバッファ２１０４に記憶される。第２のＵＥ復号信号２１１０は、オーバーヘッド・データおよび／または制御データを備える。例えば、第２のＵＥ復号信号２１１０は、１つ以上の操作を行うためにＵＥ操作モジュール２１２４が用いるデータを供給する。
【０２６０】
本明細書では、用語「モジュール」は、特定の要素またはコンポーネントがハードウェア、ソフトウェア、またはハードウェアとソフトウェアとの組み合わせで実装されることを意味する。しかしながら、留意すべきは、本明細書に「モジュール」として示される任意の要素が代わりにハードウェアで実装されてもよいことである。例えば、ＵＥ操作モジュール２１２４は、ハードウェア、ソフトウェア、または両方の組み合わせで実装されてもよい。
【０２６１】
一般に、ＵＥ操作モジュール２１２４は、ＵＥ２１０２が、１つ以上のｅＮＢ２１６０および／または（例えば、デバイスツーデバイス（Ｄ２Ｄ）通信で）他のＵＥ２１０２と通信することを可能にする。ＵＥ操作モジュール２１２４は、１つ以上のＣＳＩ−ＲＳ設定２１２８、１つ以上のＣＳＩレポート設定２１３０、１つ以上のＩＭＲ設定２１３２、ＣＳＩレポート生成モジュール２１３４、優先度付けおよび選択モジュール（ＰＳＭ：ｐｒｉｏｒｉｔｉｚａｔｉｏｎ  ａｎｄ  ｓｅｌｅｃｔｉｏｎ  ｍｏｄｕｌｅ）２１２６、およびＣＳＩ測定モジュール２１８４を含む。
【０２６２】
ＵＥ２１０２は、ｅＮＢ２１６０によって送信された１つ以上のＣＳＩ−ＲＳを受信して処理するために、１つ以上のＣＳＩ−ＲＳ設定２１２８を利用する（ここで、例えば、物理レイヤ送信は、ｅＮＢ２１６０と地理的にコロケートされても、されなくてもよい１つ以上の送信ポイントで行われ、上位レイヤ送信は、ｅＮＢと地理的にコロケートされる）。例えば、ＵＥ２１０２は、ｅＮＢ２１６０から１つ以上のＣＳＩ−ＲＳ設定２１２８を受信する。ＵＥ２１０２は、１つ以上のＩＭＲ設定２１３２も受信する。１つ以上のＩＭＲ設定２１３２は、例えば、干渉測定に利用されるリソースを示す。
【０２６３】
ＣＳＩ測定モジュール２１８４は、受信した１つ以上のＣＳＩ−ＲＳを測定する。例えば、ＣＳＩ測定モジュール２１８４は、１つ以上のフィードバック・メトリック（例えば、ＣＳＩ測定結果）を生成するために、１つ以上のＣＳＩ−ＲＳを測定する。ＣＳＩレポート生成モジュール２１３４は、ＣＳＩ測定結果、１つ以上のＩＭＲ設定２１３２および１つ以上のＣＳＩレポート設定２１３０に基づいて、１つ以上のＣＳＩレポートを生成する。例えば、ＣＳＩレポート生成モジュール２１３４は、１つ以上のＰＵＣＣＨレポーティング・タイプの１つ以上のＣＳＩレポートを生成する。順次、各ＰＵＣＣＨレポーティング・タイプは、（例えば、上掲の表（４）に示されるように）ＣＱＩ、ＰＭＩ、ＲＩおよびＰＴＩの１つ以上を含むことができる。ＣＳＩレポート設定（単数または複数）２１３０は、各ＣＳＩ測定結果２１８４をレポートするためのＰＵＣＣＨレポーティング・タイプ、ＣＳＩモードおよび／またはスケジュールを示す。ＣＳＩレポート設定（単数または複数）２１３０は、１つ以上のＣＳＩレポートの送信に用いられるべきリソース、例えば、時間および周波数リソースも示す。
【０２６４】
優先度付けおよび選択モジュール（ＰＳＭ）２１２６は、１つ以上のＣＳＩレポートに優先度を付けて選択する。例えば、優先度付けおよび選択モジュール（ＰＳＭ）２１２６は、１つ以上のＣＳＩレポートを選択すべく１つ以上の優先度付けルールを適用する。優先度付けルールの適用は、以下にさらに詳細に記載される。選択されたＣＳＩレポート（単数または複数）は、ｅＮＢ２１６０へ送信される（例えば、フィードバックされる）。非選択ＣＳＩレポート（単数または複数）は、落とされる（例えば、送信されない）。いくつかの実装において、ＵＥ操作モジュール２１２４内に示される要素の１つ以上は、複数の並列モジュールとして実装されてもよい。例えば、ＵＥ操作モジュール２１２４は、いくつかの実装において複数のＰＳＭ２１２６を含んでもよい。
【０２６５】
ＵＥ操作モジュール２１２４は、情報２１４８を１つ以上の受信機２１２０に提供する。例えば、ＵＥ操作モジュール２１２４は、送信をいつ受信すべきか、いつすべきでないかを受信機（単数または複数）２１２０に通知する。
【０２６６】
ＵＥ操作モジュール２１２４は、情報２１３８を復調器２１１４に提供する。例えば、ＵＥ操作モジュール２１２４は、ｅＮＢ２１６０からの送信に予想される変調パターンを復調器２１１４に通知する。
【０２６７】
ＵＥ操作モジュール２１２４は、情報２１３６をデコーダ２１０８に提供する。例えば、ＵＥ操作モジュール２１２４は、ｅＮＢ２１６０からの送信に予想される符号化法をデコーダ２１０８に通知する。
【０２６８】
ＵＥ操作モジュール２１２４は、情報２１４２をエンコーダ２１５０に提供する。情報２１４２は、符号化すべきデータおよび／または符号化のための命令を含む。例えば、ＵＥ操作モジュール２１２４は、送信データ２１４６および／または他の情報２１４２を符号化するようにエンコーダ２１５０に命令する。他の情報２１４２は、１つ以上の（選択された）ＣＳＩレポートを含む。
【０２６９】
エンコーダ２１５０は、送信データ２１４６、および／またはＵＥ操作モジュール２１２４によって提供された他の情報２１４２を符号化する。例えば、データ２１４６および／または他の情報２１４２の符号化は、誤り検出および／または訂正符号化、送信のための空間、時間および／または周波数リソースへのデータのマッピング、多重化などを伴う。エンコーダ２１５０は、符号化データ２１５２を変調器２１５４に供給する。
【０２７０】
ＵＥ操作モジュール２１２４は、情報２１４４を変調器２１５４に提供する。例えば、ＵＥ操作モジュール２１２４は、ｅＮＢ２１６０への送信に用いることになる変調型（例えば、コンステレーション・マッピング）を変調器２１５４に通知する。変調器２１５４は、１つ以上の変調信号２１５６を１つ以上の送信機２１５８に供給するために符号化データ２１５２を変調する。
【０２７１】
ＵＥ操作モジュール２１２４は、情報２１４０を１つ以上の送信機２１５８に提供する。この情報２１４０は、１つ以上の送信機２１５８に対する命令を含む。例えば、ＵＥ操作モジュール２１２４は、信号をｅＮＢ２１６０へいつ送信すべきかを１つ以上の送信機２１５８に命令する。例として、１つ以上の送信機２１５８は、上りリンク（ＵＬ）サブフレームの間に送信する。１つ以上の送信機２１５８は、１つ以上のｅＮＢ２１６０へ変調信号（単数または複数）２１５６をアップコンバートして送信する。
【０２７２】
ｅＮＢ２１６０は、１つ以上のトランシーバ２１７６、１つ以上の復調器２１７２、１つ以上のデコーダ２１６６、１つ以上のエンコーダ２１０９、１つ以上の変調器２１１３、データバッファ２１６２およびｅＮＢ操作モジュール２１８２を含む。例えば、ｅＮＢ２１６０に１つ以上の受信および／または送信経路が実装される。便宜上、ｅＮＢ２１６０には単一のトランシーバ２１７６、デコーダ２１６６、復調器２１７２、エンコーダ２１０９および変調器２１１３だけが示されるが、複数の並列要素（例えば、トランシーバ２１７６、デコーダ２１６６、復調器２１７２、エンコーダ２１０９および変調器２１１３）が実装されてもよい。
【０２７３】
トランシーバ２１７６は、１つ以上の受信機２１７８および１つ以上の送信機２１１７を含む。１つ以上の受信機２１７８は、１つ以上のアンテナ２１８０ａ〜ｎを用いてＵＥ２１０２から信号を受信する。例えば、受信機２１７８は、１つ以上の受信信号２１７４を作り出すために、信号を受信してダウンコンバートする。１つ以上の受信信号２１７４は、復調器２１７２に供給される。１つ以上の送信機１１７は、１つ以上のアンテナ２１８０ａ〜ｎを用いてＵＥ２１０２へ信号を送信する。例えば、１つ以上の送信機２１１７は、１つ以上の変調信号２１１５をアップコンバートして送信する。
【０２７４】
復調器２１７２は、１つ以上の復調信号２１７０を作り出すために１つ以上の受信信号２１７４を復調する。１つ以上の復調信号２１７０は、デコーダ２１６６に供給される。ｅＮＢ２１６０は、信号を復号するためにデコーダ２１６６を用いる。デコーダ２１６６は、１つ以上の復号信号２１６４、２１６８を作り出す。例えば、第１のｅＮＢ復号信号２１６４は、受信したペイロード・データを備え、データバッファ２１６２に記憶される。第２のｅＮＢ復号信号２１６８は、オーバーヘッド・データおよび／または制御データを備える。例えば、第２のｅＮＢ復号信号２１６８は、１つ以上の操作を行うためにｅＮＢ操作モジュール２１８２によって用いられるデータ（例えば、ＣＳＩレポート（単数または複数））を供給する。
【０２７５】
一般に、ｅＮＢ操作モジュール２１８２は、ｅＮＢ２１６０がＵＥ２１０２と通信することを可能にする。ｅＮＢ操作モジュール２１８２は、設定シグナリング・モジュール２１９４およびＣＳＩ−ＲＳシグナリング・モジュール２１０７のうちの１つ以上を含む。
【０２７６】
設定シグナリング・モジュール２１９４は、ＵＥ２１０２の振舞いを指示するための１つ以上の設定メッセージを生成して送る。例えば、設定シグナリング・モジュール２１９４は、ＣＳＩ−ＲＳ設定（単数または複数）２１２８、ＩＭＲ設定（単数または複数）２１３２、およびＣＳＩレポート設定（単数または複数）２１３０の１つ以上を生成して送る。これらの設定は、いくつかの機能（例えば、動作モード、設定など）を決定づける。
【０２７７】
ＣＳＩ−ＲＳシグナリング・モジュール２１０７は、１つまたはＣＳＩ−ＲＳを生成して送る。例えば、ＣＳＩ−ＲＳは、ＵＥ２１０２が１つ以上のＣＳＩレポートを生成するために利用する参照信号である。ＣＳＩレポートは、通信チャネルに基づいたフィードバック（例えば、ＣＱＩ、ＰＭＩ、ＲＩ、ＰＴＩ）を提供する。
【０２７８】
ｅＮＢ操作モジュール２１８２は、情報２１９０を１つ以上の受信機２１７８に提供する。例えば、ｅＮＢ操作モジュール２１８２は、送信をいつ受信すべきか、いつすべきでないかを受信機（単数または複数）２１７８に通知する。
【０２７９】
ｅＮＢ操作モジュール２１８２は、情報２１８８を復調器２１７２に提供する。例えば、ｅＮＢ操作モジュール２１８２は、ＵＥ（単数または複数）２１０２からの送信に予想される変調パターンを復調器２１７２に通知する。
【０２８０】
ｅＮＢ操作モジュール２１８２は、情報２１８６をデコーダ２１６６に提供する。例えば、ｅＮＢ操作モジュール２１８２は、ＵＥ（単数または複数）２１０２からの送信に予想される符号化法をデコーダ２１６６に通知する。
【０２８１】
ｅＮＢ操作モジュール２１８２は、情報２１０１をエンコーダ２１０９に提供する。情報２１０１は、符号化すべきデータおよび／または符号化のための命令を含む。例えば、ｅＮＢ操作モジュール２１８２は、送信データ２１０５および／または他の情報２１０１を符号化するようにエンコーダ２１０９に命令する。他の情報２１０１は、１つ以上の設定メッセージ（例えば、ＣＳＩ−ＲＳ設定（単数または複数）２１２８、ＩＭＲ設定（単数または複数）２１３２およびＣＳＩレポート設定（単数または複数）２１３０）を含む。
【０２８２】
エンコーダ２１０９は、送信データ２１０５、および／またはｅＮＢ操作モジュール２１８２によって提供された他の情報２１０１を符号化する。例えば、データ２１０５および／または他の情報２１０１の符号化は、誤り検出および／または訂正符号化、送信のための空間、時間および／または周波数リソースへのデータのマッピング、多重化などを伴う。エンコーダ２１０９は、符号化データ２１１１を変調器２１１３に供給する。送信データ２１０５は、ＵＥ２１０２へ伝えるべきネットワーク・データを含む。
【０２８３】
ｅＮＢ操作モジュール２１８２は、情報２１０３を変調器２１１３に提供する。この情報２１０３は、変調器２１１３に対する命令を含む。例えば、ｅＮＢ操作モジュール２１８２は、ＵＥ（単数または複数）２１０２への送信に用いるべき変調型（例えば、コンステレーション・マッピング）を変調器２１１３に通知する。変調器２１１３は、１つ以上の変調信号２１１５を１つ以上の送信機２１１７に供給するために符号化データ２１１１を変調する。
【０２８４】
ｅＮＢ操作モジュール２１８２は、情報２１９２を１つ以上の送信機２１１７に提供する。この情報２１９２は、１つ以上の送信機２１１７に対する命令を含む。例えば、ｅＮＢ操作モジュール２１８２は、信号をＵＥ（単数または複数）２１０２へいつ送信すべきか（またはいつすべきでないか）を１つ以上の送信機２１１７に命令する。１つ以上の送信機２１１７は、変調信号（単数または複数）２１１５を１つ以上のＵＥ２１０２へアップコンバートして送信する。留意すべきは、下りリンク（ＤＬ）サブフレームがｅＮＢ２１６０から１つ以上のＵＥ２１０２へ送信されること、およびＵＬサブフレームが１つ以上のＵＥ２１０２からｅＮＢ２１６０へ送信されることである。
【０２８５】
留意すべきは、ｅＮＢ（単数または複数）２１６０およびＵＥ（単数または複数）２１０２に含まれる要素またはその部分の１つ以上が、ハードウェアで実装されてもよいことである。例えば、これらの要素またはその部分の１つ以上は、チップ、回路素子またはハードウェア・コンポーネントなどとして実装されてもよい。本明細書に記載される機能または方法の１つ以上は、ハードウェアで実装されてもよく、および／またはハードウェアを用いて行われてもよいことにも留意すべきである。例えば、本明細書に記載される方法の１つ以上は、チップセット、特定用途向け集積回路（ＡＳＩＣ）、大規模集積回路（ＬＳＩ：ｌａｒｇｅ−ｓｃａｌｅ  ｉｎｔｅｇｒａｔｅｄ  ｃｉｒｃｕｉｔ）または集積回路などで実装されてもよく、および／またはそれらを用いて実現されてもよい。
【０２８６】
図１５は、ＣＳＩレポートを選択するための方法２２００の一構成を示すフローダイアグラムである。ＵＥ２１０２は、少なくとも１つのサービングセルに対応する複数のＣＳＩレポートを生成する（ステップ２２０２）。同じ関連付けをもつ１つ以上のＣＳＩレポートの群がＣＳＩレポート・セットを形成する。ＵＥ２１０２は、同じ関連付けを有するＣＳＩレポートを物理的または実質的に収集することによって、ＣＳＩレポート・セットを形成する。ＣＳＩレポート同士の関連付けの例は、１つ以上の非ゼロ電力（ＮＺＰ）のチャネル状態情報参照信号（ＣＳＩ−ＲＳ）リソースの同じセットと、１つ以上の干渉部分の同じセットとの関連付けである。関連付けの別の例は、デバイスツーデバイス（Ｄ２Ｄ）通信リンクへの関連付けである。加えてまたは代わりに、いくつかの実装において、ＵＥ２１０２は、少なくとも１つのＤ２Ｄリンクに対応する複数のＣＳＩレポート・セットを生成する。それぞれのＣＳＩレポート・セットは、１つ以上のＮＺＰ  ＣＳＩ−ＲＳリソースの同じセットと、１つ以上の干渉部分の同じセットとに対応する１つ以上のＣＳＩレポートを含む。いくつかの実装において、ＵＥ２１０２は、複数のＣＳＩレポート・セットを生成するようにＵＥ２１０２を構成するｅＮＢ２１６０からのメッセージを受信する。留意すべきは、ＵＥ２１０２によって生成されるＣＳＩレポートのいくつかが、異なるＵＥ２１０２間のチャネルを表すデバイスツーデバイス（Ｄ２Ｄ）通信に属してもよいことである。
【０２８７】
ＵＥ２１０２は、少なくとも１つのＣＳＩレポート・セット（またはＣＳＩ処理）のＣＳＩレポート間のセット内（または処理内）送信スケジューリング衝突がある場合、ＣＳＩレポート・セット（またはＣＳＩ処理）ごとに単一のＣＳＩレポートを選択すべく第１の優先度付けルールを適用して、少なくとも１つの第１の優先度付け非選択ＣＳＩレポートを落とす（ステップ２２０４）。例えば、セット内（または処理内）送信スケジューリング衝突は、セット（または処理）内の２つ以上のＣＳＩレポートが同じ上りリンクサブフレームで送信されるようにスケジュールされている場合に生じうる。
【０２８８】
第１の優先度付けルールは、ＰＵＣＣＨレポーティング・タイプに基づいてもよい。例えば、特定のＰＵＣＣＨレポーティング・タイプ（例えば、３、５または６）をもつＣＳＩレポートは、他のＰＵＣＣＨレポーティング・タイプ（例えば、１、１ａ、２、２ａ、２ｂ、２ｃまたは４）をもつＣＳＩレポートよりも高い優先度を得る。ＵＥ２１０２は、最優先ＣＳＩレポートを選択し、一方で少なくとも１つの第１の優先度付け非選択ＣＳＩレポート（例えば、第１の優先度付けルールに基づいて選択されなかったＣＳＩレポート）は落とされる。第１の優先度付けのさらなる例は、以下に示される。
【０２８９】
ＵＥ２１０２は、異なるＣＳＩレポート・セット（またはＣＳＩ処理）のＣＳＩレポート間のセット間（または処理間）送信スケジューリング衝突がある場合、少なくとも１つのＣＳＩレポートを選択すべく第２の優先度付けルールを適用する（ステップ２２０６）。例えば、セット間（または処理間）送信スケジューリング衝突は、第１のＣＳＩレポート・セット（または第１のＣＳＩ処理）からの第１のＣＳＩレポートが、第２のＣＳＩレポート・セット（または第２のＣＳＩ処理）からの第２のＣＳＩレポートと同じ上りリンクサブフレームで送信されるようにスケジュールされている場合に生じうる。
【０２９０】
第２の優先度付けルールは、ＰＵＣＣＨレポーティング・タイプおよびＣＳＩレポート・セット・インデックスのうちの１つ以上に基づいてもよい。例えば、ＰＵＣＣＨレポーティング・タイプ３、５，６または２ａをもつＣＳＩレポートは、ＰＵＣＣＨレポーティング・タイプ１、１ａ、２、２ｂ、２ｃまたは４をもつＣＳＩレポートよりも高い優先度を得る。そのうえ、ＰＵＣＣＨレポーティング・タイプ２、２ｂ、２ｃまたは４をもつＣＳＩレポートは、ＰＵＣＣＨレポーティング・タイプ１または１ａをもつＣＳＩレポートよりも優先度を得る。同じＰＵＣＣＨレポーティング・タイプをもつＣＳＩレポートは、ＣＳＩレポート・セット・インデックスに基づいて優先度が付けられる。例えば、高い方のＣＳＩレポート・セット・インデックスをもつＣＳＩレポートは、低い方のＣＳＩレポート・セット・インデックスをもつＣＳＩレポートよりも優先度を得る。ＵＥ２１０２は、１つ以上の（例えば、Ｎ個の）最優先ＣＳＩレポートを選択し、一方では少なくとも１つの第２の優先度付け非選択ＣＳＩレポート（例えば、第２の優先度付けルールに基づいて選択されなかったＣＳＩレポート）は落とされる。第２の優先度付けルールのさらなる例は、以下に示される。
【０２９１】
図１６は、ＣＳＩレポート・セット生成の一例を示すダイアグラムである。「ＣＳＩレポート・セット」とは、（異なるサブフレームのＰＵＣＣＨ上でレポートされ、例えば、上掲の表（４）に示されるような異なるタイプを有してもよい）同じ干渉部分をもつ１つのＮＺＰ  ＣＳＩ−ＲＳリソースに対応するＣＳＩレポートのセットである。従って、１つの「ＣＳＩレポート・セット」内のすべてのＣＳＩレポートは、送信方式および干渉について単一の仮説に対応する。図１６は、ＣＳＩレポート・セットの例を示し、ここでＲ１−１−１  ２３２７ａは、Ｃｅｌｌ１のインデックスが付いたサービングセル２３２３におけるＣＳＩ−ＲＳ１−１  ２３２５ａに対応するＣＳＩレポート・セットである。図１６は、他のＣＳＩレポート・セット２３２７の例も示す。特に、Ｒ１−１−２  ２３２７ｂ、Ｒ１−２−１  ２３２７ｃおよびＲ１−２−２  ２３２７ｄがＣＳＩレポート・セットの例である。
【０２９２】
図１６は、ＣＳＩレポート・セット２３２７を生成するために利用されるいくつかの情報および手順を示す。例えば、ＵＥ２１０２は、ＣＳＩ−ＲＳ１−１設定２３２８ａに基づいて、ＣＳＩ−ＲＳ１−１  ２３２５ａを受信する。ＵＥ２１０２は、ＣＳＩ−ＲＳ１−１  ２３２５ａおよびＩＭＲ１−１設定２３３２ａに基づいて、ＣＳＩ測定１−１−１  ２３８４ａを行う。ＵＥ２１０２は、ＣＳＩ測定結果１−１−１  ２３８４ａおよびＣＳＩレポート設定１−１−１  ２３３０ａに基づいて、ＣＳＩレポート生成１−１−１  ２３３４ａも行う。ＣＳＩレポート生成１−１−１  ２３３４ａは、ＣＳＩレポート・セットＲ１−１−１  ２３２７ａをもたらす。上述のように、例えば、ＣＳＩレポート・セットＲ１−１−１  ２３２７ａは、上掲の表（４）に示されるような様々なタイプであってもよい１つ以上のＣＳＩレポートを含む。
【０２９３】
同様に、ＵＥ２１０２は、ＣＳＩ−ＲＳ１−１設定２３２８ａ、ＣＳＩ−ＲＳ１−１  ２３２５ａ、ＩＭＲ１−２設定２３３２ｂ、ＣＳＩ測定１−１−２  ２３８４ｂ、ＣＳＩレポート設定１−１−２  ２３３０ｂおよびＣＳＩレポート生成１−１−２  ２３３４ｂに基づいて、ＣＳＩレポート・セットＲ１−１−２  ２３２７ｂを作り出す。そのうえ、ＵＥ２１０２は、ＣＳＩ−ＲＳ１−２設定２３２８ｂ、ＣＳＩ−ＲＳ１−２  ２３２５ｂ、ＩＭＲ１−３設定２３３２ｃ、ＣＳＩ測定１−２−１  ２３８４ｃ、ＣＳＩレポート設定１−２−１  ２３３０ｃおよびＣＳＩレポート生成１−２−１  ２３３４ｃに基づいて、ＣＳＩレポート・セットＲ１−２−１  ２３２７ｃを作り出し、そしてＣＳＩ−ＲＳ１−２設定２３２８ｂ、ＣＳＩ−ＲＳ１−２  ２３２５ｂ、ＩＭＲ１−４設定２３３２ｄ、ＣＳＩ測定１−２−２  ２３８４ｄ、ＣＳＩレポート設定１−２−２  ２３３０ｄおよびＣＳＩレポート生成１−２−２  ２３３４ｄに基づいて、ＣＳＩレポート・セットＲ１−２−２  ２３２７ｄを作り出す。
【０２９４】
図１７は、ＣＳＩレポートを選択するための方法２４００のさらに具体的な構成を示すフローダイアグラムである。例えば、図１７は、（本明細書で「選択肢Ａ」と呼ばれる）１つの選択肢による方法２４００を示す。選択肢Ａは、（例えば、ＵＥごとに）セルに捉われないＣＳＩレポート・セットを提供するための簡易な手法である。
【０２９５】
ＵＥ２１０２は、少なくとも１つのサービングセル（または例えば、Ｄ２Ｄリンク）に対応する複数のＣＳＩレポート・セットを生成する（ステップ２４０２）。これは、例えば、上掲の図１５に関連して記載されたように行われる。それぞれのＣＳＩレポート・セットは、１つ以上のＮＺＰ  ＣＳＩ−ＲＳリソースの同じセットと、１つ以上の干渉部分の同じセットとに対応する１つ以上のＣＳＩレポートを含む。留意すべきは、Ｄ２ＤリンクのＣＳＩが同じ実装における干渉部分と関連付けられても、関連付けられなくてもよいことである。
【０２９６】
（少なくとも１つのＣＳＩレポート・セットのＣＳＩレポート間の）セット内送信スケジューリング衝突がある場合、第１の優先度付けルールに従って（例えば、第１の優先度付けレベルで）、ステップ２４０４、２４０６および２４０８が行われる。特に、ＵＥ２１０２は、各サービングセルにおけるＣＳＩレポート・セットごとに、ＰＵＣＣＨレポーティング・タイプに基づいてＣＳＩレポート・セット内のＣＳＩレポートに優先度を付ける（ステップ２４０４）。ＵＥ２１０２は、各サービングセルにおけるＣＳＩレポート・セットごとに、最優先ＣＳＩレポートを選択する（ステップ２４０６）。加えて、ＵＥ２１０２は、すべての第１の優先度付け非選択ＣＳＩレポート（単数または複数）（例えば、第１の優先度付けルールに基づいて選択されなかった各ＣＳＩレポート）を落とす（ステップ２４０８）。
【０２９７】
第１の優先度付けルールの一例は、次のように示される。異なるＣＳＩレポート間の衝突に関するリリース１０のルールは、１つの「ＣＳＩレポート・セット」内のＣＳＩレポート間の衝突の場合への然るべき適応により、協調マルチポイント（ＣｏＭＰ）に適用できる。１つの「ＣＳＩレポート・セット」のＰＵＣＣＨレポーティング・タイプ３、５、または６をもつＣＳＩレポートと、同じ「ＣＳＩレポート・セット」のＰＵＣＣＨレポーティング・タイプ１、１ａ、２、２ａ、２ｂ、２ｃまたは４をもつＣＳＩレポートとの衝突の場合には、ＰＵＣＣＨレポーティング・タイプ（１、１ａ、２、２ａ、２ｂ、２ｃまたは４）をもつ後者のＣＳＩレポートの方が低い優先度を有し、落とされる。
【０２９８】
（異なるＣＳＩレポート・セットのＣＳＩレポート間の）セット間送信スケジューリング衝突がある場合、第２の優先度付けルールに従って（例えば、第２の優先度付けレベルで）、ステップ２４１０、２４１２および２４１４が行われる。特に、ＵＥ２１０２は、複数のＣＳＩレポート・セットのうちで、ＰＵＣＣＨレポーティング・タイプに基づいてＣＳＩレポートに優先度を付ける（ステップ２４１０）。ＵＥ２１０２は、ＣＳＩレポート・セット・インデックスに基づいて、（例えば、もしあれば）同じＰＵＣＣＨレポーティング・タイプをもつＣＳＩレポートに優先度を付ける（ステップ２４１２）。ＵＥ２１０２は、さらに、Ｎ個の最優先ＣＳＩレポート（単数または複数）を選択する（ステップ２４１４）。
【０２９９】
第２の優先度付けルールの一例は、次のように示される。キャリアアグリゲーション（ＣＡ：ｃａｒｒｉｅｒ  ａｇｇｒｅｇａｔｉｏｎ）に関するリリース１０のルールは、複数の「ＣＳＩレポート・セット」が設定されている場合への然るべき適応により、協調マルチポイント（ＣｏＭＰ）送信に適用できる。ＵＥ２１０２が１つより多い「ＣＳＩレポート・セット」を用いて構成されている場合、ＵＥ２１０２は、いずれのサブフレームでも、Ｎ個の最高ＣＳＩレポートだけを送信し、低い方の優先度をもつ他のＣＳＩレポートを落とす。所与のサブフレームに関して、ＰＵＣＣＨレポーティング・タイプ３、５、６または２ａをもつ１つの「ＣＳＩレポート・セット」のＣＳＩレポートと、ＰＵＣＣＨレポーティング・タイプ１、１ａ、２、２ｂ、２ｃまたは４をもつ別の「ＣＳＩレポート・セット」のＣＳＩレポートとの衝突の場合には、ＰＵＣＣＨレポーティング・タイプ（１、１ａ、２、２ｂ、２ｃまたは４）をもつ後者のＣＳＩレポートの方が低い優先度を有する。所与のサブフレームに関して、ＰＵＣＣＨレポーティング・タイプ２、２ｂ、２ｃまたは４をもつ１つの「ＣＳＩレポート・セット」のＣＳＩレポートと、ＰＵＣＣＨレポーティング・タイプ１または１ａをもつ別の「ＣＳＩレポート・セット」のＣＳＩレポートとの衝突の場合には、ＰＵＣＣＨレポーティング・タイプ１または１ａをもつ後者のＣＳＩレポートの方が低い優先度を有する。所与のサブフレームに関して、同じ優先度のＰＵＣＣＨレポーティング・タイプをもつ異なる「ＣＳＩレポート・セット」のＣＳＩレポート間のセット内衝突の場合には、低い方のＣＳＩレポート・セット・インデックスをもつＣＳＩレポートの方が低い優先度を有する。
【０３００】
ＵＥ２１０２が、同じレポーティング・インスタンスで複数のＣＳＩレポートをレポートするように構成されている場合、Ｎ＞１である。そうでない場合には、Ｎ＝１である。最大Ｎは、２に固定されてもよく、構成に依存してもよく、または到達する最大ビット数に依存してもよい。最大Ｎまたは最大ビット数は、ｅＮＢ２１６０により無線リソース制御（ＲＲＣ）シグナリングを通じてＵＥ固有またはセル固有なように設定される。
【０３０１】
本明細書に開示されるシステムおよび方法に従って、ＣＳＩレポート・セット・インデックス（または処理インデックス）が定義される。一選択肢において、ＣＳＩレポート・セット・インデックスは、上位レイヤによりすべてのサービングセルにわたって割り当てられる。別の選択肢では、ＣＳＩレポート・セット・インデックス＝８×ＳｅｒｖＣｅｌｌＩｎｄｅｘ＋ｃｓｉＲｅｐｏｒｔＳｅｔＩｎｄｅｘであり、ここでＳｅｒｖＣｅｌｌＩｎｄｅｘはサービングセル・インデックスであり、ｃｓｉＲｅｐｏｒｔＳｅｔＩｎｄｅｘはレポート・セット・インデックスであり、ｃｓｉＲｅｐｏｒｔＳｅｔＩｎｄｅｘはサービングセルごとのインデックスである。さらに別の選択肢では、ＣＳＩレポート・セット・インデックス＝ＳｅｒｖＣｅｌｌＩｎｄｅｘ＋８×ｃｓｉＲｅｐｏｒｔＳｅｔＩｎｄｅｘであり、ここでＳｅｒｖＣｅｌｌＩｎｄｅｘはサービングセル・インデックスであり、ｃｓｉＲｅｐｏｒｔＳｅｔＩｎｄｅｘはレポート・セット・インデックスであり、ｃｓｉＲｅｐｏｒｔＳｅｔＩｎｄｅｘはサービングセルごとのインデックスである。
【０３０２】
ＵＥ２１０２は、選択されたＣＳＩレポート（例えば、１つ以上の選択されたＣＳＩレポート）のセットを送信し、残っている非選択ＣＳＩレポート（例えば、１つ以上の残っている非選択ＣＳＩレポート）を落とす（ステップ２４１６）。例えば、ＵＥ２１０２は、Ｎ個の選択されたＣＳＩレポートを送信する（ステップ２４１６）。残っているいずれの非選択ＣＳＩレポートも落とされる（例えば、送信されず、場合によっては破棄される、削除されるなどである）。
【０３０３】
図１８は、選択肢Ａに従って１つ以上のＣＳＩレポートを選択する一例を示すダイアグラムである。ＵＥが１つのサービングセルを用いて構成されているか、または１つのＣＳＩレポート・セットを用いて構成されている場合、ＰＵＣＣＨレポーティング・タイプに基づく、１つのＣＳＩレポート・セットの複数のＣＳＩレポートのうちでの１つのレベルの優先度付けがありうる。
【０３０４】
図１８に示される例は、複数のＣＳＩ−ＲＳ設定２５２８ａ〜ｄをもつ複数のサービングセル２５２３ａ〜ｂを示す。例として、ＵＥ２１０２が１つより多いＣＳＩレポート・セット２５２７ａ〜ｈを用いて構成されている場合、２つのレベルの優先度付けがありうる。第１のレベルは、ＰＵＣＣＨレポーティング・タイプに基づく、１つのＣＳＩレポート・セット２５２７の複数のＣＳＩレポートのうちでのレベルである。言い換えれば、第１の優先度付けルールは、第１の優先度付けレベルで適用される。例として、優先度付けおよび選択モジュール（ＰＳＭ）２５２６ａ〜ｈは、各ＣＳＩレポート・セット２５２７ａ〜ｈからのＣＳＩレポート２５２９の優先度付けおよび選択を第１のレベルで行う。
【０３０５】
第２のレベルは、ＰＵＣＣＨレポーティング・タイプおよび／またはＣＳＩレポート・セット・インデックスに基づく、複数のＣＳＩレポート・セット２５２７ａ〜ｈの複数のＣＳＩレポート２５２９ａ〜ｈのうちでのレベルである。言い換えれば、第２の優先度付けルールは、第２の優先度付けレベルで適用される。例として、優先度付けおよび選択モジュール２５２６ｉは、サービングセル２５２３ａ〜ｂに関するＣＳＩレポート２５２９ａ〜ｈからの１つのＣＳＩレポート２５２９の優先度付けおよび選択を第２のレベルで行う。留意すべきは、複数のＣＳＩレポート・セット２５２７ａ〜ｈが１つまたは複数のサービングセル２５２３ａ〜ｂに対応するか、または関連付けられることである。ＵＥ２１０２が同じレポーティング・インスタンスで複数のＣＳＩレポートをレポートするように構成されている場合、第２のレベルの優先度付けは、上記のように１つ以上（例えば、Ｎ個）のＣＳＩレポート２５２９ｉを選択する。
【０３０６】
図１９は、ＣＳＩレポートを選択するための方法２６００の別のさらに具体的な構成を示すフローダイアグラムである。例えば、図１９は、（本明細書で「選択肢Ｂ」と呼ばれる）別の選択肢に従って１つ以上のＣＳＩレポートを選択するための方法２６００を示す。選択肢Ｂでは、セルごとの「ＣＳＩレポート・セット」が利用される。
【０３０７】
ＵＥ２１０２は、少なくとも１つのサービングセルに対応する複数のＣＳＩレポート・セットを生成する（ステップ２６０２）。これは、例えば、上掲の図１５に関連して考察したように行われる。それぞれのＣＳＩレポート・セットは、１つ以上のＮＺＰ  ＣＳＩ−ＲＳリソースの同じセットと、１つ以上の干渉部分の同じセットとに対応する１つ以上のＣＳＩレポートを含む。
【０３０８】
（少なくとも１つのＣＳＩレポート・セットのＣＳＩレポート間の）セット内送信スケジューリング衝突がある場合、第１の優先度付けルールに従って（例えば、第１の優先度付けレベルで）ステップ２６０４、２６０６および２６０８が行われる。特に、ＵＥ２１０２は、各サービングセルにおけるＣＳＩレポート・セットごとに、ＰＵＣＣＨレポーティング・タイプに基づいて１つのＣＳＩレポート・セット内のＣＳＩレポートに優先度を付ける（ステップ２６０４）。ＵＥ２１０２は、各サービングセルにおけるＣＳＩレポート・セットごとに、最優先ＣＳＩレポートを選択する（ステップ２６０６）。加えて、ＵＥ２１０２は、すべての第１の優先度付け非選択ＣＳＩレポート（単数または複数）（例えば、第１の優先度付けルールに基づいて選択されなかった各ＣＳＩレポート）を落とす（ステップ２６０８）。ＣＳＩレポート・セットごとに最優先ＣＳＩレポートを選択するステップ（２６０６）およびすべての第１の優先度付け非選択ＣＳＩレポート（単数または複数）を落とすステップから初めに生じるＣＳＩレポートのセットは、「優先ＣＳＩレポート・セット」と呼ばれる。
【０３０９】
第１の優先度付けルールの一例は、次のように示される。異なるＣＳＩレポート間の衝突に関する３ＧＰＰリリース１０のルールは、１つの「ＣＳＩレポート・セット」内のＣＳＩレポート間の衝突の場合への然るべき適応により、ＣｏＭＰに適用できる。１つのサービングセルの１つの「ＣＳＩレポート・セット」のＰＵＣＣＨレポーティング・タイプ３、５または６をもつＣＳＩレポートと、同じ「ＣＳＩレポート・セット」のＰＵＣＣＨレポーティング・タイプ１、１ａ、２、２ａ、２ｂ、２ｃまたは４をもつＣＳＩレポートとの衝突の場合には、ＰＵＣＣＨレポーティング・タイプ（１、１ａ、２、２ａ、２ｂ、２ｃまたは４）をもつ後者のＣＳＩレポートの方が低い優先度を有し、落とされる。
【０３１０】
（異なるＣＳＩレポート・セットのＣＳＩレポート間の）セット間送信スケジューリング衝突がある場合、ステップ２６１０、２６１２および２６１４が行われる。第１の反復では、ステップ２６１０、２６１２および２６１４は、第２の優先度付けルールに従って（例えば、第２の優先度付けレベルで）行われる。その後の反復では、ステップ２６１０、２６１２および２６１４は、後続ルール（例えば、（例えば、第３の優先度付けレベルでの）第３の優先度付けルール、（例えば、第４の優先度付けレベルでの）第４の優先度付けルールなど）に従って行われる。いくつかの実装では、１つ以上の優先度付けルールが繰り返して適用されてもよい。
【０３１１】
ＵＥ２１０２は、複数のＣＳＩレポート・セットのうちで、ＰＵＣＣＨレポーティング・タイプに基づいてＣＳＩレポートに優先度を付ける（ステップ２６１０）。ＵＥ２１０２は、ＣＳＩレポート・セット・インデックスに基づいて（例えば、もしあれば）同じＰＵＣＣＨレポーティング・タイプをもつＣＳＩレポートに優先度を付ける（ステップ２６１２）。ＵＥ２１０２は、また、複数のＣＳＩレポート・セットのうちで、Ｎ個の最優先ＣＳＩレポート（単数または複数）を選択する（ステップ２６１４）。
【０３１２】
第２の優先度付けルールの一例は、次のように示される。ＣＡに関する３ＧＰＰリリース１０のルールは、複数の「ＣＳＩレポート・セット」が設定されている場合への然るべき適応により、ＣｏＭＰに適用できる。ＵＥ２１０２が１つのサービングセルの１つより多い「ＣＳＩレポート・セット」を用いて構成されている場合、ＵＥ２１０２は、いずれのサブフレームでも、最も高い優先度をもつ１つだけの「ＣＳＩレポート・セット」のＣＳＩレポートを選択または再選択する。所与のサブフレームに関して、ＰＵＣＣＨレポーティング・タイプ３、５、６または２ａをもつ１つのサービングセルのＣＳＩレポートと、ＰＵＣＣＨレポーティング・タイプ１、１ａ、２、２ｂ、２ｃまたは４をもつ同じサービングセルの異なる「ＣＳＩレポート・セット」のＣＳＩレポートとの衝突の場合には、ＰＵＣＣＨレポーティング・タイプ（１、１ａ、２、２ｂ、２ｃまたは４）をもつ後者のＣＳＩレポートの方が低い優先度を有する。所与のサブフレームに関して、ＰＵＣＣＨレポーティング・タイプ２、２ｂ、２ｃまたは４をもつ１つのサービングセルのＣＳＩレポートと、ＰＵＣＣＨレポーティング・タイプ１または１ａをもつ同じサービングセルの異なる「ＣＳＩレポート・セット」のＣＳＩレポートとの衝突の場合には、ＰＵＣＣＨレポーティング・タイプ１または１ａをもつ後者のＣＳＩレポートの方が低い優先度を有する。所与のサブフレームに関して、同じ優先度のＰＵＣＣＨレポーティング・タイプをもつ異なる「ＣＳＩレポート・セット」のＣＳＩレポート間のセット内衝突の場合には、低い方のＣＳＩレポート・セット・インデックスをもつＣＳＩレポートの方が低い優先度を有する。
【０３１３】
ＵＥ２１０２は、選択された（最優先）ＣＳＩレポートを送信すべきＣＳＩレポートのセットに追加する（ステップ（２６１８）。ＵＥ２１０２は、また、この選択されたＣＳＩレポートを、（例えば、ＣＳＩレポート・セットごとに最優先ＣＳＩレポートを選択するステップ２６０６、およびすべての第１の優先度付け非選択ＣＳＩレポート（単数または複数）を落とすステップ２６０８に際して初めに生成された）優先ＣＳＩレポート・セットから削除する（ステップ２６２０）（または除去する）。言い換えれば、この選択されたＣＳＩレポートがＣＳＩレポートのエントリから除去され、ＵＥ２１０２は、Ｎ個のＣＳＩレポートが選択されるか、またはＣＳＩレポートのエントリが何もなくなるまで、次の最優先ＣＳＩレポートを再選択する。最大Ｎは、２に固定されてもよく、構成に依存してもよく、または到達する最大ビット数に依存してもよい。
【０３１４】
ＵＥ２１０２は、同じレポート・インスタンスでの複数のＣＳＩレポートの送信が設定されているかどうか、およびＣＳＩレポートの数が最大設定数に到達していないかどうかを判定する（ステップ２６１６）。ＵＥ２１０２が、同じレポーティング・インスタンスで複数のＣＳＩレポートをレポートするように構成されていない場合、ＵＥ２１０２は、選択されたＣＳＩレポートを送信し（例えば、レポートし）、残っている非選択ＣＳＩレポート（単数または複数）を落とす（ステップ２６２４）。例えば、ＵＥ２１０２が複数のＣＳＩレポートをレポートするように構成されていない場合、ＵＥ２１０２は、第１の優先付けまたはパスで取得した１つだけをレポートする。
【０３１５】
同じレポート・インスタンスでの複数のＣＳＩレポートの送信が設定され、ＣＳＩレポートの数が最大設定数（例えば、Ｎ）に到達していない場合、ＵＥ２１０２は、優先ＣＳＩレポート・セットが空かどうかを判定する（ステップ２６２２）。優先ＣＳＩレポート・セットは、複数のＣＳＩレポート・セットのうちで、ＰＵＣＣＨレポーティング・タイプに基づいてＣＳＩレポートに優先度を付けた（ステップ２６１０）ときに、（例えば、初めに、および反復した際に）生成される。優先ＣＳＩレポート・セットにＣＳＩレポートが何も残っていない場合、ＵＥ２１０２は、選択されたＣＳＩレポート（単数または複数）を送信し（例えば、レポートし）、残っている非選択ＣＳＩレポート（単数または複数）を落とす（ステップ２６２４）。優先ＣＳＩレポート・セットが空でない場合には、ＵＥ２１０２は、ＣＳＩレポート・セットのうちでのＰＵＣＣＨレポーティング・タイプに基づくＣＳＩレポートの優先度付け（ステップ２６１０）に戻る。例えば、ＵＥ２１０２は、例えば、１つ以上の以降の反復に基づいて優先度付けおよび選択を行う。これらの手順は、選択されたＣＳＩレポート（単数または複数）のセットが送信される（ステップ２６２４）まで続けられる。
【０３１６】
留意すべきは、図１８に示される手順が、いくつかの実装では図１９に示される方法２６００に従ってもよいことである。図１８では、異なるサービングセルからのＣＳＩレポート間には区別がない。例えば、ＣＳＩレポート１−１−１から２−２−２  ２５２９ａ〜ｈは、すべてＰＳＭ２５２６ｉへ渡される。それゆえに、２つのレベルの優先度付け、すなわち、１つのセット内優先度付けおよび１つのセット間優先度付けがある。結果的に、ＰＳＭ２５２６の一実装は、Ｎ個の最高ＣＳＩレポートを選択するためであり、一方で別の実装では、図１９に示される反復が行われる。
【０３１７】
図２０および図２１は、（例えば、図１９と関連した）上記の省略および反復を伴う手順の例である。図２０では、同じサービングセルに設定されたＮＺＰ  ＣＳＩ−ＲＳによって生成された、ＣＳＩレポート間の区別または優先度付けが考慮されない。しかしながら、図２１ではかかる区別または優先度付けが考慮される。
【０３１８】
図２０は、１つ以上のＣＳＩレポートを選択する別の例を示すダイアグラムである。特に、図２０は、１つのサービングセルに設定されたＣＳＩ−ＲＳ間を区別しないで複数のＣＳＩレポートを選択すべく、１つのＣＳＩレポートを選択するための反復手順の例を示す。ＵＥが１つのサービングセルを用いて構成されているか、または１つのＣＳＩレポート・セットを用いて構成されている場合、ＰＵＣＣＨレポーティング・タイプに基づく、１つのＣＳＩレポート・セットの複数のＣＳＩレポートのうちでの１つのレベルの優先度付けがありうる。ＵＥが１つより多いレポート・セットを用いて構成され、かつ１つのサービングセルを用いて構成されている場合、２つのレベルの優先度付けがありうる。第１のレベルは、ＰＵＣＣＨレポーティング・タイプに基づく、１つのＣＳＩレポート・セットの複数のＣＳＩレポートのうちでのレベルである。第２のレベルは、ＰＵＣＣＨレポーティング・タイプおよび／またはＣＳＩレポート・セット・インデックスに基づく、同じサービングセルの複数のＣＳＩレポート・セットの複数のＣＳＩレポートのうちでのレベルである。
【０３１９】
ＵＥ２１０２が同じレポーティング・インスタンスで複数のＣＳＩレポートをレポートするように構成されている場合、第２のレベルで選択されたＣＳＩレポートは、ＣＳＩレポートのセットから除去され、次のＣＳＩレポートを選択すべく上記の第２のレベルの優先度付けが繰り返される。留意すべきは、この手法では、同じセットからのＣＳＩレポートが選択されないことである。
【０３２０】
図２０に示される例は、複数のＣＳＩ−ＲＳ設定２７２８ａ〜ｄをもつ複数のサービングセル２７２３ａ〜ｂを示す。ＵＥ２１０２が１つより多いＣＳＩレポート・セット２７２７を用いて構成され、かつ１つより多いサービングセル２７２３を用いて構成されている場合、例えば、図２０に示されるように、３つのレベルの優先度付け２７３３ａ〜ｃがありうる。第１のレベル２７３３ａは、ＰＵＣＣＨレポーティング・タイプに基づく、ＣＳＩレポート・セット２７２７ａ〜ｈの複数のＣＳＩレポートのうちでのレベルである。例として、優先度付けおよび選択モジュール２４２６ａ〜ｈは、各ＣＳＩレポート・セット２７２７ａ〜ｈからのＣＳＩレポート２７２９の優先度付けおよび選択を第１のレベル２７３３ａで行う。第２のレベル２７３３ｂは、ＰＵＣＣＨレポーティング・タイプおよび／またはＣＳＩレポート・セット・インデックスに基づく、同じサービングセル２７２３の複数のＣＳＩレポート・セット２７２７ａ〜ｈの複数のＣＳＩレポート２７２９ａ〜ｈのうちでのレベルである。例として、優先度付けおよび選択モジュール２７２６ｉ〜ｊは、サービングセル２７２３ａ〜ｂごとにＣＳＩレポート２７２９ａ〜ｈからのＣＳＩレポート２７２９の優先度付けおよび選択を第２のレベル２７３３ｂで行う。第３のレベル２７３３ｃは、ＰＵＣＣＨ６９レポーティング・タイプおよび／またはセル・インデックスに基づく、異なるサービングセル２７２３ａ〜ｂの複数のＣＳＩレポート・セット２７２７の複数のＣＳＩレポート２７２９ｉ〜ｊのうちでのレベルである。例として、優先度付けおよび選択モジュール２７２６ｋは、（例えば、ＵＥ２１０２にフィードバックされるべき）１つ以上のＣＳＩレポート２７２９ｋの優先度付けおよび選択を第３のレベル２７３３ｃで行う。
【０３２１】
第３の優先度付けルールの一例は、次のように示される。ＣＡに関する３ＧＰＰリリース１０のルールは、次に記載されるようにＣＡの場合に適用できる。ＵＥ２１０２が１つより多いサービングセルを用いて構成されている場合、ＵＥ２１０２は、いずれのサブフレームでも、最も高い優先度をもつ１つだけのサービングセルのＣＳＩレポートを選択または再選択する。所与のサブフレームに関して、１つのサービングセルのＰＵＣＣＨレポーティング・タイプ３、５、６または２ａをもつ１つのＣＳＩレポートと、別のサービングセルのＰＵＣＣＨレポーティング・タイプ１、１ａ、２、２ｂ、２ｃまたは４をもつＣＳＩレポートとの衝突の場合には、ＰＵＣＣＨレポーティング・タイプ（１、１ａ、２、２ｂ、２ｃまたは４）をもつ後者のＣＳＩレポートの方が低い優先度を有する。所与のサブフレームに関して、１つのサービングセルのＰＵＣＣＨレポーティング・タイプ２、２ｂ、２ｃまたは４をもつＣＳＩレポートと、別のサービングセルのＰＵＣＣＨレポーティング・タイプ１または１ａをもつＣＳＩレポートとの衝突の場合には、ＰＵＣＣＨレポーティング・タイプ１または１ａをもつ後者のＣＳＩレポートの方が低い優先度を有する。所与のサブフレームに関して、同じ優先度のＰＵＣＣＨレポーティング・タイプをもつ異なるサービングセルのＣＳＩレポート間の衝突の場合には、最も低いＳｅｒｖＣｅｌｌＩｎｄｅｘをもつサービングセルのＣＳＩの方が低い優先度を有する。
【０３２２】
ＵＥが同じレポーティング・インスタンスで複数のＣＳＩレポートをレポートするように構成されている場合、第２のレベル２７３３ｂで選択されたＣＳＩレポートは、ＣＳＩレポート２７２９のセットから除去され、次のＣＳＩレポートを選択すべく上記第２のレベル２７３３ｂおよび第３のレベル２７３３ｃの優先度付けが繰り返される。
【０３２３】
従って、ＵＥ２１０２が１つのサービングセルを用いて構成され、かつ１つのＣＳＩ−ＲＳリソースの１つのＣＳＩレポート・セットを用いて構成されている場合、ＰＵＣＣＨレポーティング・タイプに基づく、１つのＣＳＩレポート・セットの複数のＣＳＩレポートのうちでの１つのレベルの優先度付けがありうる。ＵＥが同じＣＳＩ−ＲＳリソースの複数のＣＳＩレポート・セットを用いて構成され、かつ１つのサービングセルを用いて構成されている場合、２つのレベルの優先度付けがありうる。第１のレベルは、ＰＵＣＣＨレポーティング・タイプに基づく、１つのＣＳＩレポート・セットの複数のレポートのうちでのレベルである。第２のレベルは、ＰＵＣＣＨレポーティング・タイプおよび／またはＣＳＩレポート・セット・インデックスに基づく、同じＣＳＩ−ＲＳリソースの複数のＣＳＩレポート・セットの複数のＣＳＩレポートのうちでのレベルである。
ＵＥ２１０２が同じレポーティング・インスタンスで複数のＣＳＩレポートをレポートするように構成されている場合、第２のレベルで選択されたレポートは、ＣＳＩレポートのセットから除去され、次のＣＳＩレポートを選択すべく上記第２のレベルの優先度付けが繰り返される。留意すべきは、同じセットからのＣＳＩレポートが選択されないことである。
【０３２４】
ＵＥが複数のＣＳＩ−ＲＳリソースの複数のＣＳＩレポート・セットを用いて構成され、かつ１つのサービングセルを用いて構成されている場合、２つのレベルの優先度付けがありうる。第１のレベルは、ＰＵＣＣＨレポーティング・タイプに基づく、１つのＣＳＩレポート・セットの複数のＣＳＩレポートのうちでのレベルである。第２のレベルは、ＰＵＣＣＨレポーティング・タイプおよび／またはＣＳＩレポート・セット・インデックスに基づく、同じＣＳＩ−ＲＳリソースの複数のＣＳＩレポート・セットの複数のＣＳＩレポートのうちでのレベルである。第３のレベルは、ＰＵＣＣＨレポーティング・タイプおよび／またはＣＳＩ−ＲＳリソース・インデックスに基づく、同じサービングセルの異なるＣＳＩ−ＲＳリソースの複数のＣＳＩレポート・セットの複数のＣＳＩレポートのうちでのレベルである。
【０３２５】
ＵＥ２１０２が同じレポーティング・インスタンスで複数のＣＳＩレポートをレポートするように構成されている場合、第２のレベルで選択されたＣＳＩレポートは、ＣＳＩレポートのセットから除去され、次のＣＳＩレポートを選択すべく上記第２および第３のレベルの優先度付けが繰り返される。留意すべきは、繰返しが第３のレベルから始まることである。
【０３２６】
図２１は、１つ以上のＣＳＩレポートを選択する別の例を示すダイアグラムである。特に、図２１は、１つのサービングセルに設定されたＣＳＩ−ＲＳ間を区別して複数のＣＳＩレポートを選択すべく、１つのＣＳＩレポートを選択するための反復手順の例を示す。
【０３２７】
図２１に示される例は、複数のＣＳＩ−ＲＳ設定２８２８ａ〜ｄをもつ複数のコンポーネントキャリア２８３１ａ〜ｂを示す。ＵＥ２１０２が複数のレポート・セット２８２７を用いて構成され、かつ複のサービングセルを用いて構成されている場合、例えば、図２１に示されるような４つのレベルの優先度付け２８３３ａ〜ｄがありうる。第１のレベル２８３３ａは、ＰＵＣＣＨレポーティング・タイプに基づく、ひとつのＣＳＩレポート・セット２８２７の複数のＣＳＩレポート２８２７ａ〜ｈのうちでのレベルである。例として、優先度付けおよび選択モジュール２８２６ａ〜ｈは、各ＣＳＩレポート・セット２８２７ａ〜ｈからのＣＳＩレポート２８２９の優先度付けおよび選択を第１のレベル２８３３ａで行う。第２のレベル２８３３ｂは、ＰＵＣＣＨレポーティング・タイプおよび／またはＣＳＩレポート・セット・インデックスに基づく、同じＣＳＩ−ＲＳリソースの複数のＣＳＩレポート・セット２８２７の複数のＣＳＩレポート２８２９ａ〜ｈのうちでのレベルである。例として、優先度付けおよび選択モジュール２８２６ｉ〜ｋは、ＣＳＩレポート２８２９ａ〜ｈからの１つ以上のＣＳＩレポート２８２９ｉ〜ｋの優先度付けおよび選択を第２のレベル２８３３ｂで行う。第３のレベルは、ＰＵＣＣＨレポーティング・タイプおよび／またはＣＳＩ−ＲＳリソース・インデックスに基づく、同じサービングセルの異なるＣＳＩ−ＲＳリソースの複数のＣＳＩレポート・セット２８２７の複数のＣＳＩレポート２８２９ｉ〜ｋのうちでのレベルである。例として、優先度付けおよび選択モジュール２８２６ｌ〜ｍは、ＣＳＩレポート２８２９ｉ〜ｋからのＣＳＩレポート２８２９ｌ〜ｍの優先度付けおよび選択を第３のレベル２８３３ｃで行う。第４のレベル２８３３ｄは、ＰＵＣＣＨレポーティング・タイプおよび／またはセル・インデックスに基づく、異なるサービングセルの複数のＣＳＩレポート・セット２８２７の複数のＣＳＩレポート２８２９ｌ〜ｍのうちでのレベルである。例として、優先度付けおよび選択モジュール２８２６ｎは、ＣＳＩレポート２８２９ｌ〜ｍからの１つ以上のＣＳＩレポート２８２９ｎの優先度付けおよび選択を第４のレベル２８３３ｄで（例えば、第４の優先度付けルールに基づいて）行う。
【０３２８】
ＵＥ２１０２が同じレポーティング・インスタンスで複数のＣＳＩレポートをレポートするように構成されている場合、第２のレベル２８３３ｂで選択されたＣＳＩレポート２８２９ｎは、ＣＳＩレポート２８２９のセットから除去され、次のＣＳＩレポートを選択すべく上記第２  ２８３３ｂ、第３  ２８３３ｃ、および第４  ２８３３ｄのレベルの優先度付けが繰り返される。留意すべきは、繰り返しが第３または第４のレベルから始まることである。
【０３２９】
図２２は、ＵＥ２９０２において利用される様々なコンポーネントを示す。図２２と関連して記載されるＵＥ２９０２は、図１４と関連して記載されるＵＥ２１０２に従って実装される。ＵＥ２９０２は、ＵＥ２９０２の動作を制御するプロセッサ２９６３を含む。プロセッサ２９６３は、中央処理装置（ＣＰＵ）とも呼ばれる。メモリ２９６９は、リードオンリメモリ（ＲＯＭ）、ランダムアクセスメモリ（ＲＡＭ）、これら２つの組み合わせ、または情報を記憶する任意のタイプのデバイスを含んでもよく、プロセッサ２９６３に命令２９６５ａおよびデータ２９６７ａを与える。メモリ２９６９の一部分は、不揮発性ランダムアクセスメモリ（ＮＶＲＡＭ）を含んでもよい。命令２９６５ｂおよびデータ２９６７ｂは、プロセッサ２９６３にも存在する。プロセッサ２９６３に読み込まれる命令２９６５ｂおよび／またはデータ２９６７ｂは、プロセッサ２９６３による実行または処理のために読み込まれた、メモリ２９６９からの命令２９６５ａおよび／またはデータ２９６７ａも含んでよい。命令２９６５ｂは、上記の方法２２００、２４００、２６００の１つ以上を実装するためにプロセッサ２９６３によって実行される。
【０３３０】
ＵＥ２９０２は、データの送受信を可能にするための１つ以上の送信機２９５８および１つ以上の受信機２９２０が入った筺体も含む。送信機（単数または複数）２９５８および受信機（単数または複数）２９２０は、１つ以上のトランシーバ２９１８に組み合わされてもよい。１つ以上のアンテナ２９２２ａ〜ｎは、筺体に取り付けられて、トランシーバ２９１８に電気的に結合される。
【０３３１】
ＵＥ２９０２の様々なコンポーネントは、データバスに加えて、電力バス、制御信号バスおよびステータス信号バスを含む、バスシステム２９７１によって結合される。しかしながら、明確にするために、図２２では様々なバスがバスシステム２９７１として示される。ＵＥ２９０２は、信号処理用のデジタル信号プロセッサ（ＤＳＰ）２９７３を含んでもよい。ＵＥ２９０２は、ＵＥ２９０２の機能へのユーザ・アクセスを提供する通信インタフェース２９７５を含んでもよい。図２２に示されるＵＥ２９０２は、具体的なコンポーネントのリスティングではなく、機能ブロックダイアグラムである。
【０３３２】
図２３は、ｅＮＢ２１０６０において利用される様々なコンポーネントを示す。図２３に関連して記載されるｅＮＢ２１０６０は、図１４に関連して記載されるｅＮＢ２１６０に従って実装される。ｅＮＢ２１０６０は、ｅＮＢ２１０６０の動作を制御するプロセッサ２１０７７を含む。プロセッサ２１０７７は、中央処理装置（ＣＰＵ）とも呼ばれる。メモリ２１０８３は、リードオンリメモリ（ＲＯＭ）、ランダムアクセスメモリ（ＲＡＭ）、これら２つの組み合わせ、または情報を記憶する任意のタイプのデバイスを含み、プロセッサ２１０７７に命令２１０７９ａおよびデータ２１０８１ａを与える。メモリ２１０８３の一部分は、不揮発性ランダムアクセスメモリ（ＮＶＲＡＭ）を含んでもよい。命令２１０７９ｂおよびデータ２１０８１ｂは、プロセッサ２１０７７にも存在する。プロセッサ２１０７７に読み込まれる命令２１０７９ｂおよび／またはデータ２１０８１ｂは、プロセッサ２１０７７による実行または処理のために読み込まれた、メモリ２１０８３からの命令２１０７９ａおよび／またはデータ２１０８１ａも含んでよい。
【０３３３】
ｅＮＢ２１０６０は、データの送受信を可能にするための１つ以上の送信機２１０１７および１つ以上の受信機２１０７８を含んだ筐体も含む。送信機（単数または複数）２１０１７および受信機（単数または複数）２１０７８は、１つ以上のトランシーバ２１０７６に組み合わされてもよい。１つ以上のアンテナ２１０８０ａ〜ｎは、筐体に取り付けられて、トランシーバ２１０７６に電気的に結合される。
【０３３４】
ｅＮＢ２１０６０の様々なコンポーネントは、データバスに加えて、電力バス、制御信号バスおよびステータス信号バスを含む、バスシステム２１０８５によって結合される。しかしながら、明確にするために、図２３では様々なバスがバスシステム２１０８５として示される。ｅＮＢ２１０６０は、信号処理用のデジタル信号プロセッサ（ＤＳＰ）２１０８７を含んでもよい。ｅＮＢ２１０６０は、ｅＮＢ２１０６０の機能へのユーザ・アクセスを提供する通信インタフェース２１０８９を含んでもよい。図２３に示されるｅＮＢ２１０６０は、具体的なコンポーネントのリスティングではなく、機能ブロックダイアグラムである。
【０３３５】
図２４は、チャネル状態情報レポートを選択するためのシステムおよび方法が実装されたＵＥ２１１０２の一構成を示すダイアグラムである。ＵＥ２１１０２は、送信手段２１１５８、受信手段２１１２０および制御手段２１１２４を含む。送信手段２１１５８、受信手段２１１２０および制御手段２１１２４は、上掲の図１５、図１７、図１９および図２２と関連して記載される機能の１つ以上を行うように構成される。上掲の図２２は、図２４の具体的な装置構造の一例を示す。図１５、図１７、図１９および図２２の機能の１つ以上を実現するために他の様々な構造が実装されてもよい。例えば、ＤＳＰがソフトウェアによって実現されてもよい。
【０３３６】
図２５は、ｅＮＢ２１２６０の一構成を示すダイアグラムである。ｅＮＢ２１２６０は、送信手段２１２１７、受信手段２１２７８および制御手段２１２８２を含む。送信手段２１２１７、受信手段２１２７８および制御手段２１２８２は、上掲の図２３に関連して記載される機能の１つ以上を行うように構成される。上掲の図２３は、図２５の具体的な装置構造の一例を示す。図２３の機能の１つ以上を実現するために他の様々な構造が実装されてもよい。例えば、ＤＳＰがソフトウェアによって実現されてもよい。
【０３３７】
用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは命令の形態の所望のプログラムコードまたはデータ構造を載せるか、または記憶するために用いることができ、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０３３８】
留意すべきは、本明細書に記載される方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ）、大規模集積回路（ＬＳＩ）または集積回路などに実装されてもよく、および／またはそれらを用いて実現されてもよい。
【０３３９】
本明細書に開示されるそれぞれの方法は、記載される方法を実現するための１つ以上のステップまたは動作を備える。本方法のステップおよび／または動作は、特許請求の範囲から逸脱することなく、相互に交換されても、および／または単一のステップに組み合わされてもよい。言い換えれば、記載される方法の適切な操作のためにステップまたは動作の特定の順序が必要とされない限り、特許請求の範囲から逸脱することなく、特定のステップおよび／または動作の順序および／または使用が修正されてもよい。
【０３４０】
当然のことながら、特許請求の範囲は、上に説明された通りの構成および構成要素には限定されない。特許請求の範囲から逸脱することなく、本明細書に記載される配置、操作、ならびにシステム、方法、および装置の詳細に様々な修正、変更および変形がなされてもよい。
【図１】
2015516696.tif 000007
【図２】
2015516696.tif 000008
【図３】
2015516696.tif 000009
【図４】
2015516696.tif 000010
【図５】
2015516696.tif 000011
【図６】
2015516696.tif 000012
【図７】
2015516696.tif 000013
【図８】
2015516696.tif 000014
【図９】
2015516696.tif 000015
【図１０】
2015516696.tif 000016
【図１１】
2015516696.tif 000017
【図１２】
2015516696.tif 000018
【図１３】
2015516696.tif 000019
【図１４】
2015516696.tif 000020
【図１５】
2015516696.tif 000021
【図１６】
2015516696.tif 000022
【図１７】
2015516696.tif 000023
【図１８】
2015516696.tif 000024
【図１９】
2015516696.tif 000025
【図２０】
2015516696.tif 000026
【図２１】
2015516696.tif 000027
【図２２】
2015516696.tif 000028
【図２３】
2015516696.tif 000029
【図２４】
2015516696.tif 000030
【図２５】
2015516696.tif 000031
【国際調査報告】
2015516696.tif 000032